(57)【要約】  グラントフリーリソース構成のための実施形態の方法は、第１のタイプのグラントフリーリソースを構成する段階であり、第１のタイプのグラントフリーリソースはセル固有であり、ブロードキャストシグナリングを用いて構成され、第１のタイプのグラントフリーリソースはさらなる構成なくＵＥにアクセス可能である、構成する段階と、第２タイプのグラントフリーリソースを構成する段階であり、第２タイプのグラントフリーリソースはＵＥ固有であり、ブロードキャストシグナリング及びユニキャスト／マルチキャストシナグリングの組み合わせを用いて構成され、第２タイプのグラントフリーリソースはユニキャスト／マルチキャスト構成の後にのみＵＥにアクセス可能である、構成する段階とを含む。
2020513177.tif 000002
【特許請求の範囲】
【請求項１】
グラントフリー（ＧＦ）伝送のための方法であって、
ユーザ機器（ＵＥ）が、少なくともＵＥ固有のＧＦ無線ネットワーク一時識別子（ＧＦ−ＲＮＴＩ）を指定する無線リソース制御（ＲＲＣ）信号を受信する段階であって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、受信する段階と、
前記ＵＥが、ダウンリンク制御情報（ＤＣＩ）信号を待機することなくＧＦアップリンク（ＵＬ）伝送を実行する段階とを備える、方法。
【請求項２】
前記ＵＥが、前記ＧＦ−ＲＮＴＩを用いて物理ダウンリンク制御チャネル（ＰＤＣＣＨ）のサーチスペースにおける前記ＤＣＩ信号を検出する段階をさらに有し、前記ＤＣＩ信号は、前記ＧＦ  ＵＬ伝送に関する再伝送についての情報を有する、請求項１に記載の方法。
【請求項３】
前記ＤＣＩ信号は、ＧＦ固有の構成パラメータを有する、請求項２に記載の方法。
【請求項４】
前記ＵＥが、前記ＲＲＣ信号を受信する前記段階に応じて、前記ＤＣＩ信号の検出の前に前記ＧＦ  ＵＬ伝送を実行する段階をさらに有する、請求項２に記載の方法。
【請求項５】
前記ＧＦ−ＲＮＴＩを用いて前記ＰＤＣＣＨの前記サーチスペースにおける前記ＤＣＩ信号を検出する前記段階は、
前記ＵＥが、前記ＧＦ−ＲＮＴＩに従って前記ＤＣＩ信号の巡回冗長検査（ＣＲＣ）をデスクランブル処理する段階と、
前記ＵＥが、前記デスクランブル処理されたＣＲＣを用いて前記ＤＣＩ信号のＣＲＣチェックを実行する段階とを有する、請求項２に記載の方法。
【請求項６】
前記受信する段階の前に、前記ＵＥが、ランダムアクセス（ＲＡ）チャネル（ＲＡＣＨ）を介してプリアンブルを送信することで初期アクセスを実行する段階をさらに有する、
請求項１から５のいずれか一項に記載の方法。
【請求項７】
グラントフリー（ＧＦ）伝送のためのユーザ機器（ＵＥ）であって、
非一時的メモリと、
少なくともＵＥ固有のＧＦ無線ネットワーク一時識別子（ＧＦ−ＲＮＴＩ）を指定する無線リソース制御（ＲＲＣ）信号を受信するように構成されているハードウェアプロセッサであって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、ハードウェアプロセッサであって、
ダウンリンク制御情報（ＤＣＩ）信号を待機することなくＧＦアップリンク（ＵＬ）伝送を実行するように構成されているハードウェアプロセッサと
を備える、ＵＥ。
【請求項８】
前記ハードウェアプロセッサはさらに、前記ＧＦ−ＲＮＴＩを用いて物理ダウンリンク制御チャネル（ＰＤＣＣＨ）のサーチスペースにおける前記ＤＣＩ信号を検出するように構成されており、前記ＤＣＩ信号は、前記ＧＦ  ＵＬ伝送に関する再伝送についての情報を有する、請求項７に記載のＵＥ。
【請求項９】
前記ＤＣＩ信号はＧＦ固有の構成パラメータを有する、請求項８に記載のＵＥ。
【請求項１０】
前記ハードウェアプロセッサはさらに、
前記ＲＲＣ信号を受信する前記段階に応じて、前記ＤＣＩ信号の検出の前に前記ＧＦ  ＵＬ伝送を実行するように構成されている、請求項８に記載のＵＥ。
【請求項１１】
前記ハードウェアプロセッサは、
前記ＧＦ−ＲＮＴＩに従って前記ＤＣＩ信号の巡回冗長検査（ＣＲＣ）をデスクランブル処理する段階と、
前記デスクランブル処理されたＣＲＣを用いて前記ＤＣＩ信号のＣＲＣチェックを実行する段階とによって、
前記ＧＦ−ＲＮＴＩを用いて前記ＰＤＣＣＨの前記サーチスペースにおける前記ＤＣＩ信号を検出するように構成されている、請求項８に記載のＵＥ。
【請求項１２】
前記ハードウェアプロセッサは、
前記ＲＲＣ信号を受信する前に、ランダムアクセス（ＲＡ）チャネル（ＲＡＣＨ）を介してプリアンブルを送信することで初期アクセスを実行するようにさらに構成されている、請求項７から１１のいずれか一項に記載のＵＥ。
【請求項１３】
グラントフリー（ＧＦ）伝送のための方法であって、
基地局がユーザ機器（ＵＥ）に、少なくともＵＥ固有のＧＦ無線ネットワーク一時識別子（ＧＦ−ＲＮＴＩ）を指定する無線リソース制御（ＲＲＣ）信号を伝送する段階であって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、伝送する段階と、
前記基地局は、ダウンリンク制御情報（ＤＣＩ）信号を前記ＵＥに伝送することなくＧＦアップリンク（ＵＬ）伝送を受信する段階とを備える、方法。
【請求項１４】
前記基地局は、前記ＧＦ  ＵＬ伝送に関する再伝送についての情報を含む前記ＤＣＩ信号を伝送する段階であって、前記ＵＥは、前記ＧＦ−ＲＮＴＩを用いることで物理ダウンリンク制御チャネル（ＰＤＣＣＨ）のサーチスペースにおける前記ＤＣＩ信号を検出する、伝送する段階をさらに有する
請求項１３に記載の方法。
【請求項１５】
前記ＤＣＩ信号は、ＧＦ固有の構成パラメータを有する、請求項１４に記載の方法。
【請求項１６】
前記基地局は、前記ＲＲＣ信号を伝送する前記段階に応じて、前記ＤＣＩ信号を伝送する前記段階の前に前記ＧＦ  ＵＬ伝送を受信する段階をさらに有する、請求項１４に記載の方法。
【請求項１７】
前記ＲＲＣ信号を伝送する前記段階の前に、前記基地局により、ランダムアクセス（ＲＡ）チャネル（ＲＡＣＨ）を介してプリアンブルを受信することで初期アクセスを受信する段階をさらに有する、
請求項１３から１６のいずれか一項に記載の方法。
【請求項１８】
グラントフリー（ＧＦ）伝送のための装置であって、
非一時的メモリと、
少なくともＵＥ固有のＧＦ無線ネットワーク一時識別子（ＧＦ−ＲＮＴＩ）を指定する無線リソース制御（ＲＲＣ）信号をユーザ機器（ＵＥ）に伝送するように構成されているハードウェアプロセッサであって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、ハードウェアプロセッサであって、
ダウンリンク制御情報（ＤＣＩ）信号を前記ＵＥに伝送することなくＧＦアップリンク（ＵＬ）伝送を受信するように構成されているハードウェアプロセッサと
を備える、装置。
【請求項１９】
前記ハードウェアプロセッサはさらに、
前記ＧＦ  ＵＬ伝送に関する再伝送についての情報を含む前記ＤＣＩ信号を伝送するように構成されており、前記ＵＥは、前記ＧＦ−ＲＮＴＩを用いることで物理ダウンリンク制御チャネル（ＰＤＣＣＨ）のサーチスペースにおける前記ＤＣＩ信号を検出する、請求項１８に記載の装置。
【請求項２０】
前記ＤＣＩ信号は、ＧＦ固有の構成パラメータを有する、請求項１９に記載の装置。
【請求項２１】
前記ハードウェアプロセッサはさらに、
前記ＲＲＣ信号を伝送する前記段階に応じて、前記ＤＣＩ信号の伝送の前に前記ＧＦ  ＵＬ伝送を受信するように構成されている、請求項１９に記載の装置。
【請求項２２】
前記ハードウェアプロセッサは、
前記ＲＲＣ信号を伝送する前記段階の前に、ランダムアクセス（ＲＡ）チャネル（ＲＡＣＨ）を介してプリアンブルを受信することで初期アクセスを受信するようにさらに構成されている、請求項１８から２１のいずれか一項に記載の装置。
【発明の詳細な説明】
【技術分野】
【０００１】
［関連出願の相互参照］  本願は、２０１７年４月６日に出願された「ＦＬＥＸＩＢＬＥ  ＧＲＡＮＴ‐ＦＲＥＥ  ＲＥＳＯＵＲＣＥ  ＣＯＮＦＩＧＵＲＡＴＩＯＮ  ＳＩＧＮＡＬＩＮＧ  ＷＩＴＨ  ＮＯＮ‐ＦＩＸＥＤ  ＣＴＵ  ＳＩＺＥ」と題する米国仮特許出願第６２／４８２，６７１号、及び２０１８年１月１１日に出願された「ＦＬＥＸＩＢＬＥ  ＧＲＡＮＴ‐ＦＲＥＥ  ＲＥＳＯＵＲＣＥ  ＣＯＮＦＩＧＵＲＡＴＩＯＮ  ＳＩＧＮＡＬＩＮＧ」と題する米国特許出願第１５／８６８，６５７号に基づく優先権を主張するものであり、当該特許出願はその全体が再現されるように、参照により本明細書に組み込まれる。
【０００２】
本発明は概して、無線通信のためのシステム及び方法に関し、特定の実施形態においては、非固定伝送リソースを有するグラントフリーリソース構成シグナリングのためのシステム及び方法に関する。
【背景技術】
【０００３】
ユーザ機器（ＵＥ）、移動局、又は類似のコンポーネントを本明細書ではＵＥと称することとする。ＵＥはアップリンクで、基地局、アクセスポイント、進化型ノードＢ（ｅＮＢ）、ｇＮＢ、送信／受信ポイント、又は類似のコンポーネントと通信し得る。いくつかの無線ネットワークにおいて、ＵＥがアップリンクで伝送することができるようになる前に、ＵＥは、アップリンク伝送のためリソースを要求しつつスケジューリング要求（ＳＲ）を基地局に送信する必要がある。スケジューリング要求を受信すると、基地局は、アップリンクでデータを伝送するためにＵＥが用いるリソースを割り当てるアップリンクスケジューリンググラント（ＳＧ）をＵＥに提供し得る。
【０００４】
いくつかの提案されている無線ネットワークにおいて、アップリンク伝送はグラントフリー方式で生じ得る。グラントフリーアプローチにおいて、アップリンクリソースは、ＵＥがスケジューリング要求を送信することなく複数のＵＥのために予め構成され、複数のＵＥに割り当てられ得る。ＵＥのうち１つがアップリンクで伝送する準備ができた場合、ＵＥは、アップリンクスケジューリンググラントを要求する又は受信する必要なく、予め構成されたリソースで直ちに伝送を開始し得る。グラントフリーアプローチは、ＳＲ／アップリンクＳＧアプローチと比較して、シグナリングオーバーヘッド及びレイテンシを低減し得る。
【０００５】
グラントフリーアップリンク伝送は、ＵＥから基地局へ短いパケットを有するバースト性のトラフィックを伝送するのに、及び／又は、リアルタイムに又は低レイテンシで基地局へデータを伝送するのに適している可能性がある。グラントフリーアップリンク伝送スキームが利用され得る用途の例は、大容量マシンタイプ通信（ｍ−ＭＴＣ）、高信頼性低レイテンシ通信（ＵＲＬＬＣ）、スマート電気メータ、スマートグリッド内のテレプロテクション及び全自動運転を含む。しかしながら、グラントフリーアップリンク伝送スキームは、そのような用途に限定されるものではない。
【発明の概要】
【０００６】
いくつかの実施形態において、ＵＥは無線リソース制御（ＲＲＣ）信号を受信し得る。ＲＲＣ信号は、少なくとも１つのＵＥ固有のＧＦ無線ネットワーク一時識別子（ＧＦ−ＲＮＴＩ）を指定し得る。ＵＥ固有のＧＦ−ＲＮＴＩは、グラントベースの初期伝送のためのセルＲＮＴＩ（Ｃ‐ＲＮＴＩ）とは異なる。ＵＥは、ダウンリンク制御情報（ＤＣＩ）信号を待機することなく、ＧＦ  ＵＬ伝送を実行し得る。
【０００７】
いくつかの実施形態において、ＵＥは、ＧＦ−ＲＮＴＩを用いて、物理ダウンリンク制御チャネル（ＰＤＣＣＨ）のサーチスペースにおけるＤＣＩ信号を検出してよい。ＤＣＩ信号は、ＧＦ伝送に関する再伝送についての情報を有してよい。ＤＣＩ信号は、ＧＦ固有の構成パラメータを有してもよい。ＵＥは、ＧＦ−ＲＮＴＩに従ってＤＣＩ信号の巡回冗長検査（ＣＲＣ）をデスクランブル処理し、デスクランブル処理されたＣＲＣを用いてＤＣＩ信号のＣＲＣチェックを実行することにより、ＧＦ−ＲＮＴＩを用いてＰＤＣＣＨのサーチスペースにおけるＤＣＩ信号を検出するように構成されている。
【０００８】
ＵＥは、ＲＲＣ信号を受信すると、ＤＣＩ信号の検出の前にＧＦ  ＵＬ伝送を実行し得る。いくつかの実施形態において、ＲＲＣを受信する前に、ＵＥは、ランダムアクセス（ＲＡ）チャネル（ＲＡＣＨ）を介してプリアンブルを送信することにより初期アクセスを実行し得る。
【０００９】
いくつかの実施形態において、ユーザ機器（ＵＥ）は、無線リソース制御（ＲＲＣ）信号を受信し得る。ＲＲＣ信号は、ＧＦのグループ無線ネットワーク一時識別子（ＲＮＴＩ）及びＵＥインデックスを指定し得る。ＧＦグループＲＮＴＩは共通に、ＵＥのグループにより共有され得る。ＵＥインデックスはＵＥに割り当てられ得る。さらに、ＵＥインデックスは、ＵＥのグループにおける他のＵＥに割り当てられているＵＥインデックスとは異なってよい。ＵＥはマルチキャスト信号を受信し得る。マルチキャスト信号は、グループにおけるＵＥにより共有されるべき少なくとも周波数リソース、及び変調及び符号化スキーム（ＭＣＳ）を指定し得る。いくつかの実施形態において、マルチキャスト信号は、ＧＦグループＲＮＴＩを共有するＵＥのグループにアドレス指定されたグループ共通ダウンリンク制御情報（ＤＣＩ）信号であり得る。ＧＦグループＲＮＴＩは、グループ共通ＤＣＩの巡回冗長検査（ＣＲＣ）をスクランブルするために用いられ得る。ＵＥはＧＦ  ＵＬ伝送を実行し得る。ＵＥは、ＧＦグループＲＮＴＩ、ＵＥインデックス、周波数リソース、及びＭＣＳに従ってＧＦ  ＵＬ伝送を実行し得る。
【００１０】
いくつかの実施形態において、ＵＥは、ＵＥインデックスに従って参照信号を決定し得る。これらの実施形態において、ＵＥは、決定された参照信号、ＧＦグループＲＮＴＩ、周波数リソース、及びＭＣＳに従ってＧＦ  ＵＬ伝送を実行し得る。参照信号は、現在構成されている参照信号、ＵＥインデックス、及び利用可能な参照信号の総数に基づいて決定され得る。
【００１１】
いくつかの実施形態において、ＵＥは、ＵＥインデックスとしてホッピングパターンを決定し得る。ＵＥは、ＧＦグループＲＮＴＩ、ＵＥインデックス、周波数リソース、ＭＣＳ、及び決定されたホッピングパターンに従ってＧＦ  ＵＬ伝送を実行し得る。決定されたＵＥのホッピングパターンは、ＵＥのグループにおける他のＵＥのホッピングパターンとは異なり得る。
【００１２】
いくつかの実施形態において、ＵＥは、ＵＥ固有のＲＲＣ信号を受信し得る。ＵＥ固有のＲＲＣ信号は、周期性を指定し得る。ＵＥは、ＧＦグループＲＮＴＩ、ＵＥインデックス、周波数リソース、ＭＣＳ、及び周期性に従ってＧＦ  ＵＬ伝送を実行し得る。
【００１３】
いくつかの実施形態において、ユーザ機器（ＵＥ）は、ＵＥに割り当てられたＵＥ固有のリソースホッピングパターンを受信し得る。ＵＥ固有のリソースホッピングパターンは、ホッピング情報を有し得る。ホッピング情報は、複数のタイムスロットのうち対応する各タイムスロットでＵＥがホップするサブバンドと関連付けられ得る。ＵＥは、ＵＥ固有のリソースホッピングパターンに従ってＧＦ  ＵＬ伝送を実行し得る。いくつかの実施形態において、対応する各タイムスロットでＵＥがホップするサブバンドは、ＵＥ固有の巡回シフト値に基づいて決定され得る。一実施形態において、対応する各タイムスロットでＵＥがホップするサブバンドは、ＵＥ固有の巡回シフト値及びＵＥに対する最初のサブバンドに基づいて決定され得る。別の実施形態において、対応する各タイムスロットでＵＥがホップするサブバンドは、ＵＥ識別子に基づいて決定されてよい。例えば、対応する各タイムスロットでＵＥがホップするサブバンドは、ＵＥ識別子により初期化されたＵＥ固有の疑似乱数シーケンスに基づいて決定されてよい。いくつかの実施形態において、ＵＥ識別子は、ＵＥ固有のＧＦ無線ネットワーク一時識別子（ＧＦ−ＲＮＴＩ）であってよい。さらに別の実施形態において、対応する各タイムスロットでＵＥがホップするサブバンドは、ＵＥに割り当てられたＵＥ固有のホッピングインデックスに基づいて決定されてよい。
【００１４】
いくつかの実施形態において、ホッピング情報は、複数のタイムスロットのうち対応する各タイムスロットでＵＥがホップするサブバンドを示し得る。ホッピング情報は、ＵＥ固有の巡回シフト値を有し得る。ＵＥ固有の巡回シフト値は、ＵＥにより１つのタイムスロットから次のタイムスロットに巡回的にシフトされるべきサブバンドの数を示し得る。
【００１５】
いくつかの実施形態において、対応する各タイムスロットでＵＥがホップするサブバンドは、ＵＥ固有のホッピングインデックスから導出されるＵＥ固有の巡回シフト値及びＵＥ固有のホッピングインデックスから導出されるＵＥの最初のサブバンドに基づいて決定され得る。いくつかの実施形態において、対応する各タイムスロットでＵＥがホップするサブバンドは、ＵＥのグループの識別子に基づいて決定され得る。例えば、対応する各タイムスロットでＵＥがホップするサブバンドは、ＵＥのグループの識別子により初期化されたグループ固有の疑似乱数シーケンスに基づいて決定されてよい。一実施形態において、ＵＥのグループの識別子は、グループ無線ネットワーク一時識別子（ＲＮＴＩ）であり得る。別の実施形態において、ＵＥのグループの識別子は、ＵＥ固有のホッピングインデックスに基づいて決定される。
【００１６】
いくつかの実施形態において、ＵＥは、ＵＥ固有のホッピングインデックスに基づいて参照信号を決定してよい。
【００１７】
いくつかの実施形態において、ＧＦ  ＵＬ伝送を実行するために、ＵＥは、ホッピング情報に基づいて、タイムスロットでＵＥがホップするサブバンドを決定し得る。次に、ＵＥは、決定されたサブバンド、決定されたサブバンドにおけるリソースブロック（ＲＢ）の総数、及びＧＦ伝送に割り当てられたＲＢの総数に従って、タイムスロットでの物理リソースブロック（ＰＲＢ）インデックスを導出し得る。そして、ＵＥは、導出されたＰＲＢインデックスに従って、タイムスロットでＧＦ  ＵＬ伝送を実行し得る。
【図面の簡単な説明】
【００１８】
本発明及びその利点をより完全に理解するために、添付の図面と共に成される以下の説明を参照する。
【００１９】
【図１】無線通信ネットワークの実施形態の略図である。
【００２０】
【図２Ａ】グラントフリーＵＥと基地局との間の様々な実施形態のメッセージフローの図である。
【図２Ｂ】グラントフリーＵＥと基地局との間の様々な実施形態のメッセージフローの図である。
【図３Ａ】グラントフリーＵＥと基地局との間の様々な実施形態のメッセージフローの図である。
【図３Ｂ】グラントフリーＵＥと基地局との間の様々な実施形態のメッセージフローの図である。
【図３Ｃ】グラントフリーＵＥと基地局との間の様々な実施形態のメッセージフローの図である。
【図３Ｄ】グラントフリーＵＥと基地局との間の様々な実施形態のメッセージフローの図である。
【図３Ｅ】グラントフリーＵＥと基地局との間の様々な実施形態のメッセージフローの図である。
【図３Ｆ】グラントフリーＵＥと基地局との間の様々な実施形態のメッセージフローの図である。
【００２１】
【図４】グラントフリーＵＥを時間及び周波数リソースグループにグループ化する実施形態の略図である。
【００２２】
【図５】グラントフリー（ＧＦ）伝送の例示的なフローチャートである。
【００２３】
【図６】ＵＥのグループにおけるユーザ機器（ＵＥ）によるグラントフリー（ＧＦ）アップリンク（ＵＬ）伝送の例示的なフローチャートである。
【００２４】
【図７】グラントフリー（ＧＦ）アップリンク（ＵＬ）伝送の例示的なフローチャートである。
【００２５】
【図８】本明細書に説明される方法を実行する実施形態の処理システムに係るブロック図である。
【００２６】
【図９】通信ネットワークを介してシグナリングを送信及び受信することに適合した送受信機のブロック図である。
【発明を実施するための形態】
【００２７】
本発明の好ましい実施形態の構造、製造及び使用は以下に詳細に説明される。しかしながら、本発明は多様な具体的状況において具現化され得る多数の適用可能な発明概念を提供することを理解されたい。説明される具体的な実施形態は、本発明を実施し使用するための具体的手法の例示に過ぎず、本発明の範囲を限定するものではない。
【００２８】
基地局のカバレッジエリアにおけるＵＥのグループがグラントフリーモードで動作している場合、２又はそれより多いＵＥの間に衝突が生じ得る。すなわち、２又はそれより多いＵＥは、同じ時間及び周波数リソースを用いて伝送を試み得るため、伝送は失敗し得る。本開示の実施形態は、衝突の確率を低減するための技術を提供する。
【００２９】
実施形態は、柔軟なリソース構成及びＵＥが第１の伝送のための第１のサブバンドから第２の伝送のための第２のサブバンドにホッピングする構成を提供する。リソース構成は、１つのサブフレームに対して実行され得て、柔軟な数のリソースブロックに対して実行され得る。グラントフリーリソース領域は予め定義されない。ホッピングパターンシグナリングは、初期伝送の後のホッピングのみをシグナリングしてよく、用いられるべきリソースの最初の位置及びサイズを含まなくてよい。簡略化されたホッピングシグナリングは、単一のＵＥ固有の巡回シフト値を用いてよい。ＵＥ固有の疑似乱数ホッピングが用いられ得る。すなわち、ホッピングのランダムシーケンスは、セル識別子の代わりにＵＥ識別子により初期化され得る。柔軟なリソースサイズ構成は、単純なシグナリング及び柔軟なリソースブロック割り当てができるようにする。
【００３０】
そのように、説明されている技術は、ネットワークリソースのより効率的な利用でネットワークシステムを向上させる。
【００３１】
図１は、本開示の実施形態が実装され得る通信ネットワーク１００を示す。ネットワーク１００は、カバレッジエリア１０１を含む基地局１１０、複数のＵＥ１２０、及びバックホールネットワーク１３０を有する。示されるように、基地局１１０は、ＵＥ１２０とのアップリンク接続１４０及びダウンリンク接続１５０を確立し、これらはＵＥ１２０から基地局１１０にデータを搬送、及びその逆方向にデータを搬送する役割を果たす。アップリンク接続１４０及びダウンリンク接続１５０により搬送されるデータは、複数のＵＥ１２０間で通信されるデータ、並びにバックホールネットワーク１３０によりリモート側（不図示）と相互に通信されるデータを含んでよい。いくつかの場合に、ＵＥ１２０は、サイドリンクと称され得る接続１６０を介してデバイス対デバイス通信モードで直接通信してよい。
【００３２】
本明細書で用いられるように、用語「基地局」は、ｅＮＢ、第５世代（５Ｇ）ｇＮＢ、送信／受信ポイント（ＴＲＰ）、マクロセル、フェムトセル、Ｗｉ−Ｆｉアクセスポイント（ＡＰ）、及び他の無線対応デバイスのような、ネットワークに無線アクセスを提供するように構成されている任意のコンポーネント又はコンポーネントの集合を指す。基地局は、５Ｇ新無線（５Ｇ  ＮＲ）、ロングタームエボリューション（ＬＴＥ）、ＬＴＥ  ａｄｖａｎｃｅｄ（ＬＴＥ‐Ａ）、高速パケットアクセス（ＨＳＰＡ）、又はＷｉ−Ｆｉ８０２．１１ａ／ｂ／ｇ／ｎ／ａｃなどのような１又は複数の無線通信プロトコルに従って無線アクセスを提供し得る。本明細書で用いられるように、用語「ＵＥ」は、モバイルデバイス、移動局（ＳＴＡ）、及び他の無線対応デバイスのような、基地局との無線接続を確立することが可能な任意のコンポーネント又はコンポーネントの集合を指す。いくつかの実施形態において、ネットワーク１００は、リレー又は低電力ノードのような様々な他の無線デバイスを有し得る。
【００３３】
ネットワーク１００は、様々な高レベルのシナグリングメカニズムを用いて、グラントフリー伝送を有効にし構成し得る。ＵＥ１２０は、グラントフリー伝送が可能であり、この性能を基地局１１０にシグナリングし得る。これは、グラントフリー伝送及び従来の信号／グラント伝送（例えば、より古いモバイルデバイスモデル）の両方を基地局１１０が同時にサポートすることを可能にし得る。ＵＥ１２０は、例えば、第３世代パートナーシッププロジェクト（３ＧＰＰ）規格で定義される無線リソース制御（ＲＲＣ）シグナリングによりこの性能をシグナリングできる。
【００３４】
基地局１１０は、高レベルシナグリングメカニズム（例えば、ブロードキャストチャネル及び／又はＲＲＣシグナリングのような遅いシグナリングチャネル）を用いて、グラントフリー伝送スキームを有効化及び構成するために必要な情報をＵＥ１２０に通知し得る。基地局１１０は、この情報を、例えば、遅いシグナリングチャネル（例えば、伝送時間間隔（ＴＴＩ）毎に生じるものの代わりに、数百ミリ秒のオーダーで生じるシグナリングチャネル）を用いて随時更新し得る。共通グラントフリーリソース情報は、ブロードキャストチャネル又はシステム情報で定義され得る。例えば、システム情報はシステム情報ブロック（ＳＩＢ）で基地局１１０により伝送され得る。システム情報は、周波数及びグラントフリーパーティションサイズにおけるグラントフリー境界のグラントフリー周波数帯域（開始及び完了）を含み得るが、それに限定されるものではない。
【００３５】
いくつかの実施形態において、基地局１１０はいくつか又はすべての上位層シグナリング（例えば、ＲＲＣシグナリング）、ブロードキャストシグナリング、及びダウンリンク制御チャネル（グラントフリーリソース構成のためのＤＣＩのような）の組み合わせを用いてよい。
【００３６】
グラントフリーアップリンク伝送は、場合により、「グラントレス（ｇｒａｎｔ‐ｌｅｓｓ）」、「スケジュールフリー（ｓｃｈｅｄｕｌｅ  ｆｒｅｅ）」又は「スケジュールレス（ｓｃｈｅｄｕｌｅ‐ｌｅｓｓ）」伝送と呼ばれる。グラントフリーアップリンク伝送は、「グラントなしのＵＬ伝送」、「動的グラントなしのＵＬ伝送」、「動的スケジューリングなしの伝送」、「構成されたグラントを用いる伝送」とも称され得る。場合により、ＤＣＩシグナリングなしにＲＲＣに構成されたグラントフリーリソースは、ＲＲＣの構成されたグラント又は１つのタイプの構成されたグラントと呼ばれ得る。ＲＲＣ及びＤＣＩシグナリングの両方を用いて構成されたグラントフリーリソースは、構成されたグラント、ＤＣＩの構成されたグラント、又は別のタイプの構成されたグラントとも呼ばれ得る。
【００３７】
図２Ａは、グラントフリーＵＥ２２０と基地局２３０との間のアップリンク（ＵＬ）グラントフリー伝送の実施形態に係る方法２００を示す。伝送は、データの初期伝送の前にダウンリンク制御情報（ＤＣＩ）を検査する必要なしでＲＲＣ情報を用いてよい。グラントフリーＵＥ２２０は、物理ハイブリッド自動再送要求（ＨＡＲＱ）インジケーションチャネル（ＰＨＩＣＨ）又はＤＣＩのような専用のＡＣＫ／ＮＡＣＫチャネルを介していずれも肯定応答／否定応答（ＡＣＫ／ＮＡＣＫ）フィードバックを検査し得る。ＲＲＣシグナリングは、ＵＥ固有及び／又はグループ固有の伝送リソース及び／又は参照シグナリング構成をシグナリングするために用いられる。図２Ａでは、ＵＥ２２０は構成のためのＲＲＣシグナリングの後にすべての伝送リソース情報を取得し得て、ＵＥ２２０はＤＣＩシグナリングを用いて送信されるＵＬグラントを検出することなく、ＲＲＣシグナリングの後にアップリンクグラントフリー伝送を実行し得る。
【００３８】
ＵＥ固有情報に関して、ＲＲＣシグナリングは、ＵＥ識別子（ＩＤ）、ＤＣＩサーチスペース、グラントフリー伝送リソース、参照信号リソース、及び例えば変調及び符号化スキーム（ＭＣＳ）を含み得る他の関連情報のような、但しそれらに限定されるものではないグラントフリー伝送に関連する情報をグラントフリーＵＥ２２０に通知するために用いられ得る。
【００３９】
ＲＲＣシグナリングは、本明細書ではＧＦ‐ＲＮＴＩと称され得る、サーチスペース及びＧＦ伝送に関するさらなる制御シグナリングのスクランブルＣＲＣを定義するために用いられるグラントフリー無線ネットワーク一時識別子（ＲＮＴＩ）のような、グラントフリーＩＤフィールドを含んでよい。ＲＲＣシグナリングは、セルＲＮＴＩ（Ｃ‐ＲＮＴＩ）又はＧＦ−ＲＮＴＩ及びＣ‐ＲＮＴＩの組み合わせのような他のＩＤフィールドを含んでもよい。ＧＦ−ＲＮＴＩは、グラントフリー（ＧＦ）リソース構成、ＧＦリソース／伝送のアクティブ化／非アクティブ化、ＧＦ伝送のＨＡＲＱ  ＡＣＫ／ＮＡＣＫ、グラントベースの再伝送、及び任意の他のＧＦ関連シグナリングのために用いられる制御シグナリングに用いられ得る。ＲＲＣシグナリングは、以下のフィールドのうち１又は複数を含んでもよいが、以下のフィールドに限定されるものではない。説明されるすべてのフィールドは任意選択的でもある。ＲＲＣシグナリングは、追加的又は代替的に、ＵＬ（ｇｆ‐ＣｏｎｆｉｇＵＬなど）を構成するための、及び／又はダウンリンク（ＤＬ）（ｇｆ‐ＣｏｎｆｉｇＤＬなど）を構成するための１又は複数の構成スーパーフィールドを含んでよい。ここで、グラントベースの再伝送は、スケジューリンググラントがネットワークにより送信され、グラントフリー伝送を用いて最初に伝送されたデータの再伝送を認可することを意味する。図２Ａにより説明されるグラントフリー伝送のために用いられるグラントフリーＲＮＴＩは、グラントフリー伝送の物理アップリンク共有チャネル（ＰＵＳＣＨ）データをスクランブル処理するために用いられてもよい。Ｃ‐ＲＮＴＩは、グラントベースの伝送に用いられる標準ＵＥ  ＩＤである。例えば、Ｃ‐ＲＮＴＩは、グラントベースの伝送用のＤＣＩグラント、又はグラントベースの伝送を用いて伝送されたデータの再伝送用のＤＣＩグラントのＣＲＣをマスクするために用いられ得る。Ｃ‐ＲＮＴＩは、グラントベースデータ伝送のＰＵＳＣＨデータをスクランブル処理するためにも用いられ得る。
【００４０】
ＵＬ構成スーパーフィールドにおける、又はＲＲＣシグナリングに直接含まれるフィールドは、以下の例を含み得るが、それらに限定されるものではない。
【００４１】
ｇｒａｎｔ‐ｆｒｅｅ＿ｆｒａｍｅ＿ｉｎｔｅｒｖａｌ＿ｆｏｒ＿ＵＬ  ｆｉｅｌｄは、サブフレームの数に関してリソースホッピングパターンの周期性を定義し得る。それはフレーム長を使用し得て、この場合フィールドは任意選択的であり得て、システムのために定義されたフレーム長はデフォルトで用いられ得る。
【００４２】
ｇｒａｎｔ‐ｆｒｅｅ＿ａｃｃｅｓｓ＿ｉｎｔｅｒｖａｌ_ＵＬフィールドは、２つのグラントフリー伝送機会間の間隔を定義し得る。指定無しの場合、値はデフォルトで１であり得る。
【００４３】
ＬＴＥ半永続的スケジューリング（ＳＰＳ）に用いられるものと同様の目的を機能し得る電力制御関連パラメータのフィールドも存在し得る。
【００４４】
ｃｏｎｔｅｎｔｉｏｎ＿ｔｒａｎｓｍｉｓｓｉｏｎ_ｕｎｉｔ＿（ＣＴＵ）＿ｓｉｚｅ_ｆｒｅｑｕｅｎｃｙフィールドは、周波数領域又はＣＴＵ領域ブロックサイズにおいてＣＴＵ毎に用いられるリソースブロックの数を定義してよい。時間領域は、デフォルトでサブフレーム又はＴＴＩであり得る。そのため、周波数領域のみが必要であり得る。フィールドがブロードキャストシグナリング（ＳＩＢなど）において定義された場合、又は相補ＤＣＩシグナリングがある場合、当該フィールドは必要ない。コンテンション伝送ユニット（ＣＴＵ）は、１つのグラントフリー伝送に用いられる時間及び周波数リソースを含み得る。
【００４５】
ＣＴＵサイズがブロードキャストシグナリングで定義される場合、ＣＴＵのサイズはセル固有である。ＣＴＵサイズが上位層シグナリング（例えば、ＲＲＣシグナリング）又はＤＣＩシグナリングでシグナリングされる場合、ＣＴＵのサイズはＵＥ固有であり得て、異なるＵＥで同じ又は異なるようにもできる。いくつかの実施形態において、ＣＴＵサイズは仮想リソースブロック（ＶＲＢ）又は物理リソースブロック（ＰＲＢ）の数により示される。いくつかのシナリオにおいて、ＣＴＵサイズは、リソースホッピングに用いられるグラントフリーサブバンドサイズと同じであり得る。この場合、グラントフリーサブバンドサイズが予め定義されているか又はシグナリングされているとき、ＣＴＵサイズは明示的にシグナリングされる必要がなくてよい。
【００４６】
ｇｒａｎｔ‐ｆｒｅｅ＿ｆｒａｍｅ＿ｉｎｔｅｒｖａｌ＿ｆｏｒ＿ＵＬフィールドは、リソースホッピングパターンの周期性を定義し得る。周期性は、サブフレームの数又は任意の他の時間ユニットに関して定義され得る。フィールドは、デフォルトとしてフレーム長を用いてよく、この場合フィールドは任意選択的であり得る。すなわち、システムのために定義されるフレーム長はデフォルトで用いられるかもしれない。
【００４７】
ｇｒａｎｔ‐ｆｒｅｅ＿ａｃｃｅｓｓ＿ｉｎｔｅｒｖａｌ＿ｉｎ＿ｔｈｅ＿ｔｉｍｅ＿ｄｏｍａｉｎフィールドは、２つの隣接するグラントフリー伝送リソース（指定無しの場合デフォルトで１である）間の時間間隔を定義し得る。このフィールドは、グラントフリー伝送リソースの周期性をシグナリングするために用いられてもよく、ＬＴＥ  ＳＰの周期性フィールドと同様の機能を提供してもよい。
【００４８】
ｒｅｓｏｕｒｃｅ＿ｈｏｐｐｉｎｇ＿ｐａｔｔｅｒｎフィールドは、リソースホッピングパターンを定義し得る。いくつかの実施形態において、リソースホッピングパターンフィールドは、グラントフリースケジューリング間隔ＵＬ値に等しい単位時間を有する各時間間隔における各フレームでの周波数位置インデックスのシーケンスとして定義される。いくつかの実施形態において、リソースホッピングパターンフィールドは、一般に各時間間隔における各フレームでの周波数位置インデックスのシーケンスとして定義される。時間間隔はＴＴＩ、スロット、タイムスロット、サブフレーム、ミニスロット、ＯＦＤＭシンボル、ＯＦＤＭシンボルの数、又は任意の時間ユニットであり得る。いくつかの実施形態において、リソースホッピングパターンフィールドは、各フレームにおける各時間間隔でのＣＴＵインデックスのシーケンスとして定義される。リソースホッピングパターンは、１）予め定義されたリソース割り当てルールから定義される単一のＵＥインデックス、２）各時間間隔の周波数インデックスを示すリソースホッピングインデックスシーケンス、又は３）各タイムスロットで用いられ得る実際の物理時間／周波数リソースの任意の暗黙的又は明示的なシグナリングのうち任意の１つの形式でグラントフリーＵＥに提供され得る。
【００４９】
ｒｅｆｅｒｅｎｃｅ＿ｓｉｇｎａｌ＿（ＲＳ）  ＿ｈｏｐｐｉｎｇ＿ｓｅｑｕｅｎｃｅフィールドは、ＲＳホッピングシーケンスを定義し得る。フレームｎで用いられるべきＲＳのインデックスが含まれ得る。ＲＳは、更新がシグナリングされるまでＵＥに固定されてよく、用いられるＲＳは経時的に変化してよい。ＲＳが時間間隔毎に変化する場合、フィールドは、各時間間隔でのインデックスのシーケンスを含んでよい。ＲＳホッピングシーケンスは、相補ＤＣＩが利用可能な場合、必要なくなってよい。ＲＳホッピングシーケンスが、１）固定ＲＳ、及び２）各フレームにおけるＲＳホッピングシーケンスのうち任意の１つの形式でグラントフリーＵＥに提供されてよい。
【００５０】
ｍｕｌｔｉｐｌｅ＿ａｃｃｅｓｓ＿（ＭＡ）  ＿ｓｉｇｎａｔｕｒｅ  ｏｒ  ＭＡ＿ｓｉｇｎａｔｕｒｅ＿ｔｕｐｌｅ  ｏｒ  ＭＡ＿ｓｉｇｎａｔｕｒｅ＿ｈｏｐｐｉｎｇ＿ｐａｔｔｅｒｎフィールドは、伝送及び再伝送を送信するためにＵＥにより用いられてよい。ＭＡ署名は、コードブック／コードワード、シーケンス、インタリーバ及び／又はマッピングパターン、パイロット、復調参照信号（例えば、チャネル推定のための参照信号）、プリアンブル、空間次元、及び電力次元のうち少なくとも１つを含んでよい（しかし、それに限定されるものではない）。ＭＡ署名フィールドは、ＲＳ又はＲＳホッピングフィールドと同様であり得るが、ＭＡ署名フィールドは署名／コードブック／シーケンス、又はスパースコード多元接続（ＳＣＭＡ）などの多元接続スキームに用いられる任意の他のＭＡ署名を示し得る。
【００５１】
いくつかの実施形態において、ＣＴＵ及びリソース／ＲＳホッピングパターンは、割り当てられたＶＲＢ／ＰＲＢ及びホッピングシーケンスの組み合わせを用いてシグナリングされ得る。そのようなシグナリングスキームは、以下でより詳細に説明される。割り当てられたＶＲＢ／ＰＲＢは、ＶＲＢインデックス又はＰＲＢインデックスであり得る。ＶＲＢインデックス又はＰＲＢインデックスは、例えば、開始ＲＢインデックス又は開始リソースブロックグループ（ＲＢＧ）インデックスをＲＢの数又はＲＢＧの数と共に用いてシグナリングされ得る。ＲＢＧは、１つより多いＲＢからなるＲＢのグループを指す。
【００５２】
ＭＣＳフィールドは、相補ＤＣＩシグナリングが用いられていない場合、ＭＣＳ情報を提供する。ＭＣＳ情報は、ＵＥ固有又はリソース固有であってよい。ＭＣＳフィールドは、ＵＥに対する初期伝送の後にＭＣＳが低減されるべきか（又はどの程度の量が低減されるべきか）を示してもよい。例えば、ＭＣＳホッピングパターンは、グラントフリーアップリンク伝送のためにＵＥに割り当てられてよい。ＭＣＳホッピングパターンは、初期伝送が高ＭＣＳを有し得て、第１再伝送がより低いＭＣＳを有し得て、及び第２再伝送がさらに低いＭＣＳを有し得ることなどを示してよい。
【００５３】
繰り返しの数Ｋ又は繰り返しの最大数ＫはＵＥにより実行されてよい。例えば、ＵＥはＡＣＫが受信されるまで再伝送を送信し続けるように構成されているが、最大Ｋ回の再伝送までのみであるように構成されてよい。又はＵＥは繰り返し間にいかなるフィードバックもなくＫ回の繰り返しを実行するように構成されてよい。Ｋ回の繰り返しが送信され、ＡＣＫがまだ受信されていない場合、ＵＥはもう繰り返しを送信せず、ＵＥはデータが基地局により受信されていないか、又は正しく復号されていないとみなす。
【００５４】
ＬＴＥ半永続的スケジューリング（ＳＰＳ）に用いられるものと同様の目的を機能し得る電力制御関連パラメータのフィールドも存在し得る。
【００５５】
サーチスペースフィールドは、さらなるＤＣＩグラントに用いられてよく、ＤＣＩグラントはＧＦ＿ＩＤ又はグループ＿ＩＤにより予め定義されてもよい。ＧＦ＿ＩＤは、ＧＦ−ＲＮＴＩなどのグラントフリーＵＥ  ＩＤである。グループ＿ＩＤは、本開示に説明される１つより多いＵＥを標的化するｇｒｏｕｐ＿ＲＮＴＩなどのグループベースＵＥ  ＩＤである。サーチスペースは、伝送されるＵＥに対するＤＣＩグラントの潜在的時間周波数位置を定義する。サーチスペースは、ＧＦ−ＲＮＴＩ又はＣ‐ＲＮＴＩの関数であり得る。
【００５６】
ＲＲＣフォーマットは、ＵＥはグラントフリーＵＥである、又はグラントフリーリソースを用いて伝送することを許可されるというインジケーションを含み得る。ＲＲＣフォーマットは、ＤＣＩを用いてさらなる命令を復号するために用いられる、グラントフリーＵＥ  ＩＤ（ＧＦ−ＲＮＴＩなど）又はグループベースＩＤ（ｇｒｏｕｐ＿ＲＮＴＩなど）を含み得る。
【００５７】
上記に説明されるＲＲＣシグナリングの内容は、図２Ａのシナリオに限定されるものではなく、本明細書に説明されるすべての他の例、図、シナリオを含み、すべてのグラントフリーリソース構成シナリオに適用することができる。
【００５８】
図２Ａの例において、グラントフリーＵＥ２２０はサーチスペース内のＤＣＩを常時検査する必要はなく、グラントフリー伝送をアクティブ化するためのＤＣＩを必要としない。ＤＣＩは、ＵＥ２２０にさらなる制御シグナリングを提供し得る。いくつかの実施形態において、グラントフリーＵＥ２２０はさらに、可能なアクティブ化、非アクティブ化、リソース更新、グラントベーススケジューリング、又はＤＣＩを介して送信され得る任意の他の制御情報のためのＤＣＩをモニタしてよい。
【００５９】
いくつかの実施形態において、ＵＥはＤＣＩがシグナリングされるかどうかをモニタする。そして、ＲＲＣシグナリングは、ＵＥがダウンリンク制御チャネルをモニタする必要があるかを含んでもよい。グラントベースアップリンク通信において、ＵＥは、ＵＥに通信されている、例えば、ＵＥのためのスケジューリンググラントを受信するＤＣＩのためのダウンリンク制御チャネルを定期的にモニタしてよい。しかしながら、ＵＥがグラントフリーアップリンク伝送を実行するように構成されている場合、ＵＥはそれほど頻繁にダウンリンク制御チャネルをモニタする必要がなくてもよく、又はＵＥは全くダウンリンク制御チャネルをモニタする必要がなくてもよい。グラントフリーアップリンク伝送を実行するＵＥがどれほどの頻度で（もしあれば）ダウンリンク制御チャネルをモニタする必要があるかはネットワークにより設定され得る。例えば、グラントフリーアップリンク伝送を実行するＵＥは、Ｔサブフレーム毎に一回ダウンリンク制御チャネルをモニタするように構成されてよく、Ｔはネットワークにより構成されるパラメータである。
【００６０】
図２Ａ、図２Ｂ、図３Ａ及び図３Ｂの段階の開始の前に、システム情報は、基地局により定期的に伝送されてよい。システム情報は、ＵＥにより用いられるべき情報を含んでよい。ＵＥにより用いられる情報がシステム情報に定義されていない場合、当該情報はＲＲＣシグナリング及び／又はＤＣＩメッセージで提供されてよい。
【００６１】
図２Ａに示されるように、段階２０１で、グラントフリー伝送が可能なＵＥ２２０は最初に、基地局２３０によりサポートされるネットワークに入り、例えば、ＬＴＥネットワークにおけるランダムアクセス手順の一部としてのランダムアクセス（ＲＡ）チャネル（ＲＡＣＨ）を介してプリアンブルを送信することにより初期アクセスを実行する。ＵＥ２２０は、例えばＵＥ２２０が小さいデータパケットを大量に伝送することを予想している場合に、ＵＥ２２０がグラントフリー伝送可能であることを示すインジケーションを基地局２３０にシグナリングしてよい。
【００６２】
段階２０２で、基地局２３０はＲＡＣＨ  ＲＡプリアンブル又は初期アクセスに用いられる任意の他の信号を受信し、ＵＥ２２０により用いられるべきＵＬ伝送リソースを選択する。一実施形態が、ＵＬ伝送リソースはフレーム内の予め定義された多元接続（ＭＡ）ホッピングパターンを有することを提供する。例えば、ＭＡホッピングパターンは、フレーム内の予め定義された時間／周波数リソースホッピングパターン及び／又は予め定められたＲＳホッピングパターンを含んでよい。ＭＡホッピングパターンは、汎用ＲＳ、及びアップリンクグラントフリーＭＡ伝送において異なる数のＵＥをサポートする伝送リソースマッピングスキームを提供する。基地局２３０は、ネットワークからの予め定義されたＭＡホッピングパターンを、例えばＭＡホッピングパターンを保存するために取得してもよく、又は基地局２３０は、予め定義されたパターン生成スキーム又は予め定義されたルールに基づいて、ＭＡホッピングパターンを生成することによりＭＡホッピングパターンを取得してもよい。ＭＡホッピングパターンに加えて、ＲＲＣシグナリングに含まれ、ＵＥ２２０に伝送される伝送リソースを定義するために用いられる様々な他のエレメントがある。
【００６３】
段階２０３で、基地局２３０は、グラントフリーＵＥ２２０に用いられるべき伝送リソースを選択した後に、ＲＲＣシグナリングを介してＵＥ２２０にＵＬ伝送リソース割り当てを送信する。
【００６４】
段階２０４で、グラントフリーＵＥ２２０は利用可能なＵＬ伝送リソースを決定する。いくつかの実施形態において、ＵＥ２２０は、伝送リソース割り当てを受信した後に、予め定義されたルールに基づいて伝送リソースを導出し得る。代替的に、ＵＥ２２０は、上記の伝送リソース割り当てを受信した後に、テーブル及び予め定義された伝送リソースホッピングパターンを検索し得る。ＵＥ２２０は、予め定義された伝送リソースパターン及びテーブルを保存し得る。さらに、更新情報を指示するためのシグナリングを受信した後に、ＵＥ２２０は予め定義された伝送リソースパターン及びテーブルを更新し得る。
【００６５】
段階２０５で、第１のバッチデータは基地局２３０への伝送のためにグラントフリーＵＥ２２０に到着する。
【００６６】
段階２０６で、第１のバッチデータが到着した後、ＵＥ２２０は、割り当てられたグラントフリー伝送リソースに基づいて第１のバッチデータ伝送を伝送する。グラントフリーリソースは、ＵＥ２２０に半静的に割り当てられてよい。「半静的」は本明細書において、タイムスロット毎に動作する「動的」オプションと比較して用いられる。例えば、半静的は、２００又はより多いタイムスロットなどの所与の期間で定期的に動作し得る。グラントフリーＵＥ２２０が割り当てられたリソースを取得すると、ＵＥ２２０はデータが到着した直後に、グラントを取得することなく、割り当てられたリソースを用いてデータを伝送してよい。ＵＥ２２０は、割り当てられたＵＬ伝送リソースを用いて第１のバッチデータの初期伝送を伝送してよい。いくつかの実施形態において、第１のバッチデータがグラントフリーＵＥのバッファに到着すると、ＵＥ２２０は、次の時間間隔のＣＴＵ領域、又はＵＥ２２０に割り当てられたリソースからＵＥ２２０がアクセスできる次の機会を決定する。ＵＥ２２０は、データが到着した後に、ＣＴＵアクセスのための次の時間間隔を決定し、ＵＥ２２０は、割り当てられたリソースホッピングシーケンスに基づいて、当該時間間隔でのＣＴＵ領域をサーチする。そしてＵＥ２２０は、そのＣＴＵ領域及び当該ＣＴＵ領域割り当てられたＲＳを用いてデータの第１のバッチの初期伝送を伝送してよい。伝送は、ＲＳ信号及びデータ信号を含んでよい。
【００６７】
段階２０７において、基地局２３０は、第１のバッチデータ伝送を受信した後にデータを検出する。いくつかの実施形態において、ＵＥ２２０が基地局２３０にメッセージを送信した場合、基地局２３０は最初に、ＭＡ署名を検出することを試みる。ＭＡ署名の検出は、アクティビティ検出と称される。アクティビティ検出を成功裏に実行することにより、基地局２３０は、ＵＥ２２０がグラントフリーアップリンク伝送を送信したことを認識する。しかしながら、アクティビティ検出の成功は、基地局２３０に対してＵＥの２２０の識別情報を明らかにしてもよく、しなくてもよい。ＵＥとＭＡ署名との間に予め定義されたＲＳパターンがある場合、アクティビティ検出の成功は、グラントフリーアップリンク伝送を送信したＵＥの識別情報を明らかにする。いくつかの実施形態において、例えば、ＵＥ  ＩＤがデータから個別に符号化される場合、アクティビティ検出は、ＵＥ  ＩＤを取得することをさらに含んでよい。
【００６８】
段階２０７で取られたアクションの一部として、アクティビティ検出が成功した場合、基地局２３０は、データメッセージで多重化されたＭＡ署名及び任意選択的に追加参照信号に基づいてチャネル推定を実行することを試みて、基地局２３０はデータを復号する。
【００６９】
段階２０８において、基地局２３０は、段階２０７での復号結果に基づいてＡＣＫ又はＮＡＣＫを送信する。基地局２３０は、ＲＳ信号の復号による最初の実行アクティビティ検出により第１のバッチデータの初期伝送の復号を試みて、ＲＳ信号を用いてチャネル推定を実行し、そしてデータの復号を試みる。基地局２３０が、データの復号に成功できた場合、基地局（ＢＳ）は、復号の成功を確認するためにＵＥ２２０にＡＣＫを送信してよい。基地局２３０がデータを成功裏に復号しない場合、基地局２３０はＵＥ２２０にＮＡＣＫを送信してもよく、又はフィードバックを一切送信しなくてもよい。いくつかの実施形態において、段階２０６におけるデータの第１のバッチの初期伝送の後に、ＵＥ２２０は、段階２０３におけるリソース割り当てに従って次の利用可能なリソースを用いてデータの第１のバッチを直ちに再伝送することを選択してよい。他の実施形態において、ＵＥ２２０は予め定義された期間だけ待機してよく、ＵＥ２２０が予め定義された期間内にＡＣＫを受信した場合、ＵＥ２２０は再伝送を実行しない。ＵＥ２２０が予め定義された期間内にＡＣＫを受信しない場合、ＵＥ２２０は、予め定義された期間の後に、次の利用可能なＣＴＵリソースで第１のバッチデータを再伝送してよい。
【００７０】
ＵＥ２２０は、サーチスペースをサーチすることで、ＰＨＩＣＨなどの専用のＡＣＫ／ＮＡＣＫチャネル、又はＤＣＩ又はグループＤＣＩのどちらか一方を介して伝送され得るＡＣＫ／ＮＡＣＫフィードバックを検査してよい。
【００７１】
図２Ａにおいて、グラントフリーＵＥ２２０は第２のバッチデータ伝送を受信し、第１のバッチデータ伝送を再伝送していないため、基地局２３０は段階２０８においてＡＣＫを伝送したと仮定する。ＵＥ２２０は、取得された伝送リソースに基づいて、ＵＥ２２０に伝送リソースを割り当てる対応する伝送リソース割り当てをネットワークエンティティと通信することなく、段階２０９での第２のバッチデータを伝送する。段階２１０及び２１１は、それぞれ段階２０７及び２０８と同様である。
【００７２】
段階２０８において、基地局２３０がＮＡＣＫを送信済である場合、ＵＥ２２０は、ＲＲＣシグナリングで定義された割り当て伝送リソース、又はＵＥ２２０に提供される代替伝送リソースに基づいて第１のバッチデータ伝送を再伝送する。
【００７３】
いくつかの実施形態において、ＵＥ２２０は、ＰＨＩＣＨなどの専用のＡＣＫ／ＮＡＣＫチャネルのみを検査してよいが、第１の伝送の後はＤＣＩを検査しない。したがって、ＵＥ２２０は、グラントフリー伝送及び再伝送のみを実行してよい。ＵＥ２２０は、第１の伝送の後でさえも、ＤＣＩの検査に必要とされないことで、エネルギーを節約し得る。
【００７４】
図２Ａの段階２０６から２０９、及び基地局からのグラントフリー伝送／再伝送及びＨＡＲＱ応答の関連する説明は、前の段階において割り当てられたグラントフリーリソースに基づくグラントフリー伝送／再伝送詳細の一例に過ぎない。グラントフリー伝送／再伝送及び所与のグラントフリーリソース割り当てに対するＨＡＲＱ応答のための他の段階があり得る。グラントフリーリソース割り当て及びシグナリングは、これらすべてのグラントフリー伝送／再伝送にさらに適用し得る。いくつかの実施形態において、基地局（ＢＳ）は、グラントフリー伝送に対するＨＡＲＱ応答としてＤＣＩシグナリングを介してＵＬグラントを代わりに送信してよい。グラントは、再伝送グラントであり得る。すなわち、ＢＳはグラントフリー伝送で伝送されたデータの再伝送のためのアップリンクグラントを送信し得る。そしてＵＥは、このアップリンクグラントに従って再伝送を送信し得る。この場合、ＲＲＣが構成されたＧＦ−ＲＮＴＩは、グラントフリー伝送の再伝送グラントのＣＲＣをスクランブル処理するために用いられてよい。いくつかの実施形態において、ＵＥは、再伝送グラントを示すＤＣＩが受信されるまで、又は繰り返しの数が数Ｋに達するまで再伝送又は繰り返しを続けてよく、ＫはＵＥ固有のＲＲＣシグナリングで予め構成され得る。再伝送のためのＤＣＩで送信されたＵＬグラントをＵＥが受信した場合、ＵＥは、再伝送ＵＬグラントにより示されるリソースを用いてグラントフリー伝送のデータを再伝送する。
【００７５】
いくつかの実施形態において、非ＤＣＩシグナリング（例えば、ＲＲＣシグナリング）を用いて構成されたグラントフリーリソースの場合、図２Ａにおいて示される例として、ＵＥに割り当てられたグラントフリーリソースはさらに、半静的（例えば、ＲＲＣを介して）に又は動的（例えば、ＤＣＩを介して）に更新又は解放されてよい。
【００７６】
いくつかの実施形態において、非ＤＣＩシグナリング（例えば、ＲＲＣシグナリング）を用いて構成されたグラントフリーリソースの場合、図２Ａに示される例として、リソースが上位層シグナリングによりすでに構成されていても、ＵＥがグラントフリー伝送を伝送し得る前に、ＵＥはさらにＤＣＩアクティブ化を待機してよい。ＤＣＩアクティブ化は、リソース構成情報をさらに含んでもよく、含まなくてもよい。ＵＥのためのグラントフリーリソースは、ＤＣＩを動的に用いること又はＲＲＣシグナリングを半静的に用いることで無効化／非アクティブ化されることもあり得る。
【００７７】
図２Ｂは、上位層シグナリング（例えば、ＲＲＣシグナリング）及び相補ＤＣＩシグナリングの組み合わせを用いるグラントフリーリソース構成の実施手順２６０を示す。図２Ｂ及び図２Ａの複数の例の間の差は、図２Ｂにおいて、ＵＥ２２０は、ＵＥ２２０がグラントフリー伝送を実行し得る前にリソースの構成のためのＤＣＩ信号を受信する必要とし得るということである。図２Ｂにおいて、ＵＥ２２０は、ＲＲＣシグナリングの後にＤＣＩをモニタする必要とし得る。ＤＣＩシグナリングは、ＵＥ２２０に追加の関連情報を提供するために用いられてよい。
【００７８】
グラントフリーリソースシグナリングフィールドは図２Ａの例と同様であってよく、ＲＲＣシグナリングフィールドは図２Ａに関連して説明されるフィールドの一部又は全部を含んでよい。しかしながら、いくつかの実施形態において、ＲＲＣシグナリングにおけるいくつかのフィールドは、ＤＣＩアクティブ化／構成段階に代わりに移動されてよい。これらのフィールドは、一般的にリソースブロック割り当て及びリソースホッピングパターン、ＭＣＳ、ＲＳ、及びＲＳホッピングパターンのようなＤＣＩグラントで用いられる情報を含んでよい。
【００７９】
ＵＬのグラントフリー伝送のための図２Ｂの実施手順は、ＲＲＣシグナリングと共に相補ＤＣＩシグナリングを用いる段階を含む。ＤＣＩシグナリングは、アクティブ化又は非アクティブ化として機能してよい。アクティブ化及び非アクティブ化インジケータは、ＤＣＩメッセージを用いて基地局２３０により送信され、ＵＥ２２０がグラントフリー伝送を許可されている又は許可されていないことを示す。この場合、ＤＣＩアクティブ化は、グラントフリーリソース割り当てのためのさらなる情報を提供し得る。ＤＣＩがアクティブ化されなければ、ＵＥ２２０は、ＲＲＣシグナリングを単独で用いてグラントフリー伝送のための十分な情報を取得できない可能性がある。
【００８０】
いくつかの実施形態において、ＤＣＩは以下のフォーマットを有し得る。
【００８１】
【表１】
2020513177.tif 000003
【００８２】
第１のＲＳ値及び第１のリソースブロック（又は仮想リソースブロック割り当て）をリソースホッピングシーケンス及びＲＳホッピングシーケンス（又は単にフレームに対して予め定められたＲＳホッピングルール）の組み合わせに基づいて、ＵＥ２２０は、各ＣＴＵでの特定のリソース／ＲＳ割り当てを把握することができる。
【００８３】
ＲＲＣシグナリングは、グラントフリーＵＥ  ＩＤ又はグループＩＤをＵＥのグループに割り当てる。ＲＲＣシグナリングは、ＤＣＩアクティブ化をどこでサーチするべきかをＵＥ２２０が認識するように、サーチスペースの定義も含む。サーチスペースは、ＵＥ  ＩＤ（例えば、ＧＦ−ＲＮＴＩ）又はグループＩＤ（例えば、ｇｒｏｕｐ＿ＲＮＴＩ）により定義されてもよい。ＲＲＣシグナリングを受信した後でもさらに、ＵＥ２２０はさらなるＤＣＩシグナリングを受信するまでグラントフリー伝送を実行することができない。いくつかの場合に、ＤＣＩシグナリングはグラントフリー伝送のアクティブ化としての役割を果たし得る。いくつかの実施形態において、ＤＣＩシグナリングは、ＵＥ２２０のためのグラントフリーリソースを指定することを助けるために半静的相補シグナリングとしての役割を果たし得る。いくつかの実施形態において、ＤＣＩシグナリングはアクティブ化及びリソース構成の両方としての役割を果たし得る。ＵＥ２２０は、ＤＣＩアクティブ化を受信するまで待機する必要があり得る。したがって、ＵＥ２２０は、アクティブ化及び非アクティブ化インジケータのためのサーチスペースをモニタする必要があり得る。グラントフリーＵＥ２２０は、グラントフリー伝送のアクティブ化又は非アクティブ化のための割り当てられたグラントフリー又はグループＩＤを用いてＤＣＩを復号する。
【００８４】
図２Ｂの段階２４１及び２４２は、図２Ａにおける段階２０１及び２０２と同じである。
【００８５】
図２Ｂにおける段階２４３は、図２ＢにおけるＲＲＣシグナリングがグラントフリーＩＤを含むことを除き、図２Ａにおける段階２０３と同様である。
【００８６】
図２Ｂにおける段階２４４は、ＲＲＣシグナリングにおいて定義されたサーチスペースでのアクティブ化、又は場合によってＲＲＣ及びシステムシグナリングの組み合わせを含むＤＣＩメッセージをＵＥ２２０がチェックする段階を含む。
【００８７】
段階２４５で、基地局２３０はＤＣＩアクティブ化メッセージをＵＥ２２０に送信する。
【００８８】
図２Ｂにおける段階２４６、２４７、２４８、２４９及び２５０は、図２Ａにおける段階２０４、２０５、２０６、２０７及び２０８と同じである。
【００８９】
図２Ｂにおける段階２５１で、基地局２３０はＤＣＩ非アクティブ化メッセージをＵＥ２２０に送信する。非アクティブ化した後、ＵＥはＧＦリソースを解放してよく、再アクティブ化信号までＧＦ伝送を実行することができないようになる。
【００９０】
図３Ａは、グループ割り当てと共にＲＲＣシグナリングを用いる段階を含むＵＬのグラントフリー伝送のための実施手順３００を示す。ＲＲＣシグナリングは、グループＩＤ（例えば、本明細書ではｇｒｏｕｐ＿ＲＮＴＩと表され得るグループＲＮＴＩ）をグラントフリーＵＥ３２０に割り当てる。同じグループ内の他のＵＥは、ＲＲＣシグナリングがＵＥ固有であるので、他のＵＥがそれぞれ有しているＲＲＣシグナリングを介して同じグループＩＤを与えられ得る。基地局３３０は、ＵＥ３２０へ（例えば、ＲＲＣにおける）ＵＥインデックス又はグループ内の複数のＵＥインデックスをシグナリングしてもよい。ＵＥインデックスは、ＵＥの３２０のリソース、ＲＳ、ＭＣＳのようないくつかの情報を導出するために用いられ得る。ＵＥ３２０は、グループＩＤ（ｇｒｏｕｐ＿ＲＮＴＩ）が割り当てられたグラントフリーＵＥのグループにアドレス指定されているさらなるＤＣＩメッセージを伝送リソースの予め定義されたサーチスペースでサーチするように構成されている。図３Ａにおいて、ＵＥ３２０は、第１の伝送の前にグループＤＣＩを検査する必要はなくてよい。いくつかの実施形態において、ＵＥ３２０は、ＲＲＣ構成の後にＤＣＩ又はグループＤＣＩを検査してもよい。
【００９１】
図３Ａにおける段階３０１及び３０２は、図２Ａにおける段階２０１及び２０２と同様である。
【００９２】
図３Ａにおける段階３０３は、段階３０３におけるＲＲＣシグナリングがグループＩＤを含むことを除き、図２Ａにおける段階２０３と同様である。
【００９３】
図３Ａにおける段階３０４、３０５及び３０６は、図２Ａにおける段階２０４、２０５及び２０６と同様である。
【００９４】
段階３０７において、基地局３３０がデータを検出すると、基地局３３０は、段階３０８で示されるようにＡＣＫ又はＮＡＣＫを含むＤＣＩメッセージを送信する。ＵＥ３２０がＡＣＫを受信する場合、ＵＥはいかなる再伝送も実行しない可能性がある。ＵＥ３２０がＮＡＣＫを受信する場合、ＵＥ３２０は再伝送を実行し得る。再伝送は、構成されたグラントフリーリソースにおいて実行され得る。ＡＣＫ及びＮＡＣＫは、グラントフリー伝送を実行するためにＢＳによってＵＥに提供されるＨＡＲＱフィードバックのいくつかの例であることを留意されたい。再伝送に対する他のタイプのＨＡＲＱフィードバック及びＵＥからの応答が存在する。例えば、ＢＳは、グラントフリー伝送を介してＵＥにより伝送されるデータの再伝送のためにＤＣＩシグナリングにおけるＵＬグラントを送信することによりＨＡＲＱフィードバックを提供してもよい。この場合、ＵＥはＵＬグラントによる再伝送を実行するためにＵＬグラントに従ってよい。
【００９５】
段階３０９において、グラントフリーＵＥ３２０はＤＣＩシグナリングを検査する。ｇｒａ‐ｆｒｅｅＵＥ３２０は、予め定義されたサーチスペースを検査し、グループＩＤを用いて、リソース割り当てのさらなる命令及び他の命令のためのＤＣＩを復号する。
【００９６】
段階３１０において、基地局３３０は、グループ識別子と共にＤＣＩを用いる新たな伝送リソースを割り当て又は更新する。
【００９７】
第２のバッチデータ伝送がＵＥ３２０に到着した場合、ＵＥ３２０は、グループＤＣＩからの更新された伝送リソースに基づいて、段階３１１における第２のバッチデータを伝送する。段階３１２及び３１３は、段階３０７及び３０８と同様である。
【００９８】
図３Ｂは、グラントフリーリソースの構成が上位層シグナリング及び、ＤＣＩ又はグループＤＣＩシグナリングの組み合わせを含み得ることを除き、図３Ａの例と同様の例を提供する。段階３４１、３４２及び３４３は、図３Ａにおける段階３０１、３０２及び３０３と同じ動作をする。ＵＥは、ＵＥがグラントフリー伝送を実行し得る前に、アクティブ化及び構成情報のためにＤＣＩ又はグループＤＣＩを受信する必要があり得る。段階３４４で、ＵＥは、グループＩＤを用いてグループＤＣＩを検査する。段階３４５で、基地局はさらなるＧＦリソース割り当て及びＧＦ伝送のアクティブ化のためにグループＤＣＩを伝送する。段階３４６で、ＵＥはすべてのＵＬ伝送リソースを取得する。段階３４７、３４８、３４９及び３５０は、図３Ａにおける段階３０５、３０６、３０７及び３０８と同じ動作をする。ＧＦ伝送を非アクティブ化するために、段階３５１において送信される非アクティブ化信号もあり得る。その後、ＵＥの以前に構成されたＧＦリソースは解放され得て、ＵＥは、さらなるアクティブ化シグナリングまでさらなるグラントフリー伝送を停止し得る。
【００９９】
いくつかの実施形態において、１つの動作モードは、上位層シグナリング構成のためのものであり、グラントフリー（ＧＦ）リソースは、いくつかのシナリオの場合には動的ＤＣＩシグナリングによりアクティブ化及び非アクティブ化される可能性もある。ＤＣＩ非アクティブ化の１つのモチベーションは、第１のタイプのトラフィックのＧＦリソースを動的且つ迅速に解放し、いくつかの場合においては第２又はそれより多い他のタイプのトラフィックに用いられ、後でアクティブ化により、必要に応じて第１のタイプのトラフィックにリソースを戻して動的に構成するようになる。
【０１００】
他の実施形態において、グラントフリーからグラントベース（ＧＦ２ＧＢ）への切り替えは、いくつかの場合（例えば、非常利用）において、第１のタイプのトラフィックのために構成されたＧＦリソースを、第２又はより多い他のタイプのトラフィックが用いるようにスケジューリングし得る。例えば、ｇＮＢが低リソース利用度を認識し得る場合又はＧＦリソースにおける第１のトラフィック（例えば、ＶｏＩＰ）の知識を利用する場合、他のタイプのトラフィックが第１のタイプのトラフィックＧＦリソースを一時的に用いるようにスケジューリングできる。
【０１０１】
いくつかの実施形態において、ＧＦ伝送のための第１のタイプのトラフィックに対する半静的構成の場合、及びいくつかの場合（例えば、非常利用）において、ｅＮＢは、第１のタイプのトラフィックのＧＦリソースを（リリースすることなく）一時的利用に用いるために、（１又は複数の）他のタイプのトラフィックに対するグラントを直接スケジューリングできる。
【０１０２】
いくつかの実施形態において、ＧＦトラフィック及びグラントトラフィックの両方が過負荷である極端な場合、トラフィック許可に対する許可制御が適用され得るか、又はシステムがトラフィックをサポートするためにより多いリソース（例えば、システム帯域幅の増加）を一時的に又は恒久的に割り当てることができる。
【０１０３】
グラントフリー及びグラントベースの伝送が共存するシステムにおいて、１つのＵＥ及び／又は複数のＵＥに対して、１つの工程モードは、１又は複数のグラントフリーＵＥが各ＴＴＩで、又はデータ伝送の前及び／又はデータ伝送中のＴＴＩでＤＣＩシグナリングを待ち受けるように構成されており、スケジューラは一時的利用のために、グラントフリーリソース領域における１又は複数の非グラントフリーＵＥをグラントできる。このように、１又は複数のグラントフリーＵＥはＤＣＩグラントを待ち受け、一時的ＧＦリソース利用率のためのＵＥとの衝突を回避又は低減できる。
【０１０４】
別の実施形態において、ＧＦリソース調整は半静的手法で及び／又は要求に基づくことができる。
【０１０５】
グラントフリー伝送の場合、ＵＥは、前回構成されたパラメータに従ってデータを自律的に伝送できる。ＵＥのＧＦモード又はＧＦリソースは、非ＤＣＩシグナリング（例えば、ＲＲＣシグナリング）又はＤＣＩシグナリングにより半静的又は動的に非アクティブ化され得る。非アクティブ化の後、前回割り当てられたリソースは解放され、ＵＥは新たなＧＦ構成シグナリングを受信した後にＧＦモードを再開し得る。
【０１０６】
アクティブ化／非アクティブ化及び／又はリソース構成のためのＤＣＩシグナリングは、ＵＥ固有のＤＣＩ又は共通ＤＣＩ（例えば、グループＤＣＩ又はグループ共通ＮＲ‐ＰＤＣＣＨ）により搬送され得る。アクティブ化／非アクティブ化及び／又はリソース構成のためのＤＣＩはＡＣＫシグナリングを搬送してもよく、すなわち、ＤＣＩ／共通ＤＣＩはＡＣＫ情報及び非アクティブ化情報の両方を包含することができる。ＵＥは、ＤＣＩベースのアクティブ化シグナリングを受信した後、ＧＦ伝送を再開することもできる。ＵＥは、前回に構成済のＧＦリソース、又はＤＣＩアクティブ化信号で構成されたＧＦリソースを用いることができる。
【０１０７】
いくつかの実施形態において、ネットワーク／ＢＳが予想通りにＵＥからＧＦデータを受信しなかった場合、ネットワーク／ＢＳは、ＵＥに割り当てられたＧＦリソースを解放し得る。ネットワーク／ＢＳは、ＲＲＣ又はＤＣＩシグナリングを介してＧＦリソースのリリースをＵＥに通知し得る。解放は、非アクティブ化シグナリングを介して実行され得る。
【０１０８】
いくつかの実施形態において、ＵＥは、上位層シグナリング（例えば、ＲＲＣシグナリング）又はアップリンク制御チャネル（例えば、スケジューリング要求（ＳＲ）で）を介して、ＧＦリソース割り当てを再開するための要求をネットワーク／ＢＳに送信し得る。
【０１０９】
いくつかの実施形態において、ネットワーク／ＢＳは、ＧＦリソースの期限切れのためのタイマを予め割り当て得る。タイマは、上位層シグナリング（例えば、ＲＲＣ）、ブロードキャストシグナリング（例えば、ＳＩＢ）又は動的シグナリング（例えば、ＤＣＩ）でシグナリングされ得る。ネットワーク／ＢＳ及びＵＥの両方は、タイマ情報を有する。タイマの満了後にＵＥからＧＦ伝送が受信されていない場合、ＧＦリソースは自動的に解放され得る。ＧＦ伝送が受信される場合、タイマは棄却されてもよく、又はリセットされてもよい。
【０１１０】
他の実施形態において、ネットワーク／ｇＮＢは、例えば、構成可能なタイムアウト期間にネットワークがＵＥからＧＦデータを受信していない場合、グラントフリー伝送のためにＵＥに割り当てられたＧＦリソースを解放し得る。ＵＥは、低レイテンシトラフィックがない、又は負荷があまりに混雑しているなどのようないくつかのシナリオのために、以前に割り当てられたＧＦリソースの解放を要求するように、ネットワーク／ｇＮＢに明示的なメッセージを送信することもできる。ＵＥは、ＧＦからＧＢ伝送に明示的に切り替えるためのメッセージをネットワーク／ｇＮＢに送信できる。ネットワークは、ＲＲＣ又はＤＣＩシグナリングを用いて、ＵＥ  ＧＦリソースを解放して、任意の新たな構成をＵＥに実行し得る。
【０１１１】
別の実施形態において、ＵＥは、ＲＲＣ、ＳＲ、ＰＲＡＣＨ、又はバッファステータス報告（ＢＳＲ）を介して、ＧＦリソース割り当てを再開するための要求をネットワーク／ｇＮＢに送信し得る。ＧＢ  ＵＥは、自らのＵＬ  ＰＵＳＣＨチャネルを用いて、ＧＦリソーススケジューリング／構成要求のためにネットワークにＳＲ／ＢＳＲをもたらし得て、ＢＳＲは、例えば、トラフィック優先度／重要度、ＱｏＳ、移動ステータス、及び／又はパケットサイズのインジケーションのために設計及び使用され得る。ＳＲ／ＢＳＲは、トラフィック優先度／重要度、ＱｏＳ、移動ステータス、及び／又はパケットサイズなどのようなより多くの制御情報（単なるスケジューリング目的以外の）を含み得る。ランダムに選択されるＲＡＣＨシーケンス又はＵＥ固有のＲＡＣＨシーケンスは、ＵＥスケジューリング要求のためにＰＲＡＣＨチャネルで用いられ得て、シーケンスは、より多くの機能（一般的なＲＡＣＨシーケンスより多くの）、例えば、ＵＥの識別、トラフィック優先度／重要度、ＱｏＳ、移動ステータス、及び／又はパケットサイズのために設計され得る。
【０１１２】
いくつかの実施形態において、ＧＦリソース割り当ての再開の要求又は新たなＧＦリソースの要求に用いられるＳＲ／ＢＳＲは、専用のアップリンク制御チャネル又はコンテンションベースＳＲ伝送のためのランダムアクセスチャネルを介して伝送され得る。ランダムアクセスチャネルは、ＰＲＡＣＨチャネルを再利用してもよく、又はコンテンションベースＳＲのための別個の構成されたチャネルであってもよい。ＵＥは、専用ＳＲシーケンスで構成するか、又はＳＲ伝送のためのＳＲシーケンスプールの中からＳＲシーケンスをランダムに選択し得る。
【０１１３】
一般に、ＧＦリソースが上位層シグナリングを用いて構成されたか、又は上位層シグナリング及びＤＣＩシグナリングの組み合わせを用いて構成されたかに関わらず、ネットワーク／ＢＳは、（上位層シグナリングを介して）半静的又は動的にＧＦリソース及び伝送をアクティブ化又は非アクティブ化（例えば、ＤＣＩ又はグループＤＣＩを介して）することが可能であり得る。ＧＦリソースは、半静的（例えば、上位層シグナリングを介して）又は動的（例えば、ＤＣＩ又はグループＤＣＩを介して）に更新されることも可能であり得る。ＧＦリソース及び伝送が非アクティブ化された場合、再アクティブ化される可能性がある。
【０１１４】
図３Ｃ、図３Ｄ、図３Ｅ及び図３Ｆは、アクティブ化及び非アクティブ化の様々な可能性を示す例示的な実施形態を提供する。図３Ｃは、段階３６３において、上位層シグナリング（例えば、ＲＲＣ）に必要なすべてのＧＦリソースでＵＥが構成されているシナリオを示す。段階３６１及び３６２は、図３Ａにおける段階３０１及び３０２と同じ動作をする。グラントフリーＵＥはさらに、ＤＣＩ又はグループＤＣＩを用いて動的にアクティブ化又は非アクティブ化され得る。図３Ｃにおいて、段階３６４でＵＬ  ＧＦ伝送リソースを取得した後、ＵＥはさらに、ＧＦ伝送の前にアクティブ化シグナリングを受信するまで待機する必要があり得る。ＧＦ  ＵＥは、段階３６４の後ＤＣＩをモニタし得て、ＢＳ／ネットワークは、ＤＣＩ／グループＤＣＩを介してアクティブ化シグナリングを伝送する。段階３６５で、基地局はＧＦ伝送をアクティブ化するためにＤＣＩ又はグループＤＣＩを伝送する。ＤＣＩアクティブ化を受信した後、ＵＥは、段階３６６で構成されたリソースでグラントフリー伝送を実行し得る。ＧＦリソースは動的に非アクティブ化されてよい。段階３６６は、ＡＣＫ、ＮＡＣＫ又はＵＬグラントを示すＢＳ送信ＨＡＲＱフィードバックを含んでもよい。段階３６６はさらに、図に示されるＵＥにより実行される再伝送を含んでよい。ＵＥにより実行されるＨＡＲＱフィードバック及び再伝送は、図３Ａに説明される段階と同様であり得る。ＵＥがＡＣＫを受信する場合、ＵＥは任意の再伝送を実行しない可能性がある。ＵＥがＮＡＣＫを受信する場合、ＵＥは再伝送を実行し得る。再伝送は、構成されたグラントフリーリソースにおいて実行され得る。ＢＳは、グラントフリー伝送を介してＵＥにより伝送されるデータの再伝送のためにＤＣＩシグナリングにおけるＵＬグラントを送信することによりＨＡＲＱフィードバックを提供してもよい。この場合、ＵＥはＵＬグラントによる再伝送を実行するためにＵＬグラントに従ってよい。
【０１１５】
段階３６７において、ＢＳは、ＧＦリソースを非アクティブ化するためにＤＣＩ又はグループＤＣＩを送信する。段階３６８において、ＵＥはＧＦリソースを解放し、グラントフリー伝送を停止させる。段階３６９で任意選択的に、ＢＳはＧＦリソースを動的に再アクティブ化し得る。その後、段階３７０で、ＵＥは、より早く構成されたＧＦリソースで再びグラントフリー伝送を実行し得る。段階３７０は、図３Ａに説明される段階と同様にＢＳにより送信されるＨＡＲＱフィードバック又はＵＬグラント、及びＵＥにより送信される再伝送を含む段階３６６と同様であり得る。ＵＥは、以前に構成されているＧＦリソースを用いるか、又はアクティブ化／再アクティブ化信号又は２つの組み合わせで示されるＧＦリソースを用いてよい。
【０１１６】
図３Ｄは、ＵＥが上位層シグナリングを介してすべてのリソースで構成されているシナリオを示す。段階３８１、３８２、３８３及び３８４は、図３Ｃにおける段階３６１、３６２、３６３及び３６４と同じ動作をする。しかしながら、ＵＥは段階３８５におけるＧＦ伝送を実行し得る前にＤＣＩアクティブ化信号を必要としない。ＵＥは段階３８６でＤＣＩ非アクティブ化信号を受信し、ＧＦ伝送リソースを解放し得る。段階３８７、３８８及び３８９は、図３Ｃにおける段階３６８、３６９及び３７０と同じ動作をする。
【０１１７】
図３Ｅには、図３Ｃ及び図３Ｄと同様のリソース構成を示すが、動的なＤＣＩのアクティブ化又は非アクティブ化は存在しない。段階３９１及び３９２は、図３Ｃにおける段階３６１及び３６２と同じ動作をする。ＵＥは、アクティブ化信号を受信することなく、段階３９３において構成されたリソースでＧＦ伝送を実行し得る。段階３９４及び３９５は、図３Ｄにおける段階３８４及び３８５と同じ動作をする。
【０１１８】
図３Ｆは、異なるリソース構成を示す。段階３００１及び３００２は、図３Ｅにおける段階３９１及び３９２と同じ動作をする。上位層シグナリング（ＲＲＣ）は、段階３００３でのＧＦリソース構成のいくつかの情報のみを提供し得る。ＵＥは、段階３００４で基地局から伝送されるＤＣＩ又はグループＤＣＩアクティブ化信号を待機する必要がある。ＤＣＩ又はグループＤＣＩは、グラントフリー伝送を実行し得る前に、ＧＦリソース構成についてのさらなる情報も提供する。段階３００５及び３００６は、図３Ｅにおける段階３９４及び３９５と同じ動作をする。基地局は、段階３００７と同様に動的にＧＦリソースを非アクティブ化し得る。任意選択的に、ＢＳは段階３００８でＤＣＩ又はグループＤＣＩを用いてＧＦ伝送を再アクティブ化し得る。その後、段階３００９で、ＵＥは、予め構成されたリソース又はＤＣＩアクティブ化／再アクティブ化信号もしくはその２つの組み合わせで構成されているリソースを用いてＧＦ伝送を実行し得る。
【０１１９】
動的なＤＣＩのアクティブ化又は非アクティブ化をサポートするすべてのシナリオにおいて、ＧＦリソースは、ＤＣＩアクティブ化／再アクティブ化信号を用いて動的に再アクティブ化され得る。
【０１２０】
いくつかの実施形態において、任意のＵＥ（例えば、グラントフリー及び／又はグラントベース）又は予め定義された（例えば、デバイスに組み込まれた）、又はネットワーク／ｇＮＢは、例えば、医療専門家、緊急イベントを処理する人などの予め構成された（例えば、ＵＥの初期アクセス中に）優先ユーザのグループにより用いられ得る非常トラフィック、予想外の低レイテンシトラフィックなどの特別な利用又はサービスのためにＧＦリソース及びアクセス領域を構成する。さらに、緊急又は非常タイプのトラフィックは、予め定義されるか、又は事前構成により指定され得る。
【０１２１】
他の実施形態において、ネットワーク／ｇＮＢは、ＵＥの性能及び自らのＱｏＳ要件を利用して、衝突を低減する又はリソーススペクトル効率を増加させるための特別な利用又はサービスのために非常ＧＦリソースを構成又は認可し得る。例えば、ネットワーク／ｇＮＢは、すべてのＵＥをＱｏＳ要件及びデバイスのタイプについてモニタし、緊急なサービスのために構成／グラントするリソース領域がどれほど大きいかを把握し得る。別の例において、ＵＥが報告されたＱｏＳ又は指定された特別なサービスと共にネットワークに入る場合、即時の緊急なトラフィックがなく、後ほど又はすぐに潜在的に緊急なトラフィックが発生し得るにも関わらず、ネットワーク／ｇＮＢは、緊急なトラフィックの到着をもって非常ＧＦリソース領域を用いるようにＵＥを案内し得る。別の実施形態において、ネットワーク／ｇＮＢは、利用のために動的にアクティブ化され得る又は任意のＤＣＩアクティブ化なしに用いられ得る専用又は共有リソースを有するいくつかのＵＥを予め構成又はグラントし得るが、伝送のために利用可能な緊急なトラフィックがない場合、リソースは、これらのＵＥ（ＬＴＥ  ＳＰＳ  ｕｐｌｉｎｋＳｋｉｐスキームなど）により省略され得る。
【０１２２】
他の実施形態において、ＧＦリソース構成、緊急なＧＦリソース領域を用いるための適格性又はルール、及び指定された緊急なタイプのトラフィック事前構成は、ブロードキャストシグナリング、ＲＲＣシグナリング及び／又はＤＣＩ関連の（例えば、ＵＥ固有のＤＣＩ、グループ共通ＰＤＣＣＨなど）シグナリングにより実行され得て、優先ＵＥは、ＲＲＣシグナリング又はＬ１シグナリングにより自らの初期アクセス又は任意の他の時点に構成され得て、予め定義される（例えば、デバイスに組み込まれる）自らの優先ステータスを、もしある場合は、上書きし得る又はし得る。緊急なＧＦリソースの構成は、ＲＳ、ＭＣＳ、ヌメロロジー及び繰り返しなどのような特定の必要とされるロバスト伝送を考慮し得る。
【０１２３】
他の実施形態において、任意のＵＥが、緊急な利用のためのＧＦリソース領域の構成を含むネットワークから情報を受信し得る。ＵＥが伝送するための緊急なトラフィック（事前定義又は事前構成シグナリングにより指定される）を有する場合、緊急なＧＦリソースアクセスのために構成されたパラメータ（例えば、ＲＳ、ＭＣＳ、ヌメロロジー、サブバンドなど）を用いて緊急なトラフィックを伝送するために緊急なＧＦリソースを利用し得る。
【０１２４】
別の実施形態において、シナリオに応じて、ネットワーク／ｇＮＢは、定期的なＧＦトラフィック処理のためのものと同じか、又は異なる特別なＧＦアクセス領域において伝送を処理し得る。いくつかの場合、ネットワーク／ｇＮＢは、高速処理及び反応などに関して、特別な手法で伝送を処理し得る。
【０１２５】
いくつかの実施形態において、緊急な利用のためのＧＦリソース領域は、ブロードキャストシグナリングを介して、例えば、ＳＩＢで構成され得る。このシナリオの場合、ＵＥは、ユニキャスト又はマルチキャストシナグリング（例えば、ＲＲＣシグナリング又はＤＣＩシグナリング）からＧＦリソース構成を要求することなく、このタイプのＧＦリソース領域にＧＦ伝送を実行及びアクセスすることが可能であり得る。
【０１２６】
いくつかの実施形態において、ＵＥは、ＵＥが非ＲＲＣ接続状態（例えば、アイドル又は非アクティブ状態）であっても、初期アクセスを先に実行することなく、ＧＦデータ伝送のための緊急な利用のために構成されているこのタイプのＧＦリソース領域にアクセスすることが可能であり得る。
【０１２７】
いくつかの実施形態において、ＵＥは、上位層シグナリング又はＤＣＩシグナリングを介して前回に構成済のＧＦリソースを有し得て、ＵＥはＤＣＩアクティブ化を待機しているか、又は構成されたＧＦタイマがタイムアウトされたためにＧＦリソースが非アクティブ化されるかもしくはＧＦリソースが解放される。しかしながら、ＵＥがいくつかの緊急データトラフィックを有する場合、ＵＥは、アクティブ化／再アクティブ化信号を受信することなく、以前に構成されたＧＦリソースでＧＦ伝送を実行することが可能であり得る。
【０１２８】
別の実施形態において、必要に応じて、ＧＦ  ＵＥは、構成及び動的にＧＢ  ＵＥに切り替わり、ＧＦ  ＵＥに再び切り替わって戻ることが可能であり、その逆の場合も同様である。
【０１２９】
さらに、ＧＦ  ＵＥとＧＢ  ＵＥステータスとの間の切り替えの代わりに、任意のＧＢ  ＵＥは、ＧＦ  ＵＥステータスを有するものとして随時動的に追加及び構成し得て、いずれのＧＦ  ＵＥはＧＦ  ＵＥステータスから削除され得る。当該構成は、ＤＣＩタイプシグナリング（例えば、ＵＥ固有のＤＣＩ、グループ共通ＤＣＩ）、非ＤＣＩタイプシグナリング（ブロードキャスト、ＲＲＣ、マルチキャスティング）、又はそれらの組み合わせであり得る。いずれのＧＦ  ＵＥも、ＧＢ  ＵＥとして新たなステータスが追加され、ＧＢ  ＵＥステータスから削除される、同様の構成を有し得る。さらに、ＧＦ及びＧＢ  ＵＥステータスの両方を有する任意のＵＥは、例えば、ＧＦ  ＵＥステータスを削除するために、２つのアクセスステータスのうちいずれかを削除し得て、又はＧＢ  ＵＥステータスを削除するために、ＵＥステータスの変化に対するシグナリングの発生が必要となり得る。
【０１３０】
本開示の実施形態は、上記に説明されるＵＥのグループ化に追加の特徴を提供する。図４は、セルのカバレッジエリアにおける複数のＵＥに利用可能な時間周波数領域リソースのセット４００を示す。図４の例示的な実施形態において、２０個のＵＥが示されるが、違う個数のＵＥが存在し得る。図４の実施形態において、４つの連続するタイムスロット４０２がタイムスロットのシーケンスの一例として示される。本明細書で説明されるタイムスロット４０２、時間ユニット又は時間間隔は、サブフレーム、ＴＴＩ、ミニスロット、スロット、フレーム又は一般に任意の時間間隔であり得る。図４は、タイムスロット４０２が逐次的又は連続的でない場合にも適用され得る。２つのタイムスロット４０２間の間隔は、上記に説明されるグラントフリーアクセス間隔／周期でシグナリングされ得る。一実施形態において、所与のタイムスロット４０２において、ＵＥは、各ＵＥがグループ４０６のうち１つにあるように複数の周波数サブバンド４０４にグループ化される。したがって、任意のグループ４０６は、同じタイムスロット４０２及び同じサブバンド４０４を共有する一定数のＵＥから成り、したがってグループ４０６内のＵＥは同じリソースブロックを共有する。他の実施形態において、グループ、例えば、グループ４０６内のＵＥは、単に同じ時間ユニット及びサブバンドを共有し得るが、同じリソースブロックを共有しない可能性がある。示されている実施形態において、利用可能な周波数帯域幅は５つのサブバンド４０４に分割されるが、他の実施形態において、当該利用可能な周波数帯域幅は異なる数のサブバンドに分割され得る。サブバンド４０４のサイズは、周波数領域におけるグラントフリーリソース４０６のサイズと同じであってよい。代替的に、サブバンド４０４のサイズは、周波数領域におけるグラントフリーリソース４０６のサイズより大きくてよい。示されている実施形態において、各グループ４０６には４つのＵＥがあるが、他の実施形態において、各グループ４０６には違う個数のＵＥがあり得る。時間及び周波数リソースのグループ４０６は、均等なサイズ又は様々なサイズを有し得る。グループ４０６に示される数は、グループ４０６におけるＵＥのインデックスを表す。例えば、グループ４０６ａにおける４つのＵＥはインデックス１、６、１１及び１６を有する。以下、グループ４０６におけるＵＥは、グループ４０６ａにおけるＵＥはＵＥ１、ＵＥ６、ＵＥ１１及びＵＥ１６と称され得て、グループ４０６ｂにおけるＵＥはＵＥ２、ＵＥ７、ＵＥ１２及びＵＥ１７等と称され得るように自らのインデックスにより称され得る。
【０１３１】
一実施形態において、２又はそれより多いＵＥ間の衝突の確率は、ＵＥが後続のタイムスロット４０２に割り当てられているサブバンド４０４をシフトすることにより低減される。一実施形態において、シフトの量はグループ４０６におけるＵＥ毎に異なってよい。一例としてグループ４０６ａにおけるＵＥを用いると、タイムスロット４０２ａのサブバンド４０４ａにあるＵＥ１は、１つのサブバンド４０４によりタイムスロット４０２ｂのサブバンド４０４ｂにシフトされ、したがってタイムスロット４０２ｂのグループ４０６ｇにある。タイムスロット４０２ａのサブバンド４０４ａにあるＵＥ６は、２つのサブバンド４０４だけタイムスロット４０２ｂのサブバンド４０４ｃにシフトされ、したがってタイムスロット４０２ｂのグループ４０６ｈにある。タイムスロット４０２ａのサブバンド４０４ａにあるＵＥ１１は、３つのサブバンド４０４だけタイムスロット４０２ｂのサブバンド４０４ｄにシフトされ、したがってタイムスロット４０２ｂのグループ４０６ｉにある。タイムスロット４０２ａのサブバンド４０４ａにあるＵＥ１６は、４つのサブバンド４０４だけタイムスロット４０２ｂのサブバンド４０４ｅにシフトされ、したがってタイムスロット４０２ｂのグループ４０６ｊにある。他のグループ４０６にある他のＵＥにも同様のシフトが見られ得る。他の実施形態においては、以下でより詳細に説明されるように、他のグループ４０６へのＵＥのシフトは他の方式で生じ得る。
【０１３２】
上記に説明されるサブバンドのシフトはリソースホッピングと称され得て、シフトのパターンはリソースホッピングパターンと称され得る。ＲＲＣシグナリング又はＤＣＩシグナリング、又はＲＲＣシグナリングとＤＣＩシグナリングとの組み合わせは、グループ４０６のメンバのリソースホッピングパターンを定義するために用いられてよく、グループ４０６のメンバのうちどれだけ多くのメンバが同じパターンを用いるかを指定してもよい。アクセス間隔は、どれだけの頻度で、例えば、１つのＴＴＩ毎に、２のＴＴＩ毎に又はいくつかの他の間隔で時間領域リソースが配置されるかを指定するために定義されてもよい。システム情報は、存在するサブバンド４０４の数及び各サブバンド４０４におけるリソースブロックの数を指定し得る。例えば、グループ４０６のうち１つが５つのリソースブロックに割り当てられる場合、当該グループ４０６には５つのリソースブロックインデックスが与えられ得る。サブバンド４０４全体又はサブバンド４０４の一部のみが用いられ得る。
【０１３３】
図４におけるＵＥのうち１つの構成において、ＵＥは、ＵＥに割り当てられるリソースブロックの数を知らされてよい。ＵＥは、ホッピングパターンで構成されてもよい。ＵＥはさらに、参照信号インデックス及び利用可能な参照信号の総数で構成されてよい。いくつかの実施形態において、利用可能な参照信号の総数は、基地局及びＵＥの両方により予め定義され知られている。参照信号は、参照信号が互いに衝突しないように構成され得る。すなわち、２つのＵＥが同じリソースに構成される場合、ＵＥは異なる参照信号を用いる必要があり得る。
【０１３４】
一実施形態において、２又はそれより多いＵＥ間の衝突の確率は、ＵＥが異なるタイムスロット４０２の異なるサブバンド４０４に移動する場合にグループ４０６におけるＵＥの位置の再配列を導入することによりさらに低減する。例えば、ＵＥ１はタイムスロット４０２ａでグループ４０６ａの一番目の位置に現われる。ＵＥ１がタイムスロット４０２ｂでグループ４０６ｇに移動する場合、ＵＥ１は示されるように一番目の位置に現れる代わりに、グループ４０６ｇの第２、第３又は第４の位置に現われてよい。
【０１３５】
別の実施形態において、ＵＥ１、ＵＥ６、ＵＥ１１及びＵＥ１６を、例えば、グループ４０６ａにおいて、グループ化する代わりに又はそれに加えて、ＵＥは所与のタイムスロット４０２の異なるサブバンド４０４にわたってグループ化され得る。ＵＥのためのそのようなグループは、様々なパラメータを共有するために指定され得る。例えば、ＵＥ１、ＵＥ２、ＵＥ３、ＵＥ４及びＵＥ５は共にグループ化され得て、参照信号を共有するために、及び同じＭＣＳを共有するために指定され得る。そのようなＵＥは、周波数において異なる位置を有するが、同じ巡回シフトを有し得て、したがって同じホッピングパターンを共有するであろう。そのようなＵＥのグループは、ＵＥに自らのリソースがどのように構成されるか伝えるためにシグナリングされてよい。
【０１３６】
本開示のすべてのテキストにおいて、専門用語「ＵＥ  ＩＤ」は、ＲＮＴＩ、ＧＦ−ＲＮＴＩ又はＣ‐ＲＮＴＩ又はグループ内の上位層ＩＤ又はＵＥインデックス（例えば、ｇｒｏｕｐ＿ＲＮＴＩのＲＲＣでシグナリングされるグループ間のＵＥインデックス）又はグループＩＤ又はｇｒｏｕｐ＿ＲＮＴＩ又は任意のＵＥを識別するためのインデックスを表し得るがそれに限定されるものではないことを留意されたい。
【０１３７】
リソースホッピングパターンは、ＶＲＢインデックス又はＰＲＢインデックス割り当て及びホッピングパラメータのフィールドの組み合わせによりシグナリングされ得る。いくつかの実施形態において、グラントフリーのための最小リソース割り当ては、予め定義されるリソースブロックの数から成るＶＲＢ又はＰＲＢグループインデックスに関してシグナリングされ得る。ＶＲＢ、ＰＲＢ、ＶＲＢグループ又はＰＲＢグループインデックスは、ＲＢ又はＲＢグループインデックスの開始及び／又は終了、及びＲＢの数又はＲＢグループの数により示され得る。時間周波数リソースホッピングパラメータは、グラントフリーフレーム内の各タイムスロットに割り当てられたＶＲＢ又はＰＲＢから巡回的にシフトされるリソースブロックの数又はサブバンドの数により表され得る。グラントフリーフレームは、ＬＴＥ又は新無線（ＮＲ）で用いられるフレーム長をデフォルト長として有し得る。すなわち、グラントフリーフレームは、既存の及び将来のセルラ規格（ＬＴＥ及び５ＧのＮＲなど）に用いられるフレームであり得る。ホッピングパターンの周期性であるＧＦフレーム長は、（ＲＲＣシグナリングに関連して説明されているように）グラントフリー伝送のために具体的にシグナリング又は定義されることも可能である。そしてＵＥ及び基地局は、タイムスロットインデックスｉ及びフレームインデックスｊに割り当てられるＰＲＢインデックスを導出し得る。
【０１３８】
［等式１］
【数１】
2020513177.tif 000004
［等式２］
【数２】
2020513177.tif 000005
【０１３９】
実際の物理リソースブロックＰＲＢ（ｉ，ｊ）＝ｆ'（ＰＲＢ'（ｉ，ｊ）及びｆ'（）は基地局及びＵＥの両方により知られている予め定義されるマッピング関数である。本明細書に説明されるタイムスロットは、サブフレーム、ＴＴＩ、ミニスロット、スロット、ハーフスロット、フレーム、ＯＦＤＭシンボル、ＯＦＤＭシンボルの数又は２つのグラントフリーリソースの間の間隔、又は前に説明したように一般に任意の時間間隔であり得る。したがって、本開示において説明されるタイムスロットインデックスｉ及びスロットインデックスｉは、サブフレームインデックス、スロットインデックス、ＴＴＩインデックス、ミニスロットインデックス、ＯＦＤＭシンボルインデックス、ハーフスロットのインデックス、フレームインデックス、グラントフリーリソースインデックス、グラントフリー伝送オケージョン又は伝送機会のインデックス、繰り返し数インデックス又は上記のインデックスの組み合わせの関数であるインデックスであり得る。いくつかの実施形態において、ホッピングパターンは各フレームを繰り返し、タイムスロットインデックスは各フレーム内で定義され得る。例えば、スロット間周波数ホッピング（すなわち、異なるスロット間の周波数ホッピング）のみがサポートされ、スロット内ホッピング（スロットの第１のパーティション及び第２のパーティションの間の周波数ホッピング）はサポートされていない場合、タイムスロットインデックスｉは単にフレーム内のスロットインデックスであり得る。一方、スロット内及びスロット間のホッピングの両方が有効になる場合、タイムスロットインデックスｉはフレームのハーフスロットのインデックスであり得て、例えば、インデックスｉは
【数３】
2020513177.tif 000006
であり得て、ｎ＿ｓはスロットインデックスであり、ｘ＝０又は１であり、０はスロットの第１のパーティションを表し１はスロットの第２のパーティションを表す。別の例において、タイムスロットインデックスｉは繰り返しの数を表すインデックスであり得る。例えば、ＵＥは各トランスポートブロック（ＴＢ）にＫ回の繰り返しを実行して構成され得る。ＴＢの繰り返しの第１の伝送は、インデックスｉ＝０に対応し、ＴＢの第２の伝送繰り返しはインデックスｉ＝１に対応し、Ｋ番目の繰り返しはインデックスｉ＝Ｋ−１に対応する。別の例において、スロット毎に複数の繰り返しがあり得る。例えば、
【数４】
2020513177.tif 000007
はスロット毎の繰り返しの数を表す。そしてインデックスｉは、ｉ＝Ｎ＿ｒｅｐ×ｎ＿ｓ＋ｘであり得て、ｘ＝０，１，…，Ｎｒｅｐ−１はスロット内の繰り返しインデックス、ｎ＿ｓはスロットインデックスである。タイムスロットインデックスｉの上記説明は、本開示に開示されている、
【数５】
2020513177.tif 000008
、
【数６】
2020513177.tif 000009
などのために用いられる添字ｉを含むすべてのホッピング説明に適用され得る。
【数７】
2020513177.tif 000010
は、仮想ＲＢインデックス又は一般にＶＲＢグループインデックスである。
【数８】
2020513177.tif 000011
は、割り当てられた仮想ＲＢ（上位層シグナリング（例えば、ＲＲＣシグナリング）又はＤＣＩでシグナリングされる）から、特定のスロット又はタイムスロット（例えば、タイムスロットｉ＝０、フレームインデックスｊ＝０）のＰＲＢ又はＰＲＢを算出するために用いられるＲＢに予め定義されたマッピング関数である。
【数９】
2020513177.tif 000012
は、ＲＲＣシグナリング又はＤＣＩでシグナリングされることも可能な初期ＰＲＢインデックスである。予め定義されたマッピング関数はセル固有であり、及び基地局及びすべてのＵＥにより知られていてよい。そのような予め定義された関数の一例は、以下に与えられる例において等式３及び等式４で与えられる。
【数１０】
2020513177.tif 000013
は、タイムスロットインデックスｉによりインデックスを付与される、割り当てられたリソースブロック（ＶＲＢ又は
【数１１】
2020513177.tif 000014
又は
【数１２】
2020513177.tif 000015
）に関連して巡回的にシフトされるべきＲＢ数を表すシーケンスである。
【数１３】
2020513177.tif 000016
の定義は、フレーム又はグラントフリーフレーム内のインデックスｉにのみ必要であり得て、その後は
【数１４】
2020513177.tif 000017
の値が繰り返す、すなわち、０≦ｉ≦Ｉ−１であり、Ｉはグラントフリーフレーム内のタイムスロットの総数である。
【数１５】
2020513177.tif 000018
はグラントフリー伝送に割り当てられるＲＢの総数であり、割り当てられた
【数１６】
2020513177.tif 000019
リソースブロックの外にはＰＲＢがないように周期的シフトに用いられる。
【数１７】
2020513177.tif 000020
は予め定義され、導出され、又はブロードキャストシグナリング（例えば、システム情報ＳＩＢ）又は上位層シグナリング（ＵＥ固有の又はセル固有のＲＲＣシグナリング）又は動的シグナリングを用いてシグナリングされ得る。
【数１８】
2020513177.tif 000021
は、基地局及びＵＥの両方により知られているフレームインデックスｊの関数である。項
【数１９】
2020513177.tif 000022
は任意選択的であり、存在しても良く、存在しなくてもよい（例えば、
【数２０】
2020513177.tif 000023
＝０）。ｆ（ｊ）の存在は、ホッピングパターンがフレーム間で変化し得るということを意味する。一例において
【数２１】
2020513177.tif 000024
である。ここで
【数２２】
2020513177.tif 000025
はサブバンドにおけるＲＢの数であり、Ｍはホッピングパターンが繰り返しを行うフレームの数である。他の項は定数であってよく、他のパラメータ、例えば、ミラーリングパターンに関連してよく、任意選択的（すなわち、０であり得る）であってもよい。
【０１４０】
いくつかの実施形態において、
【数２３】
2020513177.tif 000026
は明示的に又は暗示的に、例えば、上位層シグナリング（例えば、ＲＲＣシグナリングを介して）又はＤＣＩシグナリングでシグナリングされ得る。いくつかの実施形態において、巡回的にシフトされるＲＢの数のシーケンスは、巡回的にシフトされるべきサブバンドの数のシーケンスにより置き換えられ、又は表され得る。例えば、
【数２４】
2020513177.tif 000027
は以下から導出され得る。
【０１４１】
【数２５】
2020513177.tif 000028
【０１４２】
【数２６】
2020513177.tif 000029
はタイムスロットインデックスｉでＵＥがホップするサブバンドインデックスを表すホッピングシーケンスである。
【０１４３】
これは、
【数２７】
2020513177.tif 000030
が０と
【数２８】
2020513177.tif 000031
との間の値を取り得て、
【数２９】
2020513177.tif 000032
が０と
【数３０】
2020513177.tif 000033
との間の値のみを取り得るため、シグナリングオーバーヘッドを低減する。
【数３１】
2020513177.tif 000034
はサブバンドの数である。そして物理リソースブロックは以下に基づいて導出され得る。
【数３２】
2020513177.tif 000035
又は
【数３３】
2020513177.tif 000036
【０１４４】
【数３４】
2020513177.tif 000037
の数は、各サブバンドのＲＢの数であり、予め定義されるか又はシグナリングされ得る。例えば、上位層シグナリング（例えば、ＲＲＣシグナリングで）又はブロードキャストシグナリング（例えば、ＳＩＢで）でシグナリングされ得る。
【数３５】
2020513177.tif 000038
は、リソースホッピングパターンが巡回的にシフトされるサブバンドの数、又はリソースがタイムスロットインデックスｉに応じてホップするサブバンドインデックスを表す。
【数３６】
2020513177.tif 000039
は、０と
【数３７】
2020513177.tif 000040
との間で定義されるだけでよく、
【数３８】
2020513177.tif 000041
は予め定義又はシグナリングされた（上位層シグナリング（例えば、ＲＲＣ）、ブロードキャストシグナリング（例えば、ＳＩＢ）又はＤＣＩにおいて）グラントフリーサブバンドの数である。いくつかの実施形態において、シーケンス
【数３９】
2020513177.tif 000042
、すなわち、異なるタイムスロットでのサブバンドインデックスは、明示的に又は暗示的に、例えば、上位層シグナリング（例えば、ＲＲＣシグナリング）又は動的シグナリング（例えば、ＤＣＩ）を用いてシグナリングされる。
【０１４５】
いくつかの実施形態において、
【数４０】
2020513177.tif 000043
又は
【数４１】
2020513177.tif 000044
は、ｉに応じて疑似乱数シーケンスとして計算及び／又はシグナリングされてよい。いくつかの実施形態において、疑似乱数シーケンスｃ（ｉ））は、自らのスロットから隣接するスロットにシフトされるサブバンド又はリソースブロックの数、すなわち、
【数４２】
2020513177.tif 000045
又は
【数４３】
2020513177.tif 000046
を表す。この場合、所与の最初の値、
【数４４】
2020513177.tif 000047
、
【数４５】
2020513177.tif 000048
はｉに応じた疑似乱数シーケンスでもある。例えば、本開示において後から
【数４６】
2020513177.tif 000049
の例でも説明されるように、
【数４７】
2020513177.tif 000050
及びｃ（ｉ）は、疑似乱数シーケンスである。疑似乱数シーケンスは、様々なＵＥが持続的な衝突を回避するために、様々なホッピングパターンを有し得るように、ＵＥ固有であり得る。疑似乱数シーケンスは、ＵＥのＩＤの関数又はＵＥ  ＩＤ及びセルＩＤの組み合わせをシードとして用いて生成される、又はＵＥのＩＤ又はＵＥ  ＩＤ及びセルＩＤの組み合わせの関数を用いて初期化され得る。ＵＥ  ＩＤは、グループ（例えば、ｇｒｏｕｐ＿ＲＮＴＩのＲＲＣでシグナリングされるグループ間のＵＥインデックス）内のＧＦ−ＲＮＴＩ又はＣ‐ＲＮＴＩ又は上位層ＩＤ又はＵＥインデックス、又はグループＩＤ又はｇｒｏｕｐ＿ＲＮＴＩ又はＵＥインデックス、又はＵＥ固有のホッピングパターンを導出するために用いられるＵＥホッピングインデックスであり得る。このシナリオにおいて、
【数４８】
2020513177.tif 000051
又は
【数４９】
2020513177.tif 000052
は明示的にシグナリングされる必要はなくてよく、代わりに、疑似乱数シーケンスから導出され得る。基地局は、疑似乱数シーケンスを用いてホッピングシーケンスが生成されることを明示的に又は暗示的に示すだけでよい。いくつかの実施形態において、前述のようにホッピングパターンが各フレームを繰り返す場合、疑似乱数シーケンスは各フレームで再初期化されることも可能である。
【０１４６】
いくつかの実施形態において、
【数５０】
2020513177.tif 000053
又は
【数５１】
2020513177.tif 000054
は、例えば
【数５２】
2020513177.tif 000055
又は
【数５３】
2020513177.tif 000056
又は
【数５４】
2020513177.tif 000057
に基づいてスロットインデックスｉに応じてシグナリングされ得て、ｍは１つのスロットから次のスロットに巡回的にシフトされるべきサブバンドの数であり、
【数５５】
2020513177.tif 000058
は１つのスロットから次のスロットに巡回的にシフトされるべきＲＢの数である。同じように、ｍは
【数５６】
2020513177.tif 000059
として定義され得る。項
【数５７】
2020513177.tif 000060
及び
【数５８】
2020513177.tif 000061
は、インデックス０を有するタイムスロットでのホッピングシーケンスの値であり、任意選択的であり、いくつかの値でデフォルト値であり得る（例えば、０がデフォルト）。
【数５７】
2020513177.tif 000062
及び
【数５８】
2020513177.tif 000063
は、明示的にシグナリングされてもよく、他のパラメータに基づいて導出されてもよい。例えば、
【数５７】
2020513177.tif 000064
及び
【数５８】
2020513177.tif 000065
は、半静的シグナリング（例えば、ＲＲＣシグナリングのような上位層シグナリング）又は動的シグナリング（例えば、ＤＣＩシグナリングを介して）を介してシグナリングされてよい。
【数５９】
2020513177.tif 000066
及び
【数６０】
2020513177.tif 000067
）が存在しないか、又はデフォルト値を有する場合、このシナリオにおいては、単一値（ｉに応じたシーケンスの代わりに）ｍ及び
【数６１】
2020513177.tif 000068
のみがシグナリングされる必要があり得る。ｍ及び
【数６２】
2020513177.tif 000069
はシグナリングされ得る。言い換えれば、ＢＳは巡回シフト値ｍ又は
【数６３】
2020513177.tif 000070
をシグナリングし得て、任意選択的に、半静的シグナリング（例えば、ＲＲＣシグナリング）又は動的シグナリング（ＤＣＩ）を介して初期サブバンド又はＲＢインデックスをＵＥにシグナリングし得る。シグナリングはＵＥ固有であり得る。この場合、異なるタイムスロットでのリソースブロック割り当ては以下に基づいて導出され得る。
【０１４７】
【数６４】
2020513177.tif 000071
又は
【数６５】
2020513177.tif 000072
又は
【数６６】
2020513177.tif 000073
又は
【数６７】
2020513177.tif 000074
【数６８】
2020513177.tif 000075
は、割り当てられたＰＲＢインデックス
【数６９】
2020513177.tif 000076
により置き換えられ得る。
【０１４８】
ＵＥは、ＴＢのグラントフリー又はグラントベースの伝送のためにＫ回まで繰り返しを実行するように構成され得る。いくつかの実施形態において、タイムスロットインデックスｉ又はスロットインデックスｉは、繰り返しインデックス（０＜＝ｉ＜＝Ｋ−１）又はグラントフリー伝送オケージョンインデックスであり得る。このシナリオにおいて、上記に説明されているスロット間ホッピングは、繰り返し間のホッピングの効果を実現することもできる。そのような繰り返し間のホッピングの利点は、繰り返し間の周波数ダイバーシチを利用するため、及び繰り返し中に複数のＵＥが持続的に衝突することを回避するためである。このシナリオにおいて、
【数７０】
2020513177.tif 000077
は、２つの隣接する繰り返し又は２つの隣接するグラントフリーオケージョン間で周期的にシフトされるサブバンドの数であり、
【数７１】
2020513177.tif 000078
は２つの隣接する繰り返し又は２つの隣接するグラントフリーオケージョン間でシフトされるリソースブロック（ＲＢ）の数である。ｍ又は
【数７２】
2020513177.tif 000079
は、半静的シグナリング（例えば、ＲＲＣシグナリング）又は動的シグナリング（例えば、ＤＣＩ）を用いてＵＥにシグナリングされ得る。
【数７３】
2020513177.tif 000080
及び
【数７４】
2020513177.tif 000081
は、ＴＢの第１の伝送繰り返しのための初期サブバンドインデックス又はＲＢシフティングインデックスであり、ＲＲＣ又はＤＣＩシグナリングでＵＥにより任意選択的にシグナリングされるか、又はシグナリングすることなくデフォルトとして固定値（例えば、０）になり得る。
【０１４９】
ｍ及び
【数７５】
2020513177.tif 000082
に基づくシグナリングは、シーケンス
【数７６】
2020513177.tif 000083
）のシグナリングと比較して可能なホッピングパターンのサブセットを提供し、シグナリングオーバーヘッドをさらに低減する。図４の例における２０個のＵＥのリソースホッピングパターンは、ｍ及び
【数７７】
2020513177.tif 000084
を用いてすべてシグナリングされ得る。
【０１５０】
いくつかの実施形態において、
【数７８】
2020513177.tif 000085
、
【数７９】
2020513177.tif 000086
、ｍ又は
【数８０】
2020513177.tif 000087
は、ＵＥ  ＩＤのタイプの関数であり得る。ＵＥ  ＩＤは、グループ内のＧＦ−ＲＮＴＩ又はＣ＿ＲＮＴＩ又は上位層ＩＤ又はＵＥインデックス（例えば、ｇｒｏｕｐ＿ＲＮＴＩのＲＲＣでシグナリングされるグループ間のＵＥインデックス）であるか、又はリソース／ＲＳ位置及びホッピングパターンを決定するために用いられるグループＩＤ又はｇｒｏｕｐ＿ＲＮＴＩ又はＵＥインデックスであり得る（例えば、図４において、図におけるＵＥインデックスは、リソース及びリソースホッピングパターンを導出するために用いられるインデックスであり得て、上位層シグナリング、ＤＣＩシグナリング又はブロードキャストシグナリングでＢＳによりシグナリングされ得る）。関数は、基地局及びＵＥの両方により知られ得る。そのような場合において、
【数８１】
2020513177.tif 000088
、
【数８２】
2020513177.tif 000089
、ｍ又は
【数８３】
2020513177.tif 000090
は、明示的にシグナリングされる必要はなくてよく、ＵＥはｍ又は
【数８４】
2020513177.tif 000091
をＵＥ  ＩＤから導出できる。いくつかの実施形態において、ｍは
【数８５】
2020513177.tif 000092
として導出され得る。例えば、図４において、ＵＥ１、ＵＥ６、ＵＥ１１及びＵＥ１６が同じグループＩＤで構成され、各グループ内のＵＥインデックスがそれぞれ１，２、３及び４として構成されていると仮定する。そして
【数８６】
2020513177.tif 000093
に基づいて、図４において定数＝０であり
【数８７】
2020513177.tif 000094
＝５であると仮定する。そしてシステムはＵＥ１、ＵＥ６、ＵＥ１１及びＵＥ１６にそれぞれｍ＝１、２、３、４を有するであろう。これは、ＵＥ１、ＵＥ６、ＵＥ１１及びＵＥ１６が１つのタイムスロットから次のタイムスロットに１、２、３、４つのサブバンドを巡回的にホップすることを意味し、図４において定義されるホッピングルールと同じである。この例において、ＵＥ  ＩＤはグループ中のＵＥインデックスであり、ＵＥのグループはタイムスロット０でサブバンドインデックスを共有する。いくつかの実施形態において、グループＩＤ及びグループ内のＵＥインデックスは、ＲＲＣ又はＤＣＩシグナリングでシグナリングされるホッピングパターン導出に割り当てられた単一のＵＥインデックスから導出され得る。いくつかの実施形態において、初期サブバンドインデックス（例えば、
【数８８】
2020513177.tif 000095
又は
【数８９】
2020513177.tif 000096
及び巡回シフト値（例えば、ｍ又は
【数９０】
2020513177.tif 000097
）は、ＲＲＣ又はＤＣＩシグナリングでシグナリングされるホッピングパターン導出に割り当てられた単一のＵＥインデックスから導出され得る。
【０１５１】
いくつかの実施形態において、ＵＥは、リソースホッピングパターンを算出するために用いられるＵＥインデックスであるＵＥ  ＩＤを割り当てられてよい。ＵＥインデックスは、ＲＲＣシグナリング又はＤＣＩシグナリングでシグナリングされてよい。例えば、このＵＥインデックスは図４に示される数と同じであってよい。各ＵＥは、割り当てられるＵＥインデックスに応じてホッピングパターンシーケンス
【数９１】
2020513177.tif 000098
を算出してよい。シーケンスは、
【数９２】
2020513177.tif 000099
又は
【数９３】
2020513177.tif 000100
の手法で算出されてよく、
【数９４】
2020513177.tif 000101
はタイムスロット０でのサブバンドインデックスであり、ｍ'は１つのスロットから次のスロットへのサブバンドの巡回シフトである（すなわち、前述したｍと同じ）。いくつかの実施形態において、
【数９５】
2020513177.tif 000102
及びｍ'は明示的にシグナリングされ得る。いくつかの実施形態において、
【数９５】
2020513177.tif 000103
及びｍ'は、例えば
【数９６】
2020513177.tif 000104
及び
【数９７】
2020513177.tif 000105
に基づくいくつかのＵＥ  ＩＤから導出され、Ｃ１、Ｃ２及びＣ３は、同じフレーム及び同じセルにおける全てのＵＥに共通する値である。Ｃ１＝Ｃ２＝−１であり、Ｃ３＝１である場合、
【数９８】
2020513177.tif 000106
又は
【数９９】
2020513177.tif 000107
から取得されるホッピングパターンは、図４において定義されるホッピングルールと同じであろう（ＵＥ  ＩＤは図に示される整数番号であると仮定する）。いくつかの実施形態において、
【数１００】
2020513177.tif 000108
はグループＩＤに応じて導出され得て、ｍ'はグループ間のＵＥインデックスに応じて導出される。例えば、グループ４０６ａ、４０６ｂ、…、及び４０６ｅにグループＩＤが０、１，２，３，４で割り当てられ、ＵＥインデックスは図に示される数の順序に基づいて割り当てられる場合。そして、システムが
【数１０１】
2020513177.tif 000109
を有しｍ'＝グループ間のＵＥインデックスである場合、ＵＥは図４に示されるものと同じホッピングルールを導出することもできる。両方の場合、ＲＳはＵＥ  ＩＤに応じて明示的に構成又は導出され、例えば、ＲＳはＵＥ  ＩＤの関数であるｍ'、又はｍ'の関数、又は
【数１０２】
2020513177.tif 000110
に等しい。この場合、同じリソースでＲＳ衝突が発生しないであろう。
【０１５２】
いくつかの実施形態において、ＲＳパラメータはシグナリングされた巡回シフト値ｍ'、例えば、
【数１０４】
2020513177.tif 000111
がＲＳインデックスの総数であり、Ｃ４が定数である
【数１０３】
2020513177.tif 000112
から導出される。いくつかの他の実施形態において、ＲＳパラメータは半静的（例えば、ＲＲＣ）又は動的（例えば、ＤＣＩ）シグナリングで明示的にシグナリングされる。ホッピングパターン／パラメータ又はホッピングシーケンスの一部又は全部は、ＲＳパラメータから導出され得る。例えば、ＵＥ固有のＲＲＣシグナリングはＲＳパラメータ（例えば、ＲＳインデックス）を、任意選択的に、初期サブバンドインデックスを示してよく、一方で巡回シフト値ｍ又はｍ'は割り当てられたＲＳパラメータ、例えば、Ｃ５が整数である
【数１０５】
2020513177.tif 000113
を用いて導出され得る。ＲＳインデックスの一例は、ＬＴＥで用いられる巡回シフト及びＯＣＣインデックスである。
【０１５３】
いくつかの実施形態において、ＣＴＵサイズが予め定義又は固定される場合、等式１におけるＶＲＢインデックスは、特定のタイムスロット（例えば、タイムスロット０及びフレーム０でのＣＴＵインデックスを表すＣＴＵ＿０）のＣＴＵインデックスにより置き換えられてよい。等式１において導出されたＰＲＢインデックスは、タイムスロットインデックスｉ及びフレームインデックスｊでのＣＴＵインデックスにより置き換えられてよい。いくつかの実施形態において、ＣＴＵ＿０は明示的に又は暗示的にシグナリングされてよい。いくつかの実施形態において、ＣＴＵ＿０は、例えば、ＣＴＵ＿０＝ｇｒｏｕｐ＿ＲＮＴＩ  ｍｏｄ（タイムスロットにおけるＣＴＵの数）に基づいて、ＵＥ  ＩＤ又はグループＩＤ（例えば、ＧＦ−ＲＮＴＩ、Ｃ‐ＲＮＴＩ又はｇｒｏｕｐ＿ＲＮＴＩ）から導出され得る。
【０１５４】
いくつかの実施形態において、ＣＴＵサイズが固定されているか、又はＵＥに知られている場合、ＶＲＢインデックスは明示的にシグナリングされる必要はなくてよい。例えば、ＣＴＵにおけるＲＢの数が５で固定される場合、ＶＲＢインデックス｛０，１，２，３，４｝がシグナリングされたかのように、ＶＲＢインデックス｛０，１，２，３，４｝で
【数１０６】
2020513177.tif 000114
がデフォルトされ得る。
【０１５５】
いくつかの実施形態において、ＵＥのために用いられるＲＳインデックスは、ＵＥに固定され得て、明示的にシグナリングされ得る。一実施形態において、ＵＥが後続の伝送における異なるサブバンドにホップする場合にＵＥにより用いられる参照信号は、前回の伝送で用いられた参照信号から変化する。ホッピングパターンは、時間位置の関数であり得て、セル固有（又は同じセルにおけるＵＥに共通する）であり得る。したがって、固定されたＲＳ割り当てがＲＳ衝突をもたらさない場合、ホップした割り当てもＲＳ衝突をもたらさない。一実施形態において、後続の伝送において用いられる参照信号は以下の等式により与えられる。
【０１５６】
【数１０７】
2020513177.tif 000115
【数１０８】
2020513177.tif 000116
は後続の伝送において用いられる参照信号であり、
【数１０９】
2020513177.tif 000117
は特定のスロット（例えば、スロットインデックス０及びフレームインデックス０）において用いられる参照信号であり、
【数１１０】
2020513177.tif 000118
は割り当てられた参照信号の総数である。別の例において、スロットインデックスｉ及びフレームインデックスｊは、ｉの関数として疑似乱数シーケンスに置き換えられてよく、シーケンスはセルＩＤを用いて初期化され得る。
【数１１１】
2020513177.tif 000119
は明示的に、例えば、ＤＣＩ又はグループＤＣＩ又はＲＲＣシグナリングでシグナリングされ得る。いくつかの実施形態において、
【数１１２】
2020513177.tif 000120
はＵＥ  ＩＤに応じて暗示的に導出されることも可能であり、ＵＥ  ＩＤは、グループ（例えば、ｇｒｏｕｐ＿ＲＮＴＩのＲＲＣでシグナリングされるグループ間のＵＥインデックス）内のＧＦ−ＲＮＴＩ又はＣ‐ＲＮＴＩ又は上位層ＩＤ又はＵＥインデックス、又はグループＩＤ又はｇｒｏｕｐ＿ＲＮＴＩであり得る。本開示において説明されているすべてのＲＳインデックスシグナリング方法は、ＭＡ署名割り当てに適用可能又は一般化可能である。
【０１５７】
いくつかの実施形態において、リソースホッピングパターン
【数１１３】
2020513177.tif 000121
は、疑似乱数シーケンスから導出され得る。しかしながら、ＵＥ固有の疑似乱数シーケンスに基づく代わりに、疑似乱数シーケンスはグループ固有であり得る。いくつかの実施形態において、ＵＥがグループとして同じリソースを共有することを想定する代わりに、ＵＥは同じＲＳ信号の再利用に基づいてグループ化され得る。これらのＵＥは、同時に同じリソースで伝送しない可能性がある。各グループは同じグループＩＤを共有し得て、グループ内のＵＥはグループ間で異なるＵＥインデックスを有し得る。グループＩＤ及びＵＥインデックスは、例えば、ＲＲＣシグナリングで明示的にシグナリングされてもよく、又は暗示的に算出（例えば、ＵＥにシグナリングされ得る単一のＵＥ  ＩＤの関数として算出）されてもよい。例えば、図４において、ＵＥ１、ＵＥ２、ＵＥ３、ＵＥ４及びＵＥ５は、グループＩＤ＝０で１つのグループにグループ化されてよく、ＵＥ６、ＵＥ７、ＵＥ８、ＵＥ９及びＵＥ１０は、グループＩＤ＝１…などを有する別のグループに属する。ＵＥインデックスは、同じグループにおいて、より低い数からより高い数に決定され得る。同じグループ内でＵＥがアクセスするリソースのサイズは異なり得て、サイズは図に示されていないが、ＵＥはいくつかの特性、例えば、１つのスロットに同じサブバンドインデックスを共有し得る。ホッピングパターン
【数１１４】
2020513177.tif 000122
は、ＵＥの各グループが各タイムスロットで疑似乱数置換を実行し得て、置換パターンに基づいて１つずつサブバンドにマッピングされるように計算され得る。例えば置換パターンがタイムスロットで｛５，１，２，３，４｝である場合、ホッピングパターンは、ＵＥ１、ＵＥ２、ＵＥ３、ＵＥ４及びＵＥ５の場合、図４におけるタイムスロット４０２ｂと同じであり得る。疑似乱数置換は、グループ内の全てのＵＥに対して同じであるが、異なるグループにおけるＵＥに対しては異なり得る。これは、疑似乱数シーケンスを用いて異なる置換パターンを表すことにより実行できる。例えば、
【数１１５】
2020513177.tif 000123
個の可能な様々な置換パターンが存在し、したがって、疑似乱数シーケンスを生成して０とすべての可能な置換パターンを表す
【数１１６】
2020513177.tif 000124
−１との間からランダムに整数値を均一に取得し得る。疑似乱数シーケンスを生成するための様々な手法がある。疑似乱数シーケンス生成の一例は、３ＧＰＰ  ＴＳ  ３６．２１３の項７．２で確認できる。疑似乱数シーケンスは、シードを用いて生成されてもよく、グループＩＤの関数として初期化されてもよい。したがって同じグループからのＵＥは同じ置換パターンを有するであろう。グループＩＤの関数として初期化された疑似乱数数に基づいて置換パターンを決定した後、ＵＥは、グループ間のＵＥインデックス及び置換パターンに基づいてホッピングパターン
【数１１７】
2020513177.tif 000125
のサブバンド位置を決定し得る。ＲＳは、明示的にシグナリング又は暗示的に導出され得る。いくつかの実施形態において、ＲＳは、例えばＲＳ＝（グループＩＤ＋共通項）  ｍｏｄ  （ＲＳの総数）に基づくグループＩＤの関数として導出され得る。共通項は任意選択的であり、同じセルにおけるすべてのＵＥに対して同じ項を意味し、例えば、フレームインデックス、タイムスロットインデックスなどの関数であり得る。グループＩＤが連続する整数になるようにセットされ、グループがＲＳインデックスの数より少ない場合、ＲＳ衝突は発生しない。いくつかの実施形態において、グループＩＤ又はグループＩＤのＵＥインデックスは、単一のＵＥ  ＩＤから導出され得る。ＵＥ  ＩＤは、リソース構成（例えば、ＲＲＣ又はＤＣＩ）のために各ＵＥにシグナリングされてよい。ＵＥ  ＩＤは、ＧＦ−ＲＮＴＩ、Ｃ‐ＲＮＴＩ、上位層ＩＤ、図４に示されるようなＧＦリソースの算出のためのＵＥインデックスなどであり得る。例えば、ＵＥ  ＩＤが図４に示されるＵＥインデックスである場合、グループ内のグループＩＤ及びＵＥインデックスは
【数１１８】
2020513177.tif 000126
及び
【数１１９】
2020513177.tif 000127
として導出されてよく、Ｃ１＝Ｃ２＝−１、Ｃ３＝０を取る場合、図４において同じグループにおける、グループＩＤ＝０の、ＵＥインデックスがそれぞれ０,１,２,３,４であるＵＥ１、ＵＥ２、ＵＥ３、ＵＥ４、ＵＥ５を取得し得る。ＵＥ６、ＵＥ７、…、ＵＥ１０はグループＩＤ＝１のグループに属する。このように、ホッピングパターン
【数１２０】
2020513177.tif 000128
及びＲＳは、他のシグナリングなく単一のＵＥ  ＩＤから導出されてよく、グループにおけるＵＥは同じＲＳを再利用し得る。同じグループに属するＵＥは、グループシグナリング、例えば、グループＤＣＩを用いて構成されてもよく、この場合、グループ間のグループＩＤ及びＵＥインデックスは、例えば、ＲＲＣシグナリングで構成されてよい。ＵＥはグループＤＣＩでシグナリングされ得るＲＳ、ＶＲＢインデックスを共有してよい。グループ内のＵＥのホッピングパターンは、上記のランダム置換方法を用いて生成され得る、異なるパターンである。いくつかの他の実施形態において、ホッピングパターンは明示的に又は暗示的にシグナリングされてもよく、
【数１２１】
2020513177.tif 000129
）及びｍ'及び
【数１２２】
2020513177.tif 000130
又は
【数１２３】
2020513177.tif 000131
の算出を介してシグナリングしてもよい。
【数１２４】
2020513177.tif 000132
はグループ間のＵＥインデックスの関数であり（例えば、
【数１２５】
2020513177.tif 000133
、及びｍ'はグループＩＤの関数（例えば、
【数１２６】
2020513177.tif 000134
である。
【０１５８】
いくつかの実施形態において、ホッピングパターンはシグナリングされたＲＳパラメータを用いて、例えば、半静的（例えば、ＲＲＣシグナリング）又は動的シグナリング（例えば、ＤＣＩシグナリング）でシグナリングされるＲＳインデックスを用いて導出されてよい。ホッピングシーケンス（例えば、
【数１２７】
2020513177.tif 000135
）は、少なくともシグナリングされたＲＳパラメータにより初期化される疑似乱数関数を用いて導出されてよい。例えば、ホッピングシーケンスはＲＳパラメータの関数としてシードを有する疑似乱数関数であってよい。初期化は、ＲＳパラメータに加えて、他パラメータ、例えば、ＵＥ  ＩＤ及び／又はセルＩＤに依存してもよい。
【０１５９】
いくつかの実施形態において、ＵＥインデックスをホッピングパターンにマッピングするための予め定義されたルールテーブル（例えば、図４等）があってもよい。ルールテーブルは、ＢＳ及びＵＥの両方により知られてよい。ＵＥは、ＵＥインデックスとリソースホッピングパターン及び／又はＲＳ／ＲＳホッピングパターンとの間のマッピングに基づいてホッピングパターンを導出し得る。ＵＥインデックスは、ＵＥによりシグナリング（例えば、ＲＲＣ又はＤＣＩで）又は予め定義され／知られてよい。
【０１６０】
いくつかの実施形態において、リソースは、例えば、図３Ａ及び３Ｂに示す例と同様に、グループＤＣＩのようなグループ又はマルチキャストシナグリングを介して、構成／部分的に構成又は更新されてよい。本開示全体を通して、グループＤＣＩは共通ＤＣＩ、グループ共通ＤＣＩ又はグループ共通ＰＤＣＣＨ、グループ共通ＮＲ‐ＰＤＣＣＨ、ＵＥのグループへのＤＣＩ、又は単にＵＥのグループを標的化するダウンリンク制御チャネルを指してもよい。リソースは、マルチキャストシナグリング、例えば、グループＲＲＣ（ＵＥのグループを標的化するＲＲＣ）のいくつかの他の低速タイプ（非動的）で構成されてもよい。いくつかの実施形態において、ＵＥのグループは所与のサブフレームで同じリソースに関連付けられてよい。例えば、ＵＥ１、ＵＥ６、ＵＥ１１及びＵＥ１６はリソース４０６ａを共有してよい。いくつかの実施形態において、ＵＥのグループは１つのタイムスロットでＧＦリソースにすべてのアクセスする可能性があるＵＥに関連付けられてよい。ＵＥのグループは、例えば、ＲＲＣシグナリングにおいて、グループ間の共通グループＩＤ（例えば、ｇｒｏｕｐ＿ＲＮＴＩ）及びＵＥ固有のＵＥインデックスにシグナリングされてよい。ＵＥインデックスは、同じグループ内の異なるＵＥに対して異なってよい。グループＤＣＩを送信する場合、グループＩＤ（又はｇｒｏｕｐ＿ＲＮＴＩ）はＤＣＩ信号のサーチスペースを定義するために用いられ、ＣＲＣはｇｒｏｕｐ＿ＲＮＴＩを用いてスクランブルされる。いくつかの実施形態において、グループ共通ＤＣＩのサーチスペースは、共通サーチスペース内にあってよい。ＵＥは、ＣＲＣを復号するためにｇｒｏｕｐ＿ＲＮＴＩを用いることが可能であり、ＵＥが属するグループをグループＤＣＩが標的化していることを認識する。ＵＥのグループは、グループＤＣＩにおいて、共通ＶＲＢインデックス又はＰＲＢインデックス（
【数１２８】
2020513177.tif 000136
）、共通ＭＣＳ値、新たなデータインジケータ（ＮＤＩ）及び冗長バージョン（ＲＶ）などをシグナリングされてよい。しかしながら、ＵＥのホッピングパターン及びＲＳ値は、グループ内の異なるＵＥに対して異なってよく、ホッピングパターンは、ＲＲＣシグナリングで以前に構成され得るグループのＵＥインデックスに関連付けられ得る。さらに特定の例において、ｍの値は、グループのＵＥインデックスの関数、例えば、
【数１２９】
2020513177.tif 000137
【数１３０】
2020513177.tif 000138
であり得る。別の例において、グループシグナリングは、
【数１３１】
2020513177.tif 000139
を明示的にシグナリングしてよく、ホッピングパラメータｍ'はグループのＵＥインデックス、例えば、
【数１３２】
2020513177.tif 000140
及び
【数１３３】
2020513177.tif 000141
に応じて導出されてよい。
【数１３４】
2020513177.tif 000142
は、シグナリングされずデフォルト値を取る可能性があってもよく、デフォルト値は０であり得る。この場合、ホッピングパターンはグループの各ＵＥに対して明示的にシグナリングされる必要はない。ＲＳ値は、グループ間のＵＥインデックスに関連付けられ得る。例えば、ＲＳはグループ間のＵＥインデックスの関数として導出され得て、同じグループ内の異なるＵＥは異なるＲＳ、例えば、
【数１３５】
2020513177.tif 000143
又は
【数１３６】
2020513177.tif 000144
を用いてよい。構成されるＲＳインデックスは任意選択的であり得る。いくつかの実施形態において、グループＤＣＩを用いるリソース更新又は構成／再構成の場合、ホッピングパターンは、少なくともＵＥ  ＩＤ、ＲＳパラメータ、セルＩＤ又はそれらの任意の組み合わせにより初期化される疑似乱数シーケンスを用いて導出されてよい。
【０１６１】
いくつかの実施形態において、ＲＲＣシグナリングで構成されるグループ間のｇｒｏｕｐ＿ＲＮＴＩ及びＵＥインデックスは、グループ  ＡＣＫ/ＮＡＣＫ、グループＤＣＩを介したリソース／ＭＣＳ更新にも用いられ得る。グループＤＣＩはグループ共通ＮＲ‐ＰＤＣＣＨであり得る。グループ  ＡＣＫ/ＮＡＣＫ、ＭＣＳ更新及びリソース更新に用いられるｇｒｏｕｐ＿ＲＮＴＩ及びＵＥインデックスは、ＧＦリソース構成のために構成されるグループＲＮＴＩ及びＵＥインデックスと同じ又は異なってよい。
【０１６２】
等式１の使用例として、リソースブロックの数、
【数１３７】
2020513177.tif 000145
は２５であってよく、ＰＲＢインデックスは０から２４の範囲であってよく、周期性は２であってよく（すなわち、アクセス機会毎に２つのタイムスロットがあってよい）、フレームは１０ミリ秒であってよい。さらに、図４に戻ると、サブバンド４０４ａは０から４のＰＲＢインデックスを有してよく、サブバンド４０４ｂは５から９のＰＲＢインデックスを有してよく、サブバンド４０４ｃは１０から１４のＰＲＢインデックスを有してよく、サブバンド４０４ｄは１５から１９のＰＲＢインデックスを有してよく、サブバンド４０４ｅは２０から２４のＰＲＢインデックスを有してよい。例として、ＵＥ１４は、タイムスロット４０２ａのグループ４０６ｄ内にあり、したがってタイムスロット４０２ａの１５から１９のＰＲＢインデックスを有する。ＵＥ１４がｍ＝３の巡回シフト値を与えられて、サブバンド毎のリソースブロックの数が
【数１３８】
2020513177.tif 000146
＝５である場合、ＵＥ１４は１つのスロットから次のスロットへ３に５を乗算してシフトするため、ＵＥ１４は１つのスロットから次のスロットへ１５の巡回シフトを有する。すなわち、ＵＥ１４のＵＥ固有の巡回シフト値は
【数１３９】
2020513177.tif 000147
＝１５＝（３＊５）である。したがって、タイムスロット４０２ｄにおいて、ＵＥ１４のＰＲＢインデックスは（１５＋１５＊３＋０）  ｍｏｄ  （２５）になり、１０に等しい。従って、タイムスロット４０２ａから３離れた巡回シフトであるタイムスロット４０２ｄにおいて、ＵＥ１４は１０から１４のＰＲＢインデックスを有するため、サブバンド４０４ｃを用いてグループ４０６ｒ内にある。
【０１６３】
リソースホッピングパターンは、１つのタイムスロットにおいてＶＲＢ又はＰＲＢ割り当てにより、及びリソースホッピングパラメータにより定義され得る。一実施形態において、リソースホッピングパラメータは基地局により明示的にシグナリングされる。別の実施形態において、リソースホッピングパラメータは異なる時間ユニットにおける固有サブバンドインデックスにより示される。別の実施形態において、リソースホッピングパラメータは時間ユニット及び任意選択的に初期サブバンドインデックスに対する巡回シフト値を用いて構成される。別の実施形態において、リソースホッピングパラメータは疑似乱数シーケンスから導出されるサブバンドインデックスにより示される。疑似乱数シーケンスはＵＥ固有であり得る。例えば、疑似乱数シーケンスはＵＥ  ＩＤに応じて初期化され得る。疑似乱数シーケンスはセルＩＤも含めてよい。疑似乱数シーケンスは、ＲＳインデックスに応じても初期化され得る。以下は、割り当てられたＶＲＢインデックス及びホッピングシーケンスからのリソースホッピングパターンの構成及び導出の詳細例を提供する。しかしながら、リソースホッピングパターンに対する実際の等式／ルールは変更され得る。
【０１６４】
予め定義されたホッピングパターンを有するアップリンク周波数ホッピングが有効になる場合、スロット
【数１４０】
2020513177.tif 000148
で伝送のために用いられるべき物理リソースブロックのセットは、ＤＣＩ又はＲＲＣシグナリングにおけるＶＲＢ割り当てならびに以下の数式に従って予め定義された又はシグナリングされたパターンにより与えられる。
【数１４１】
2020513177.tif 000149
【数１４２】
2020513177.tif 000150
は、ＤＣＩ又はＲＲＣシグナリングで明示的にシグナリングされたリソースブロック割り当てから取得される。パラメータｐｕｓｃｈ−ＨｏｐｐｉｎｇＯｆｆｓｅｔ、
【数１４３】
2020513177.tif 000151
は、上位層により提供される。
【数１４４】
2020513177.tif 000152
は、仮想リソースブロック割り当てである。ｆｈｏｐ（ｉ）は、どのサブバンドでホップするかを指定する。上記のランダムシーケンスは、ホッピングをＵＥ固有にさせるためにＵＥ  ＩＤの関数で初期化される。いくつかの実施形態において、ＵＥ  ＩＤは単独で用いられ、いくつかの実施形態においてＵＥ  ＩＤはセルＩＤと共に用いられる。本例で用いられるマッピング関数ｆ'（）及びｆ（）は、 
【０１６５】
［等式３］
【数１４５】
2020513177.tif 000153
及び  ［等式４］
【数１４６】
2020513177.tif 000154
により与えられる。
【０１６６】
本例において、各サブバンドのサイズ
【数１４７】
2020513177.tif 000155
は、
【数１４８】
2020513177.tif 000156
により与えられる。
【０１６７】
サブバンドの数
【数１４９】
2020513177.tif 000157
は、上位層により与えられる。関数
【数１５０】
2020513177.tif 000158
は、ミラーリングが用いられているか否かを決定する。ミラーリングパターンの項は任意選択的であってよい。上位層により提供されるパラメータＨｏｐｐｉｎｇ−ｍｏｄｅは、ホッピングがサブフレーム間であるか、又はサブフレーム内及びサブフレーム間であるかを決定する。
【０１６８】
ホッピング関数
【数１５１】
2020513177.tif 000159
及び関数
【数１５２】
2020513177.tif 000160
は、
【０１６９】
【数１５３】
2020513177.tif 000161
【数１５４】
2020513177.tif 000162
【数１５５】
2020513177.tif 000163
により与えられ、疑似乱数シーケンス
【数１５６】
2020513177.tif 000164
は３ＧＰＰ  ＴＳ  ３６．２１３のｃｌａｕｓｅ  ７．２  により与えられる。ＣＵＲＲＥＮＴ＿ＴＸ＿ＮＢは、スロット
【数１５７】
2020513177.tif 000165
で伝送されるトランスポートブロックに対する伝送数を示す。疑似乱数シーケンス生成器は、
【数１５８】
2020513177.tif 000166
又は
【数１５９】
2020513177.tif 000167
で初期化されてよい。
【０１７０】
本例において、  ｆｈｏｐ（ｉ）は明示的にシグナリングされるか、又は
【数１６０】
2020513177.tif 000168
又は
【数１６１】
2020513177.tif 000169
又は
【数１６２】
2020513177.tif 000170
であるｍの値をシグナリングしてもよい。
【０１７１】
いくつかの実施形態において、シグナリングには単一ホッピングパターンフィールドがあってよく、フィールドのいくつかの値は、ＵＥ固有又はグループ固有の疑似乱数シーケンスを用いて生成されたホッピングシーケンスを指す。いくつかの他の値は、ホッピングパターンの明示的なシグナリングを表してよい。例えば、ｍ又は
【数１６３】
2020513177.tif 000171
及びｍ'を明示的にシグナリングしてよい。
【０１７２】
すべてのホッピングパターンの構成、導出及びシグナリング方法は、異なる周波数、例えば、異なる帯域又はサブバンドに対するホッピングに基づいて説明されていることを留意されたい。同じ方法／メカニズム／シグナリングは、異なるタイムスロットにおけるリソースに対するホッピング、又は異なる周波数帯域及び異なるタイムスロットの組み合わせにおけるリソースに対するホッピングに適用可能であってよい。本開示に説明されるサブバンドは、サブバンド、キャリア、サブキャリア、帯域幅部分、リソースブロック又はリソースブロックグループ、サブキャリアの数、リソースブロックの数及びリソースブロックグループのような任意の周波数パーティションを表し得る。
【０１７３】
基地局は、ＵＥがグラントフリーアップリンク伝送で用いるべき時間及び周波数リソースを示すグラントフリーＵＥにシグナリングを送信してよい。一実施形態において、例えば、シグナリングはリソースブロックインデックス（タイムスロット０及びフレーム０又はＶＲＢインデックスのＵＥ固有のグラントフリーリソースにおけるＰＲＢインデックス）を含む。リソースブロックインデックスは、リソースブロックの開始及び終了を指定してもよく、リソースブロックの開始及び数を指定してもよく、固有リソースブロックインデックスを指定してもよい。そのようなシグナリングは、ＲＲＣシグナリング又はＤＣＩで実行されてよく、初期ＰＲＢ又はＶＲＢインデックスを含んでよい。シグナリングはさらに、１つのタイムスロットに対して示され得る、経時的にホップし得る参照信号インデックスを含んでよい。そのようなシグナリングは、ＲＲＣシグナリング又はＤＣＩで実行されてよく、初期参照信号インデックスを含んでよい。代替的に、参照信号インデックスは、グループ間のＵＥのインデックスに従って暗示的にシグナリングされてよい。シグナリングはさらに、２つのタイムスロットの間にＵＥ固有の巡回シフト値を含んでよい。そのようなシグナリングは、ホッピングパターンを指定するための１つの手法である。そのようなシグナリングは、ＲＲＣシグナリング又はＤＣＩで実行されてよい。より一般的には、シグナリングは、ｉがスロットインデックスであるＵＥ固有のホッピングパターン
【数１６４】
2020513177.tif 000172
を含んでよい。シグナリングはさらに、グラントフリーリソースの総数（
【数１６５】
2020513177.tif 000173
）又はサブバンドの数（
【数１６６】
2020513177.tif 000174
）を含んでよい。各サブバンド又はＣＴＵサイズにおけるＲＢの数はシグナリングされるか、又は
【数１６７】
2020513177.tif 000175
及び
【数１６８】
2020513177.tif 000176
から導出されてよい。そのようなシグナリングは、例えばＳＩＢ又はＲＲＣシグナリングにおけるブロードキャストシグナリング又は上位層シグナリングであってよい。シグナリングはさらに、各サブバンド（
【数１６９】
2020513177.tif 000177
）にリソースブロックの数を含んでよい。そのようなシグナリングは、例えばＳＩＢにおけるブロードキャストシグナリングであってよい。シグナリングは任意選択的に、フレーム間の時間ユニットの数であるホッピングパターンの周期性を含み、各フレームにデフォルトを有してよい。そのようなシグナリングは、ＲＲＣシグナリングで実行されてよい。シグナリングは任意選択的に、２つのグラントフリー領域（又は周期性）間に時間間隔を含み、１つのＴＴＩにデフォルトを有してもよい。すなわち、複数のリソース領域は経時的に構成されてよく、時間間隔はスロットの数、及び図４におけるタイムスロット４０２のようなスロット間の時間を指定してよい。そのようなシグナリングはＲＲＣシグナリングで実行されてよい。
【０１７４】
一実施形態において、基地局は、ＵＥが１つのサブバンドから別のサブバンドにホップする量、
【数１７０】
2020513177.tif 000178
又は
【数１７１】
2020513177.tif 000179
をＵＥに明示的にシグナリングしてよい。一実施形態において、
【数１７２】
2020513177.tif 000180
又は
【数１７３】
2020513177.tif 000181
は、以下の数式に基づくＵＥインデックスｍの関数である。
【数１７４】
2020513177.tif 000182
【数１７５】
2020513177.tif 000183
リソースホッピングパラメータは、どのリソースブロックが用いられるべきか、及びどのホッピングパラメータが用いられるべきかを指定する。リソースホッピングパラメータにおいて、基地局は、ＵＥがホップするサブバンドを明示的に指定してよい。基地局は、ＵＥが次のスロットでシフトするべきリソースブロックの数を指定してもよい。
【０１７５】
一実施形態において、セルのカバレッジエリアにおける複数のグラントフリーＵＥにより用いられるべきリソースの構成又は更新は、図４のグループ４０６のような、セルにおけるＵＥのグループに対するマルチキャストシナグリングを介して達成される。マルチキャストシナグリングは同時に、ＵＥのグループためのリソースを構成してよい。ＵＥのグループは、１つのＴＴＩに同じグラントフリーリソースを共有してよい。一実施形態において、ＵＥのグループは、フレームの１つの特定のスロットにおける同じグラントフリーリソース（例えば、タイムスロットインデックス０）、又は同じ初期伝送を共有する。マルチキャストシナグリングは、グループ共通ＤＣＩにより、又は低速マルチキャストシナグリングにより実装され得る。マルチキャスト構成シグナリングは、ＵＥのグループに共通の最初のグラントフリーリソース、又は所与のＴＴＩにおける共通リソースを含んでよい。シグナリングはさらに、グループに共通ではい可能性のある参照信号パラメータを含んでよい。参照信号インデックスは、グループ間のＵＥのインデックスに従って暗示的にシグナリングされ得る。シグナリングはさらに、異なるタイムスロット又は繰り返し／再伝送のリソースホッピングパターンを含んでよい。リソースホッピングパターンは、グループにおけるＵＥ毎に異なってよく、グループ間のＵＥインデックスに従って暗示的にシグナリングされてもよい。
【０１７６】
さらに、マルチキャストシナグリングは、グループ共通ＮＲ‐ＰＤＣＣＨ又はグループＤＣＩを用いて実行されてよい。グループＤＣＩのリソース構成は、以下のように実行されてよい。グループ共通ＤＣＩサーチスペースは、グループ無線ネットワーク一時識別子（ＲＮＴＩ）により定義されてよく、巡回冗長検査（ＣＲＣ）はグループＲＮＴＩによりスクランブル処理されてよい。グループＤＣＩにおいて、リソースブロック割り当ては、初期伝送に対して、又はグループ内の全てのＵＥに対する所与のタイムスロットに対して成されてよい。参照信号パラメータ（巡回シフト値など）は、所与のタイムスロットに対して又はインデックス０を有するＵＥの初期伝送に対して構成されてよい。他のＵＥのインデックスは、例えば
【数１７６】
2020513177.tif 000184
又は
【数１７７】
2020513177.tif 000185
に基づいて、同じリソースにおいて同じ参照信号を有する２つのＵＥがないように、グループ間のＵＥインデックスを用いて導出されてよい。ＲＳインデックスがＵＥのインデックスに関してのみ定義される場合、ＲＳインデックスは明示的にシグナリングされる必要がない。他のタイムスロットの参照信号が、所与のタイムスロットから導出されてよい。加えて、リソースホッピングパターンが構成されてよい。ＵＥ固有のリソースホッピングパターンが、例えば、
【数１７８】
2020513177.tif 000186
に基づいて、ＵＥインデックスにより決定されてよい。
【０１７７】
一実施形態において、グループ共通ＤＣＩのｇｒｏｕｐ＿ＲＮＴＩを構成するために、及びグループＲＮＴＩにおけるＵＥインデックスを構成するためにユニキャストＲＲＣシグナリングが用いられてよい。
【０１７８】
一実施形態において、リソース構成は初期伝送のみのために実行され、再伝送リソースは構成されない。再伝送リソースはグラントベースの伝送に依存してよい。
【０１７９】
いくつかの実施形態において、グラントフリー初期伝送リソース及び再伝送／繰り返しリソースは個別に構成される。以下により詳細に説明されるように、グラントフリー伝送は、定義された回数であるＫを繰り返し実行するように構成されてよい。繰り返しの最大数は構成されてよい。ＵＥは、ＵＥがＡＣＫを受信する場合、最大に到達する前に繰り返しを停止してよい。このシナリオにおいて、グラントフリー再伝送リソースは、リソースホッピングパターンを用いて構成され得る。
【０１８０】
他の実施形態において、グラントフリーの初期及び再伝送リソースは共に構成される。そのような場合、ＵＥは、初期伝送及び再伝送に対して構成されたグラントフリーリソースのうちいずれかを使用し得る。
【０１８１】
一実施形態において、２タイプのグラントフリーリソースが構成される。タイプ１のリソースはセル固有であり、ブロードキャストシグナリングを用いて構成される。ＵＥは、さらなる構成なしでタイプ１のリソースにアクセスし得る。タイプ２のリソースはＵＥ固有であり、ブロードキャストシグナリング及びユニキャスト／マルチキャストシナグリングの組み合わせを用いて構成される。ＵＥは、ユニキャスト／マルチキャスト構成の後にのみリソースにアクセスし得る。タイプ１のリソースは、アイドル又は非アクティブ状態にあるＵＥに使用され得るが、他の状態、例えば、アクティブ状態にあるＵＥは、タイプ１のグラントフリーリソースを用いることから排除されない。タイプ２のリソースは、アクティブ状態にあるＵＥにのみ使用可能である。タイプ１のリソース及びタイプ２のリソースは、重複し得るか、又は完全に別個であり得る。タイプ１のリソースは、時間／周波数リソース／リソースプール及び参照信号プールの位置についての情報を包含し得るシステム情報ブロック（ＳＩＢ）に構成され得る。タイプ２のリソースは、ＳＩＢプラスＲＲＣシグナリングに構成され得て、ＳＩＢは、ホッピングのためのリソースブロックの総数及びサブバンドサイズのような共通リソース情報を包含し、ＲＲＣシグナリングは、ＵＥ固有のリソース割り当てを包含する。参照信号／多元接続署名は、タイプ１のグラントフリーリソースの参照信号プールからＵＥによりランダムに選択され得て、タイプ２のグラントフリーリソースのために半静的に予め構成され得る。
【０１８２】
２タイプのリソース間の差は、タイプ１の場合、ブロードキャストシグナリングにおいてのみ情報が受信され、ＵＥが任意のＵＥ固有の構成なしでリソースにアクセスし得るということである。タイプ２のリソースは、アクティブ状態にあるＵＥにのみ使用可能である。ＵＥがリソースを取得するために、ＵＥはまずＲＲＣシグナリングから構成情報を受信する必要がある。タイプ１及びタイプ２のリソースは、時間／周波数領域において区別され得る。一例として、１００個の参照信号／ＭＡ署名のプールがあってよく、タイプ１のグラントフリーリソースに対して、ＵＥは参照信号／ＭＡ署名のうち１つをランダムに選択してよい。タイプ２のＵＥの場合、ＭＡ署名／参照信号は半静的に構成され得る。参照信号は割り当てられてよく、潜在的リソースは参照信号に関連付けられてよい。
【０１８３】
タイプ１の場合、任意のＵＥ固有のリソース構成情報を待機することなく、あるいは任意のＵＥ固有のリソース構成情報に依存することなく、グラントフリーデータをＵＥが直接伝送する前に、ＵＥは、ＳＩＢ情報を復号し得る。タイプ１のＵＥは、任意のセル関連を有することなくＵＥが直ちに復号可能なＳＩＢに依存する。すなわち、タイプ１の場合、すべての必要なリソース（時間周波数リソース、ＭＡ署名／参照信号リソース及びＭＣＳを含む）が利用可能である。タイプ１のＵＥは、参照信号のプールからランダムに選択してリソースの使用を開始することを認識し得る。タイプ１のＵＥは、用いるべき固有リソースを知らされる必要がない。タイプ２のシグナリングは、個々のＵＥに具体的な構成を与える。
【０１８４】
一実施形態において、ＵＥのためのグラントフリーリソースは異なるタイムスロットにおいて構成され、リソースはグラントフリーリソースの１又は複数のアクセス間隔／周期、所与のスロットにおけるグラントフリーリソースの時間／周波数位置、リソースホッピングパターン、及び任意選択的にリソースホッピングパターンの繰り返しの周期性を用いて示される。構成されたグラントフリーリソースの時間／周波数位置のサイズは、ＵＥ固有であり得て、すべてのグラントフリーＵＥ間で同じではない可能性がある。ホップされたリソースは、初期伝送及び再伝送の両方に使用され得る、又は再伝送のみに使用され得るリソースホッピングパターンを用いて構成されてよい。リソースホッピングパターンは２タイプを含み得る。タイプ１は、ＵＥ固有のホッピングパターンの明示的な構成である。タイプ２は、ＵＥ固有の疑似乱数ホッピングパターンである。リソース構成は、ブロードキャストシグナリングプラスＲＲＣシグナリングを用いてシグナリングされてもよく、ブロードキャストシグナリングプラスＲＲＣシグナリングプラスＤＣＩを用いてシグナリングされてもよい。タイプ１のリソースホッピングパターンにおいて、ＰＲＢインデックスは、明示的に構成又はシグナリングされた１つのタイムスロットのＶＲＢインデックス、又はＰＲＢの数、又は１つのタイムスロットから次のタイムスロットに巡回的にシフトされたサブバンドのうち１又は複数に応じて導出され得る。１つのタイムスロットから次のタイムスロットに巡回的にシフトされたＰＲＢの数は、グラントフリーサブバンドのリソースブロックの数（Ｎｓｂ）で乗算された整数インデックスｍとして算出され得て、ＮｓｂはＳＩＢ内に構成され得る。インデックスｍは、グラントフリーサブバンド内で共通リソースを共有するＵＥに対して異なるように構成される。タイプ２のリソースホッピングパターンにおいて、ＰＲＢインデックスは、明示的に構成又はシグナリングされた１つのタイムスロットのＶＲＢインデックスに応じて導出され得る。付加的に又は代替的に、１つのタイムスロットから次のタイムスロットに巡回的にシフトされたＰＲＢの数は、各タイムスロットで変化する疑似乱数シーケンスに応じて計算され、疑似乱数シーケンスは、ＵＥ  ＩＤに応じて初期化される。したがって、各ＵＥは、疑似乱数ホッピングの異なるパターンを用いる。これは、ホッピングがセル固有であり、パターンがセルＩＤで初期化されるためセルのＵＥが同じパターンを用いるＬＴＥグラントフリーシナリオとは対照的である。いくつかの実施形態において、例えば、半静的（例えば、ＲＲＣ）又は動的（例えば、ＤＣＩ）シグナリングを用いて、タイプ１又はタイプ２のリソースホッピングパターンが用いられるかを構成可能である。いくつかの実施形態において、タイプ１又はタイプ２のリソースホッピングパターンは、ホッピングパターンの導出のためにＵＥにシグナリングされたホッピングインデックスの一部であり得る。
【０１８５】
参照信号パラメータの構成は、明示的に構成又はシグナリングされた１又は複数の初期参照信号の値、又はタイムスロットもしくはフレームインデックスに応じてホッピングする参照信号に応じて導出され得て、ホッピングパターンは、所与のタイムスロットにおける共通グラントフリーリソースを共有するＵＥに対して同じである。
【０１８６】
一実施形態において、マルチキャストシナグリングは、時間／周波数リソース、参照信号パラメータ、ＭＣＳ及び周期性を含む、ＵＥのグループに対するグラントフリーリソース割り当てを構成又は更新するために用いられる。１つの所与のタイムスロットのための時間／周波数リソースは、すべてのＵＥに対して共通に構成される。参照信号及びリソースホッピングパターンは、グループ間のＵＥインデックスの関数である。新たな参照信号は、
【数１７９】
2020513177.tif 000187
に従って、構成されている参照信号に基づいて決定されてよい。リソースホッピングパターンが用いられ得て、巡回シフト値ｍは、ＵＥインデックス（
【数１８０】
2020513177.tif 000188
）の関数である。マルチキャストシナグリングは、グループ共通ＤＣＩを用いて構成されてよい。ＲＲＣ構成において、グラントフリーグループ間のグラントフリーグループＲＮＴＩ及びＵＥインデックスが構成される。グループ共通ＤＣＩにおいて、サーチスペースの定義及びＣＲＣのスクランブル処理のためにグラントフリーグループＲＮＴＩが用いられる。参照信号、ＭＣＳ及び時間リソースは、グループ間で同一になるように構成され、最初の周波数リソース及びリソースホッピングパターンはグループ間で異なる。グループ内の異なるＵＥの周波数リソースは、タイムスロット毎に異なる周波数パーティション（サブバンド）にマッピングされる。ＵＥのサブバンドインデックスの位置は、グループ間のＵＥインデックスにより暗示的に示される。いくつかの実施形態において、ホッピングパターンは、各タイムスロットを変化する疑似乱数置換パターンに基づいて暗示的に算出される。疑似乱数パターンは、グループ固有（例えば、グループＲＮＴＩを用いて初期化されるシードを有する）である。
【０１８７】
各グラントフリーＵＥ毎に構成される複数の帯域幅部分（ＢＷＰ）があってよい。１又は複数のＢＷＰは各タイムスロットにおいてアクティブになり得る。リソースホッピングパターン又は周波数ホッピングパターンは、帯域幅部分（ＢＷＰ）毎に構成され得る。ホッピングは、１つのＢＷＰ内で定義されてよく、すなわち、異なるタイムスロットにおいてＵＥがホップする周波数サブバンドは同じＢＷＰに属する。いくつかの他の実施形態において、周波数ホッピングパターンは異なるＢＷＰに対して定義され得て、すなわち、ＵＥは異なるタイムスロットにおいて異なるＢＷＰにホップしてよい。上記で言及されるように、ＵＥは定義された回数Ｋのグラントフリー伝送を繰り返すように構成されてよい。Ｋに適切な値を決定する方法は、これから考慮される。
【０１８８】
Ｋを決定するための現在の技術はセルベースであり、Ｋはレイテンシ境界により決定され得る。例えば、ＵＲＬＬＣの場合、Ｋは６０ｋＨｚヌメロロジースロットベースフレームワークに対して６スロットになるように構成され得る。
【０１８９】
一実施形態において、Ｋは性能を向上するためにＵＥ固有とする。すなわち、セルのカバレッジエリア内の複数のＵＥにおける各ＵＥは、ＵＥに関連付けられた様々な値のパラメータに基づいて、Ｋの値を割り当てられる。例えば、Ｋの値はセル内のＵＥの位置に基づいて、ＵＥにより経験される信号条件に基づいて、又はそのようなＵＥ固有のパラメータの組み合わせに基づいて割り当てられてよい。ＫをＵＥ固有にすることは、いくつかのＵＥに対する不要な繰り返しを低減させ、早期の繰り返し停止に対する不要なＡＣＫを回避することに役立つ。一実施形態において、ＫはＵＥのチャネル条件又は測定に基づく。ＵＥは単一のＫで構成され得るか、又は複数のＫの値が単一のＵＥに用いられてよい。Ｋの構成は、必要に応じて半静的又は動的であり得る。
【０１９０】
一実施形態において、ＵＥの長期チャネル測定及び信頼性、及び／又はレイテンシ要件を考えると、Ｋは、任意のいくつかの条件を満たすように選択されてよい。考慮されるべき条件としては、サブバンドサイズ、リソース割り当てサイズ、ヌメロロジー、スロット／ミニスロット構造、ＭＣＳ及びアプリケーション／トラフィックタイプのような関連要素がある。すなわち、異なるＫの値は異なるヌメロロジーに用いられてよく、異なるＫの値は異なるスロットタイプに用いられてよく、異なるＫの値は異なるリソース割り当てサイズに用いられてよい。
【０１９１】
Ｋは、レイテンシ要件（ある場合）を満たす必要があってよいため、Ｋはレイテンシに関する閾値より短くてもよく、それに等しくてもよい。例えば、６０ｋＨｚスロットフレーム構造でＫは６である。Ｋは、最小限に抑える必要もあってよい。Ｋ回の繰り返しは、必要に応じて信頼性要件を実現する必要があってよい。例えば、エラーレート（ＢＬＥＲ）テーブルをブロックするために信号対干渉プラス雑音比（ＳＩＮＲ）のオフラインシミュレーションを行うと、推定されるＳＩＮＲに対して最小のＫが推定され得て、任意選択的に、余裕をもっていくつかのマージンを有する。
【０１９２】
一実施形態において、ＵＥがチャネル及び環境の変形、及び／又はモビリティ変化に適応することを可能にし得る複数のＫの値でＵＥが構成される。すなわち、ＵＥが位置を変更するか、又はチャネル条件において変化を経験する場合、ＵＥは、変化した位置又は変化したチャネル条件の必要に応じて複数のＫの値のうちの１つを選択してよい。例えば、ＵＥは、セル中心に近い場合、より低いＫの値を選択してよく、セル端部に近い場合、より高いＫの値を選択してよい。代替的に又は付加的に、ＵＥは、チャネル条件が比較的良い場合に、より低いＫの値を選択してよく、チャネル条件が比較的悪い場合は、より高いＫの値を選択してよい。基地局は、Ｋ回繰り返しの異なる値をブラインド検出してよい。代替的に、ＵＥは、基地局にシグナリングして、ＵＥがどのＫの値を用いているかを基地局に知らせてよい。
【０１９３】
単一のＵＥ固有のＫの値が用いられる場合、Ｋは、関連する要件を実現するに十分なほど余裕をもって設定され得る。ＨＡＲＱ信号の組み合わせは、Ｋ回の繰り返しのうち一部又は全部に対して実行され得る。任意選択的に、Ｋ回の繰り返しは、基地局からのＡＣＫメッセージにより、又は基地局からのＵＬグラントメッセージにより終了され得る。Ｋ回の繰り返しで１回失敗する場合、失敗したパケットの再伝送が行われ得る。そのような場合、Ｋ回の繰り返しで実装され得る別のオケージョン、又は繰り返しの異なる数Ｍ（Ｍ≠Ｋ）が行われてよい。ＨＡＲＱ信号の組み合わせは、繰り返し／再伝送信号のうち一部又は全部に対して実行され得る。
【０１９４】
複数のＵＥ固有のＫの値が用いられる場合、基地局は、Ｋの最大値に到達するまでＵＥ繰り返し信号を検出及び復号し続けてよい。ＨＡＲＱ信号の組み合わせは、Ｋ回の繰り返しのうち一部又は全部に対して実行されてよい。Ｋの値それぞれに対して、基地局は任意選択的に、ＵＥにフィードバックを提供し得る。任意選択的に、Ｋ回の繰り返しは、基地局からのＡＣＫメッセージにより、又は基地局からのＵＬグラントメッセージにより終了され得る。
【０１９５】
一実施形態において、ＵＥは明示的に又は暗示的に基地局にシグナリングして、ＵＥが用いているＫの値又は複数のＫの値を基地局に示し得る。例えば、ＵＥは、異なるリソース割り当て及び／又はサイズを用いて、異なるＫの値をマッピングしてよい。代替的に、ＵＥは、異なる参照信号を用いて、異なるＫの値を示してよい。
【０１９６】
ＵＥは、半静的シナグリング構成を用いて基地局にＫの値をシグナリングしてよい。半静的シナグリング構成は、シグナリングのオーバーヘッドの低減に効果的である。
【０１９７】
代替的に、ＵＥは動的シグナリングを用いて基地局にＫの値をシグナリングしてよい。動的シグナリングは、高速更新状況に、例えば、高速移動ＵＥに効果的であってよい。
【０１９８】
一実施形態において、ＵＥは、ＵＥが関与する通信に関する測定に基づいて、適切なＫの値を決定し得る。例えば、ＵＥの最初のネットワークエントリ中に、基地局は一般的に、信号強度及びＳＩＮＲのような初期伝送信号でネットワークベースのＵＬ測定を行う。ＵＥは、そのような測定結果を受信し、結果を用いて適切なＫの値を決定してよい。代替的に又は付加的に、ＵＥは、参照信号受信電力（ＲＳＲＰ）及びチャネル品質インジケータ（ＣＱＩ）のようなダウンリンク測定を用いて、適切なＫの値を決定し得る。基地局の背景雑音及び干渉レベルの測定も、適切なＫの値の決定において考慮されてよい。
【０１９９】
図５は、グラントフリー（ＧＦ）伝送のための実施形態に係る方法５００の例示的なフローチャートを示す。方法５００は段階５０２で開始し、段階５０２では、ユーザ機器（ＵＥ）が無線リソース制御（ＲＲＣ）信号を受信してよい。ＲＲＣ信号は、少なくとも１つのＵＥ固有のＧＦ無線ネットワーク一時識別子（ＧＦ−ＲＮＴＩ）を指定し得る。ＵＥ固有のＧＦ−ＲＮＴＩは、グラントベースの初期伝送又はグラントベースの初期伝送の再伝送のためのセルＲＮＴＩ（Ｃ‐ＲＮＴＩ）と異なる。
【０２００】
段階５０４において、ＵＥはＧＦ  ＵＬ伝送を実行してよい。ＵＥは、ダウンリンク制御情報（ＤＣＩ）信号を待機することなく、ＧＦ  ＵＬ伝送を実行し得る。
【０２０１】
いくつかの実施形態において、ＵＥは、ＧＦ−ＲＮＴＩを用いて、物理ダウンリンク制御チャネル（ＰＤＣＣＨ）のサーチスペースにおけるＤＣＩ信号を検出してよい。ＤＣＩ信号は、ＧＦ伝送に関する再伝送についての情報を有してよい。ＤＣＩ信号は、ＧＦ固有の構成パラメータを有してもよい。ＧＦ−ＲＮＴＩに従ってＤＣＩ信号の巡回冗長検査（ＣＲＣ）をデスクランブル処理する段階と、
デスクランブル処理されたＣＲＣを用いてＤＣＩ信号のＣＲＣチェックを実行する段階とで、ＵＥは、ＧＦ−ＲＮＴＩを用いてＰＤＣＣＨのサーチスペースにおけるＤＣＩ信号を検出し得る。
【０２０２】
いくつかの実施形態において、ＵＥは、ＲＲＣ信号を受信する段階に応じて、ＤＣＩ信号の検出の前にＧＦ  ＵＬ伝送を実行し得る。いくつかの実施形態において、ＲＲＣを受信する段階の前に、ＵＥは、ランダムアクセス（ＲＡ）チャネル（ＲＡＣＨ）を介してプリアンブルを送信することにより初期アクセスを実行し得る。
【０２０３】
図６は、ＵＥのグループにおけるユーザ機器（ＵＥ）によるグラントフリー（ＧＦ）アップリンク（ＵＬ）伝送の実施形態に係る方法６００の例示的なフローチャートを示す。方法６００は段階６０２で開始し、ＵＥが無線リソース制御（ＲＲＣ）信号を受信し得る。ＲＲＣ信号は、ＧＦのグループ無線ネットワーク一時識別子（ＲＮＴＩ）及びＵＥインデックスを指定し得る。ＧＦグループＲＮＴＩは共通に、ＵＥのグループにより共有され得る。ＵＥインデックスはＵＥに割り当てられ得る。さらに、ＵＥインデックスは、ＵＥのグループにおいて他のＵＥに割り当てられているＵＥインデックスとは異なってよい。
【０２０４】
段階６０４で、ＵＥはマルチキャスト信号を受信し得る。マルチキャスト信号は、グループにおけるＵＥにより共有されるべき少なくとも周波数リソース、及び変調及び符号化スキーム（ＭＣＳ）を指定し得る。いくつかの実施形態において、マルチキャスト信号は、ＧＦグループＲＮＴＩを共有するＵＥのグループにアドレス指定されたグループ共通ダウンリンク制御情報（ＤＣＩ）信号であり得る。ＧＦグループＲＮＴＩは、グループ共通ＤＣＩの巡回冗長検査（ＣＲＣ）をスクランブルするために用いられ得る。
【０２０５】
段階６０６で、ＵＥはＧＦ  ＵＬ伝送を実行し得る。ＵＥは、ＧＦグループＲＮＴＩ、ＵＥインデックス、周波数リソース、及びＭＣＳに従ってＧＦ  ＵＬ伝送を実行し得る。
【０２０６】
いくつかの実施形態において、ＵＥは、ＵＥインデックスに従って参照信号を決定してよい。これらの実施形態において、ＵＥは、決定された参照信号、ＧＦグループＲＮＴＩ、周波数リソース、及びＭＣＳに従ってＧＦ  ＵＬ伝送を実行し得る。参照信号は、現在構成されている参照信号、ＵＥインデックス、及び利用可能な参照信号の総数に基づいて決定され得る。
【０２０７】
いくつかの実施形態において、ＵＥは、ＵＥインデックスをベースとしてホッピングパターンを決定し得る。ＵＥは、ＧＦグループＲＮＴＩ、ＵＥインデックス、周波数リソース、ＭＣＳ、及び決定されたホッピングパターンに従ってＧＦ  ＵＬ伝送を実行し得る。決定されたＵＥのホッピングパターンは、ＵＥのグループにおける他のＵＥのホッピングパターンとは異なり得る。
【０２０８】
いくつかの実施形態において、ＵＥは、ＵＥ固有のＲＲＣ信号を受信し得る。ＵＥ固有のＲＲＣ信号は、周期性を指定し得る。ＵＥは、ＧＦグループＲＮＴＩ、ＵＥインデックス、周波数リソース、ＭＣＳ、及び周期性に従ってＧＦ  ＵＬ伝送を実行し得る。
【０２０９】
図７は、グラントフリー（ＧＦ）アップリンク（ＵＬ）伝送のための実施形態に係る方法７００の例示的なフローチャートを示す。方法７００は段階７０２で開始し、ユーザ機器（ＵＥ）が、ＵＥに割り当てられたＵＥ固有のリソースホッピングパターンを受信し得る。ＵＥ固有のリソースホッピングパターンは、ホッピング情報を有し得る。ホッピング情報は、複数のタイムスロットのうち対応する各タイムスロットでＵＥがホップするサブバンドと関連付けられ得る。
【０２１０】
いくつかの実施形態において、ホッピング情報は、複数のタイムスロットのうち対応する各タイムスロットでＵＥがホップするサブバンドを示し得る。ホッピング情報は、ＵＥ固有の巡回シフト値を有し得る。ＵＥ固有の巡回シフト値は、ＵＥにより１つのタイムスロットから次のタイムスロットに巡回的にシフトされるべきサブバンドの数を示し得る。
【０２１１】
段階７０４で、ＵＥは、ＵＥ固有のリソースホッピングパターンに従ってＧＦ  ＵＬ伝送を実行し得る。いくつかの実施形態において、対応する各タイムスロットでＵＥがホップするサブバンドは、ＵＥ固有の巡回シフト値に基づいて決定され得る。一実施形態において、対応する各タイムスロットでＵＥがホップするサブバンドは、ＵＥ固有の巡回シフト値及びＵＥに対する最初のサブバンドに基づいて決定され得る。別の実施形態において、対応する各タイムスロットでＵＥがホップするサブバンドは、ＵＥ識別子に基づいて決定されてよい。例えば、対応する各タイムスロットでＵＥがホップするサブバンドは、ＵＥ識別子により初期化されたＵＥ固有の疑似乱数シーケンスに基づいて決定されてよい。いくつかの実施形態において、ＵＥ識別子は、ＵＥ固有のＧＦ無線ネットワーク一時識別子（ＧＦ−ＲＮＴＩ）であってよい。さらに別の実施形態において、対応する各タイムスロットでＵＥがホップするサブバンドは、ＵＥに割り当てられたＵＥ固有のホッピングインデックスに基づいて決定されてよい。
【０２１２】
いくつかの実施形態において、対応する各タイムスロットでＵＥがホップするサブバンドは、ＵＥ固有のホッピングインデックスから導出されるＵＥ固有の巡回シフト値及びＵＥ固有のホッピングインデックスから導出されるＵＥの最初のサブバンドに基づいて決定され得る。いくつかの実施形態において、対応する各タイムスロットでＵＥがホップするサブバンドは、ＵＥのグループの識別子に基づいて決定され得る。例えば、対応する各タイムスロットでＵＥがホップするサブバンドは、ＵＥのグループの識別子により初期化されたグループ固有の疑似乱数シーケンスに基づいて決定され得る。一実施形態において、ＵＥのグループの識別子は、グループ無線ネットワーク一時識別子（ＲＮＴＩ）であり得る。別の実施形態において、ＵＥのグループの識別子は、ＵＥ固有のホッピングインデックスに基づいて決定される。
【０２１３】
いくつかの実施形態において、ＵＥは、ＵＥ固有のホッピングインデックスに基づいて参照信号を決定し得る。
【０２１４】
いくつかの実施形態において、ＧＦ  ＵＬ伝送を実行するために、ＵＥは、ホッピング情報に基づいて、タイムスロットでＵＥがホップするサブバンドを決定し得る。次に、ＵＥは、決定されたサブバンド、決定されたサブバンドにおけるリソースブロック（ＲＢ）の総数、及びＧＦ伝送に割り当てられたＲＢの総数に従って、タイムスロットでの物理リソースブロック（ＰＲＢ）インデックスを導出し得る。そして、ＵＥは、導出されたＰＲＢインデックスに従って、タイムスロットでＧＦ  ＵＬ伝送を実行し得る。
【０２１５】
本開示の一実施形態によれば、グラントフリーリソース構成の方法は、第１のタイプのグラントフリーリソースを構成する段階であって、第１のタイプのグラントフリーリソースはセル固有であり、ブロードキャストシグナリングを用いて構成され、第１のタイプのグラントフリーリソースはさらなる構成なくＵＥにアクセス可能である、構成する段階と、第２タイプのグラントフリーリソースを構成する段階であって、第２タイプのグラントフリーリソースはＵＥ固有であり、ブロードキャストシグナリング及びユニキャスト／マルチキャストシナグリングの組み合わせを用いて構成され、第２タイプのグラントフリーリソースはユニキャスト／マルチキャストシナグリングを用いる構成の後にのみＵＥにアクセス可能である、構成する段階とを含む。
【０２１６】
本開示の一実施形態によれば、ＵＥのためにグラントフリーリソースを構成する方法は、第１のＴＴＩでグラントフリーリソースの第１の時間及び周波数位置を示す段階と、リソースホッピングパターンを示す段階であって、リソースホッピングパターンは後続のＴＴＩでＵＥが異なる時間及び周波数位置へ移動するパターンを示す、示す段階を含む。
【０２１７】
本開示の一実施形態によれば、ＵＥのグループにグラントフリーリソース割り当てを構成する方法は、グループ内のすべてのＵＥに対して共通に１つのＴＴＩに対して時間及び周波数リソースを構成する段階と、グループ内のＵＥインデックスに応じて参照信号及びリソースホッピングパターンを構成する段階と、グループにグラントフリーリソース割り当てをマルチキャストする段階であって、グラントフリーリソース割り当ては、グループ内のＵＥにより用いられるべき時間及び周波数リソース、参照信号パラメータ及びＭＣＳを含む、マルチキャストする段階とを含む。
【０２１８】
本開示の一実施形態によれば、グラントフリー伝送の方法は、定義された第１の回数だけグラントフリー伝送を繰り返す段階であって、定義された第１の回数はグラントフリー伝送を行うＵＥに関連する少なくとも１つのパラメータの値に基づく、繰り返す段階を含む。
【０２１９】
図８は、ホストデバイスに取り付けられ得る、本明細書に説明される方法を実行する実施形態に係る処理システム８００のブロック図を示す。示されるように、処理システム８００はプロセッサ８０４、メモリ８０６及びインタフェース８１０−８１４を含み、図に示されるように配置されてよい（又は配列されなくてよい）。プロセッサ８０４は、計算及び／又は他の処理関連タスクを実行するように適合される任意のコンポーネント又はコンポーネントの集合であってよく、メモリ８０６は、プロセッサ８０４による実行のためのプログラミング及び／又は命令を格納するように適合される任意のコンポーネント又はコンポーネントの集合であってよい。一実施形態において、メモリ８０６は非一時的コンピュータ可読媒体を含む。インタフェース８１０、８１２、８１４は、処理システム８００が他のデバイス／コンポーネント及び／又はＵＥと通信することを可能にする任意のコンポーネント又はコンポーネントの集合であってよい。例えば、インタフェース８１０、８１２、８１４のうちの１又は複数は、プロセッサ８０４から、ホストデバイス及び／又はリモートデバイスにインストールされるアプリケーションへのデータ、制御又は管理メッセージを通信するように適合され得る。別の例のように、インタフェース８１０、８１２、８１４のうちの１又は複数は、ユーザ又はユーザデバイス（例えば、パーソナルコンピュータ（ＰＣ）など）が処理システム８００と相互作用／通信することを可能にするように適合されてよい。処理システム８００は、長期ストレージ（例えば、非揮発性メモリなど）のような、図に描かれていない追加のコンポーネントを含んでよい。
【０２２０】
いくつかの実施形態において、処理システム８００は、通信ｎｅｔｗｏ９００ｒｋにアクセスする、そうでなければその一部である、ネットワークデバイスに含まれる。一例において、処理システム８００は、無線又は有線通信ネットワークにおいて、ネットワーク側デバイス、例えば、基地局、リレー局、スケジューラ、コントローラ、ゲートウェイ、ルータ、アプリケーションサーバ、又は、電気通信ネットワーク内の任意の他のデバイス内にある。他の実施形態において、処理システム８００は、移動局、ユーザ機器（ＵＥ）、パーソナルコンピュータ（ＰＣ）、タブレット、ウェアラブル通信デバイス（例えば、スマートウォッチなど）、又は通信ネットワークにアクセスするように構成される任意の他のデバイスのような、無線又は有線通信ネットワークにアクセスするユーザ側デバイスにある。
【０２２１】
いくつかの実施形態において、インタフェース８１０、８１２、８１４の１又は複数は、通信ネットワークを介してシグナリングを送信及び受信するように適合される送受信機に、処理システム８００を接続する。図９は、通信ネットワークを介してシグナリングを送信及び受信するように適合される送受信機９００のブロック図を示す。送受信機６００は、ホストデバイスに取り付けされてよい。示されるように、送受信機９００は、ネットワーク側インタフェース９０２、カプラ９０４、送信機９０６、受信機９０８、信号プロセッサ９１０及びデバイス側インタフェース９１２を備える。ネットワーク側インタフェース９０２は、無線又は有線通信ネットワークを介してシグナリングを送信又は受信するように適合される任意のコンポーネント又はコンポーネントの集まりを含んでよい。カプラ９０４は、ネットワーク側インタフェース９０２を介して双方向通信を容易にするように適合された任意のコンポーネント又はコンポーネントの集合を含んでよい。送信機９０６は、ネットワーク側インタフェース９０２を介して送信するのに適切な変調キャリア信号にベースバンド信号を変換するように適合された任意のコンポーネント又はコンポーネントの集合（例えば、アップコンバータ、電力増幅器など）を含んでよい。受信機９０８は、ネットワーク側インタフェース９０２を介して受信されるキャリア信号をベースバンド信号に変換するように適合された任意のコンポーネント又はコンポーネントの集合（例えば、ダウンコンバータ、低雑音増幅器など）を含んでよい。信号プロセッサ９１０は、ベースバンド信号を、デバイス側インタフェース９１２を介した通信に適切なデータ信号に変換する、逆方向にも同様に変換するように適合される任意のコンポーネント又はコンポーネント集合を含んでよい。デバイス側インタフェース９１２は、信号プロセッサ９１０とホストデバイス内のコンポーネント（例えば、処理システム８００、ローカルエリアネットワーク（ＬＡＮ）ポートなど）との間でデータ信号を通信するように適合された任意のコンポーネント又はコンポーネントの集合を含んでよい。
【０２２２】
送受信機９００は、任意のタイプの通信媒体を介して、シグナリングを送信及び受信してよい。いくつかの実施形態において、送受信機９００は、無線媒体を介してシグナリングを送信及び受信する。例えば、送受信機９００は、セルラープロトコル（例えば、ロングタームエボリューション（ＬＴＥ）など）、無線ローカルエリアネットワーク（ＷＬＡＮ）プロトコル（例えば、Ｗｉ−Ｆｉなど）、又は任意の他のタイプの無線プロトコル（例えば、Ｂｌｕｅｔｏｏｔｈ（登録商標）、近距離無線通信（ＮＦＣ）など）などの無線通信プロトコルに従って通信するように適合された無線送受信機であってよい。そのような実施形態において、ネットワーク側インタフェース９０２は、１又は複数のアンテナ／放射エレメントを有する。例えば、ネットワーク側インタフェース９０２は、単一アンテナ、複数の別個のアンテナ、又は、マルチレイヤ通信、例えば、単入力多出力（ＳＩＭＯ）、多入力単出力（ＭＩＳＯ）、多入力多出力（ＭＩＭＯ）などのために構成されるマルチアンテナアレイを含んでよい。他の実施形態において、送受信機９００は、有線媒体、例えば、ツイストペアケーブル、同軸ケーブル、光ファイバなどを介してシグナリングを送信及び受信する。具体的な処理システム及び／又は送受信機は、示されたコンポーネントのすべて、又は、コンポーネントのサブセットのみを利用してよく、統合レベルは、デバイスによって異なってよい。
【０２２３】
本明細書で提供される実施形態の方法についての１又は複数の段階は、対応するユニット又はモジュールにより実行されてよいことを理解されたい。例えば、信号は、送信ユニット又は送信モジュールにより送信されてよい。信号は、受信ユニット又は受信モジュールにより受信されてよい。信号は、処理ユニット又は処理モジュールにより処理されてよい。他の段階は、ユニット／モジュールの構成及び／又はユニット／モジュールの表示により実行されてよい。それぞれのユニット／モジュールは、ハードウェア、ソフトウェア又はそれらの組み合わせであってよい。例えば、ユニット／モジュールのうちの１又は複数が、集積回路、例えば、フィールドプログラマブルゲートアレイ（ＦＰＧＡ）又は特定用途向け集積回路（ＡＳＩＣ）であってよい。
【０２２４】
ユーザ機器（ＵＥ）のグループ内のＵＥによるグラントフリー（ＧＦ）アップリンク（ＵＬ）伝送の例示的な一実施形態において、ＵＥは、ＧＦのグループ無線ネットワーク一時識別子（ＲＮＴＩ）及びＵＥインデックスを指定する無線リソース制御（ＲＲＣ）信号を受信する。ＧＦグループＲＮＴＩは、グループ共通ＤＣＩの巡回冗長検査（ＣＲＣ）をスクランブルするために用いられ得る。ＧＦグループＲＮＴＩは共通にＵＥのグループにより共有され、ＵＥインデックスはＵＥに割り当てられる。ＵＥインデックスは、ＵＥのグループ内で他のＵＥに割り当てられるＵＥインデックスとは異なる。
【０２２５】
そしてＵＥは、グループにおけるＵＥにより共有されるべき少なくとも周波数リソース、及び変調及び符号化スキーム（ＭＣＳ）を指定するマルチキャスト信号を受信する。マルチキャスト信号は、ＧＦグループＲＮＴＩを共有するＵＥのグループにアドレス指定されたグループ共通ダウンリンク制御情報（ＤＣＩ）信号であり得る。
【０２２６】
次にＵＥは、ＧＦグループＲＮＴＩ、ＵＥインデックス、周波数リソース、及びＭＣＳに従ってＧＦ  ＵＬ伝送を実行する。ＵＥは、ＵＥインデックスに従って参照信号を決定する段階と、決定された参照信号、ＧＦグループＲＮＴＩ、周波数リソース及びＭＣＳに従ってＧＦ  ＵＬ伝送を実行する段階によりＧＦ  ＵＬ伝送を実行してよい。参照信号は、現在構成されている参照信号、ＵＥインデックス、及び利用可能な参照信号の総数に基づいて決定され得る。
【０２２７】
さらにＵＥは、ＵＥインデックスをベースにホッピングパターンを決定し得る。ＵＥのホッピングパターンは、ＵＥのグループにおける他のＵＥのホッピングパターンとは異なる。ＵＥは、ＧＦグループＲＮＴＩ、ＵＥインデックス、周波数リソース、ＭＣＳ、及び決定されたホッピングパターンに従ってＧＦ  ＵＬ伝送を実行し得る。
【０２２８】
ＵＥは、周期性を指定するＵＥ固有のＲＲＣ信号を受信してもよい。ＵＥは、ＧＦグループＲＮＴＩ、ＵＥインデックス、周波数リソース、ＭＣＳ、及び周期性に従ってＧＦ  ＵＬ伝送を実行し得る。
【０２２９】
グラントフリー（ＧＦ）アップリンク（ＵＬ）伝送の例示的な一実施形態において、ＵＥは、ＵＥに割り当てられるＵＥ固有のリソースホッピングパターンを受信する。ＵＥ固有のリソースホッピングパターンは、複数のタイムスロットのうち対応する各タイムスロットでＵＥがホップするサブバンドと関連付けられるホッピング情報を有する。ホッピング情報は、複数のタイムスロットのうち対応する各タイムスロットでＵＥがホップするサブバンドを示す。ホッピング情報は、１つのタイムスロットから次のタイムスロットにＵＥにより巡回的にシフトされるべきサブバンドの数を示すＵＥ固有の巡回シフト値を有し、対応する各タイムスロットでＵＥがホップするサブバンドは、ＵＥ固有の巡回シフト値に基づいて決定される。
【０２３０】
対応する各タイムスロットでＵＥがホップするサブバンドは、ＵＥ固有の巡回シフト値及びＵＥに対する最初のサブバンドに基づいて決定され得る。対応する各タイムスロットでＵＥがホップするサブバンドは、ＵＥ識別子に基づいて決定されてよい。対応する各タイムスロットでＵＥがホップするサブバンドは、ＵＥ識別子により初期化されたＵＥ固有の疑似乱数シーケンスに基づいて決定されてよい。ＵＥ識別子は、ＵＥ固有のＧＦ無線ネットワーク一時識別子（ＧＦ−ＲＮＴＩ）であってよい。対応する各タイムスロットでＵＥがホップするサブバンドは、ＵＥに割り当てられたＵＥ固有のホッピングインデックスに基づいて決定されてよい。対応する各タイムスロットでＵＥがホップするサブバンドは、ＵＥ固有のホッピングインデックスから導出されるＵＥ固有の巡回シフト値及びＵＥ固有のホッピングインデックスから導出されるＵＥの最初のサブバンドに基づいて決定される。対応する各タイムスロットでＵＥがホップするサブバンドは、ＵＥのグループの識別子に基づいて決定される。対応する各タイムスロットでＵＥがホップするサブバンドは、ＵＥのグループの識別子により初期化されたグループ固有の疑似乱数シーケンスに基づいて決定される。ＵＥのグループの識別子は、グループ無線ネットワーク一時識別子（ＲＮＴＩ）であり得る。ＵＥのグループの識別子は、ＵＥ固有のホッピングインデックスに基づいて決定される。
【０２３１】
次にＵＥは、ＵＥ固有のリソースホッピングパターンに従ってＧＦ  ＵＬ伝送を実行する。ＵＥは、ホッピング情報に基づいて、タイムスロットでＵＥがホップするサブバンドを決定してよい。ＵＥは、決定されたサブバンド、決定されたサブバンドにおけるリソースブロック（ＲＢ）の総数、及びＧＦ伝送に割り当てられたＲＢの総数に従って、タイムスロットでの物理リソースブロック（ＰＲＢ）インデックスを導出し得る。そして、ＵＥは、導出されたＰＲＢインデックスに従って、タイムスロットでＧＦ  ＵＬ伝送を実行する。ＵＥは、ＵＥ固有のホッピングインデックスに基づいて参照信号を決定してもよい。
【０２３２】
［１］  実施形態は例示的な実施形態を参照して説明されているが、この説明は限定的な意味で解釈されることを意図しているものではない。例示的な実施形態の様々な修正及び組み合わせ、並びに他の実施形態は、当業者には明らかであろう。したがって、添付の請求項は、どのような修正又は実施形態も含むことを意図している。
【図１】
2020513177.tif 000189
【図２Ａ】
2020513177.tif 000190
【図２Ｂ】
2020513177.tif 000191
【図３Ａ】
2020513177.tif 000192
【図３Ｂ】
2020513177.tif 000193
【図３Ｃ】
2020513177.tif 000194
【図３Ｄ】
2020513177.tif 000195
【図３Ｅ】
2020513177.tif 000196
【図３Ｆ】
2020513177.tif 000197
【図４】
2020513177.tif 000198
【図５】
2020513177.tif 000199
【図６】
2020513177.tif 000200
【図７】
2020513177.tif 000201
【図８】
2020513177.tif 000202
【図９】
2020513177.tif 000203
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
グラントフリー（ＧＦ）伝送のための方法であって、
ユーザ機器（ＵＥ）が、少なくともＵＥ固有のＧＦ無線ネットワーク一時識別子（ＧＦ−ＲＮＴＩ）を指定する無線リソース制御（ＲＲＣ）信号を受信する段階であって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、受信する段階と、
前記ＵＥが、ダウンリンク制御情報（ＤＣＩ）信号を待機することなくＧＦアップリンク（ＵＬ）伝送を実行する段階とを備える、方法。
【請求項２】
前記ＵＥが、前記ＧＦ−ＲＮＴＩを用いて物理ダウンリンク制御チャネル（ＰＤＣＣＨ）のサーチスペースにおける前記ＤＣＩ信号を検出する段階をさらに有し、前記ＤＣＩ信号は、前記ＧＦ  ＵＬ伝送に関する再伝送についての情報を有する、請求項１に記載の方法。
【請求項３】
前記ＤＣＩ信号は、ＧＦ固有の構成パラメータを有する、請求項２に記載の方法。
【請求項４】
前記ＵＥが、前記ＲＲＣ信号を受信する前記段階に応じて、前記ＤＣＩ信号の検出の前に前記ＧＦ  ＵＬ伝送を実行する段階をさらに有する、請求項２に記載の方法。
【請求項５】
前記ＧＦ−ＲＮＴＩを用いて前記ＰＤＣＣＨの前記サーチスペースにおける前記ＤＣＩ信号を検出する前記段階は、
前記ＵＥが、前記ＧＦ−ＲＮＴＩに従って前記ＤＣＩ信号の巡回冗長検査（ＣＲＣ）をデスクランブル処理する段階と、
前記ＵＥが、前記デスクランブル処理されたＣＲＣを用いて前記ＤＣＩ信号のＣＲＣチェックを実行する段階とを有する、請求項２に記載の方法。
【請求項６】
前記受信する段階の前に、前記ＵＥが、ランダムアクセス（ＲＡ）チャネル（ＲＡＣＨ）によってプリアンブルを送信することで初期アクセスを実行する段階をさらに有する、
請求項１から５のいずれか一項に記載の方法。
【請求項７】
前記ＲＲＣ信号はＧＦ伝送リソースを示し、
前記ＧＦ  ＵＬ再伝送は、前記ＲＲＣ信号に示される前記ＧＦ伝送リソース上で実行される、
請求項１から６のいずれか一項に記載の方法。
【請求項８】
グラントフリー（ＧＦ）伝送のためのユーザ機器（ＵＥ）であって、
非一時的メモリと、
ユーザ機器（ＵＥ）が、少なくともＵＥ固有のＧＦ無線ネットワーク一時識別子（ＧＦ−ＲＮＴＩ）を指定する無線リソース制御（ＲＲＣ）信号を受信するように構成されているハードウェアプロセッサであって、前記ＧＦ−ＲＮＴＩは、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、ハードウェアプロセッサであって、
ダウンリンク制御情報（ＤＣＩ）信号を待機することなくＧＦアップリンク（ＵＬ）伝送を実行するように構成されているハードウェアプロセッサと
を備える、ＵＥ。
【請求項９】
前記ハードウェアプロセッサはさらに、前記ＧＦ−ＲＮＴＩを用いて物理ダウンリンク制御チャネル（ＰＤＣＣＨ）のサーチスペースにおける前記ＤＣＩ信号を検出するように構成されており、前記ＤＣＩ信号は、前記ＧＦ  ＵＬ伝送に関する再伝送についての情報を有する、請求項８に記載のＵＥ。
【請求項１０】
前記ＤＣＩ信号はＧＦ固有の構成パラメータを有する、請求項９に記載のＵＥ。
【請求項１１】
前記ハードウェアプロセッサはさらに、
前記ＲＲＣ信号を受信する前記段階に応じて、前記ＤＣＩ信号の検出の前に前記ＧＦ  ＵＬ伝送を実行するように構成されている、請求項９に記載のＵＥ。
【請求項１２】
前記ハードウェアプロセッサは、
前記ＧＦ−ＲＮＴＩに従って前記ＤＣＩ信号の巡回冗長検査（ＣＲＣ）をデスクランブル処理する段階と、
前記デスクランブル処理されたＣＲＣを用いて前記ＤＣＩ信号のＣＲＣチェックを実行する段階とによって、
前記ＧＦ−ＲＮＴＩを用いて前記ＰＤＣＣＨの前記サーチスペースにおける前記ＤＣＩ信号を検出するように構成されている、請求項９に記載のＵＥ。
【請求項１３】
前記ハードウェアプロセッサは、
前記ＲＲＣ信号を受信する前に、ランダムアクセス（ＲＡ）チャネル（ＲＡＣＨ）を介してプリアンブルを送信することで初期アクセスを実行するようにさらに構成されている、請求項８から１２のいずれか一項に記載のＵＥ。
【請求項１４】
前記ＲＲＣ信号はＧＦ伝送リソースを示し、
前記ＧＦ  ＵＬ再伝送は、前記ＲＲＣ信号に示される前記ＧＦ伝送リソース上で実行される、
請求項８から１３のいずれか一項に記載のＵＥ。
【請求項１５】
グラントフリー（ＧＦ）伝送のための方法であって、
基地局がユーザ機器（ＵＥ）に、少なくともＵＥ固有のＧＦ無線ネットワーク一時識別子（ＧＦ−ＲＮＴＩ）を指定する無線リソース制御（ＲＲＣ）信号を伝送する段階であって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、伝送する段階と、
前記基地局は、ダウンリンク制御情報（ＤＣＩ）信号を前記ＵＥに伝送することなくＧＦアップリンク（ＵＬ）伝送を受信する段階とを備える、方法。
【請求項１６】
前記基地局は、前記ＧＦ  ＵＬ伝送に関する再伝送についての情報を含む前記ＤＣＩ信号を伝送する段階であって、前記ＵＥは、前記ＧＦ−ＲＮＴＩを用いることで物理ダウンリンク制御チャネル（ＰＤＣＣＨ）のサーチスペースにおける前記ＤＣＩ信号を検出する、伝送する段階をさらに有する
請求項１５に記載の方法。
【請求項１７】
前記ＤＣＩ信号は、ＧＦ固有の構成パラメータを有する、請求項１６に記載の方法。
【請求項１８】
前記基地局は、前記ＲＲＣ信号を伝送する前記段階に応じて、前記ＤＣＩ信号を伝送する前記段階の前に前記ＧＦ  ＵＬ伝送を受信する段階をさらに有する、請求項１６に記載の方法。
【請求項１９】
前記ＲＲＣ信号を伝送する前記段階の前に、前記基地局により、ランダムアクセス（ＲＡ）チャネル（ＲＡＣＨ）を介してプリアンブルを受信することで初期アクセスを受信する段階をさらに有する、
請求項１５から１８のいずれか一項に記載の方法。
【請求項２０】
前記ＲＲＣ信号はＧＦ伝送リソースを示し、
前記ＧＦ  ＵＬ再伝送は、前記ＲＲＣ信号に示される前記ＧＦ伝送リソース上で受信される、
請求項１５から１９のいずれか一項に記載の方法。
【請求項２１】
グラントフリー（ＧＦ）伝送のための装置であって、
非一時的メモリと、
少なくともＵＥ固有のＧＦ無線ネットワーク一時識別子（ＧＦ−ＲＮＴＩ）を指定する無線リソース制御（ＲＲＣ）信号をユーザ機器（ＵＥ）に伝送するように構成されているハードウェアプロセッサであって、前記ＧＦ−ＲＮＴＩは、グラントベースの初期伝送又は前記グラントベースの初期伝送の再伝送のためのセルＲＮＴＩ（Ｃ‐ＲＮＴＩ）とは異なる、ハードウェアプロセッサであって、
ダウンリンク制御情報（ＤＣＩ）信号を前記ＵＥに伝送することなくＧＦアップリンク（ＵＬ）伝送を受信するように構成されているハードウェアプロセッサと
を備える、装置。
【請求項２２】
前記ハードウェアプロセッサはさらに、
前記ＧＦ  ＵＬ伝送に関する再伝送についての情報を含む前記ＤＣＩ信号を伝送するように構成されており、前記ＵＥは、前記ＧＦ−ＲＮＴＩを用いることで物理ダウンリンク制御チャネル（ＰＤＣＣＨ）のサーチスペースにおける前記ＤＣＩ信号を検出する、請求項２１に記載の装置。
【請求項２３】
前記ＤＣＩ信号は、ＧＦ固有の構成パラメータを有する、請求項２２に記載の装置。
【請求項２４】
前記ハードウェアプロセッサはさらに、
前記ＲＲＣ信号を伝送する前記段階に応じて、前記ＤＣＩ信号の伝送の前に前記ＧＦ  ＵＬ伝送を受信するように構成されている、請求項２２に記載の装置。
【請求項２５】
前記ハードウェアプロセッサは、
前記ＲＲＣ信号を伝送する前記段階の前に、ランダムアクセス（ＲＡ）チャネル（ＲＡＣＨ）を介してプリアンブルを受信することで初期アクセスを受信するようにさらに構成されている、請求項２１から２４のいずれか一項に記載の装置。
【請求項２６】
前記ＲＲＣ信号はＧＦ伝送リソースを示し、
前記ＧＦ  ＵＬ再伝送は、前記ＲＲＣ信号に示される前記ＧＦ伝送リソース上で実行される、
請求項２１から２５のいずれか一項に記載の装置。
【手続補正２】
【補正対象書類名】明細書
【補正対象項目名】００１１
【補正方法】変更
【補正の内容】
【００１１】
いくつかの実施形態において、ＵＥは、ＵＥインデックスに基づいてホッピングパターンを決定し得る。ＵＥは、ＧＦグループＲＮＴＩ、ＵＥインデックス、周波数リソース、ＭＣＳ、及び決定されたホッピングパターンに従ってＧＦ  ＵＬ伝送を実行し得る。決定されたＵＥのホッピングパターンは、ＵＥのグループにおける他のＵＥのホッピングパターンとは異なり得る。
【手続補正３】
【補正対象書類名】明細書
【補正対象項目名】００９５
【補正方法】変更
【補正の内容】
【００９５】
段階３０９において、グラントフリーＵＥ３２０はＤＣＩシグナリングを検査する。グラントフリーＵＥ３２０は、予め定義されたサーチスペースを検査し、グループＩＤを用いて、リソース割り当てのさらなる命令及び他の命令のためのＤＣＩを復号する。
【手続補正４】
【補正対象書類名】明細書
【補正対象項目名】０１２２
【補正方法】変更
【補正の内容】
【０１２２】
他の実施形態において、ＧＦリソース構成、緊急なＧＦリソース領域を用いるための適格性又はルール、及び指定された緊急なタイプのトラフィック事前構成は、ブロードキャストシグナリング、ＲＲＣシグナリング及び／又はＤＣＩ関連の（例えば、ＵＥ固有のＤＣＩ、グループ共通ＰＤＣＣＨなど）シグナリングにより実行され得て、優先ＵＥは、ＲＲＣシグナリング又はＬ１シグナリングにより自らの初期アクセス又は任意の他の時点に構成され得て、予め定義される（例えば、デバイスに組み込まれる）自らの優先ステータスを、もしある場合は、上書きし得る。緊急なＧＦリソースの構成は、ＲＳ、ＭＣＳ、ヌメロロジー及び繰り返しなどのような特定の必要とされるロバスト伝送を考慮し得る。
【手続補正５】
【補正対象書類名】明細書
【補正対象項目名】０１４６
【補正方法】変更
【補正の内容】
【０１４６】
いくつかの実施形態において、
【数５０】
2020513177.tif 000204
又は
【数５１】
2020513177.tif 000205
は、例えば
【数５２】
2020513177.tif 000206
又は
【数５３】
2020513177.tif 000207
又は
【数５４】
2020513177.tif 000208
に基づいてスロットインデックスｉに応じてシグナリングされ得て、ｍは１つのスロットから次のスロットに巡回的にシフトされるべきサブバンドの数であり、
【数５５】
2020513177.tif 000209
は１つのスロットから次のスロットに巡回的にシフトされるべきＲＢの数である。同じように、ｍは
【数５６】
2020513177.tif 000210
として定義され得る。項
【数５７】
2020513177.tif 000211
及び
【数５８】
2020513177.tif 000212
は、インデックス０を有するタイムスロットでのホッピングシーケンスの値であり、任意選択的であり、いくつかの値でデフォルト値であり得る（例えば、０がデフォルト）。
【数５７】
2020513177.tif 000213
及び
【数５８】
2020513177.tif 000214
は、明示的にシグナリングされてもよく、他のパラメータに基づいて導出されてもよい。例えば、
【数５７】
2020513177.tif 000215
及び
【数５８】
2020513177.tif 000216
は、半静的シグナリング（例えば、ＲＲＣシグナリングのような上位層シグナリング）又は動的シグナリング（例えば、ＤＣＩシグナリングを介して）を介してシグナリングされてよい。
【数５９】
2020513177.tif 000217
及び
【数６０】
2020513177.tif 000218
が存在しないか、又はデフォルト値を有する場合、このシナリオにおいては、単一値（ｉに応じたシーケンスの代わりに）ｍ及び
【数６１】
2020513177.tif 000219
のみがシグナリングされる必要があり得る。ｍ及び
【数６２】
2020513177.tif 000220
はシグナリングされ得る。言い換えれば、ＢＳは巡回シフト値ｍ又は
【数６３】
2020513177.tif 000221
をシグナリングし得て、任意選択的に、半静的シグナリング（例えば、ＲＲＣシグナリング）又は動的シグナリング（ＤＣＩ）を介して初期サブバンド又はＲＢインデックスをＵＥにシグナリングし得る。シグナリングはＵＥ固有であり得る。この場合、異なるタイムスロットでのリソースブロック割り当ては以下に基づいて導出され得る。
【手続補正６】
【補正対象書類名】明細書
【補正対象項目名】０１４９
【補正方法】変更
【補正の内容】
【０１４９】
ｍ及び
【数７５】
2020513177.tif 000222
に基づくシグナリングは、シーケンス
【数７６】
2020513177.tif 000223
のシグナリングと比較して可能なホッピングパターンのサブセットを提供し、シグナリングオーバーヘッドをさらに低減する。図４の例における２０個のＵＥのリソースホッピングパターンは、ｍ及び
【数７７】
2020513177.tif 000224
を用いてすべてシグナリングされ得る。
【手続補正７】
【補正対象書類名】明細書
【補正対象項目名】０１５０
【補正方法】変更
【補正の内容】
【０１５０】
いくつかの実施形態において、
【数７８】
2020513177.tif 000225
、
【数７９】
2020513177.tif 000226
、ｍ又は
【数８０】
2020513177.tif 000227
は、ＵＥ  ＩＤのタイプの関数であり得る。ＵＥ  ＩＤは、グループ内のＧＦ−ＲＮＴＩ又はＣ＿ＲＮＴＩ又は上位層ＩＤ又はＵＥインデックス（例えば、ｇｒｏｕｐ＿ＲＮＴＩのＲＲＣでシグナリングされるグループ間のＵＥインデックス）であるか、又はリソース／ＲＳ位置及びホッピングパターンを決定するために用いられるグループＩＤ又はｇｒｏｕｐ＿ＲＮＴＩ又はＵＥインデックスであり得る（例えば、図４において、図におけるＵＥインデックスは、リソース及びリソースホッピングパターンを導出するために用いられるインデックスであり得て、上位層シグナリング、ＤＣＩシグナリング又はブロードキャストシグナリングでＢＳによりシグナリングされ得る）。関数は、基地局及びＵＥの両方により知られ得る。そのような場合において、
【数８１】
2020513177.tif 000228
、
【数８２】
2020513177.tif 000229
、ｍ又は
【数８３】
2020513177.tif 000230
は、明示的にシグナリングされる必要はなくてよく、ＵＥはｍ又は
【数８４】
2020513177.tif 000231
をＵＥ  ＩＤから導出できる。いくつかの実施形態において、ｍは
【数８５】
2020513177.tif 000232
として導出され得る。例えば、図４において、ＵＥ１、ＵＥ６、ＵＥ１１及びＵＥ１６が同じグループＩＤで構成され、各グループ内のＵＥインデックスがそれぞれ１，２、３及び４として構成されていると仮定する。そして
【数８６】
2020513177.tif 000233
に基づいて、図４において定数＝０であり
【数８７】
2020513177.tif 000234
＝５であると仮定する。そしてシステムはＵＥ１、ＵＥ６、ＵＥ１１及びＵＥ１６にそれぞれｍ＝１、２、３、４を有するであろう。これは、ＵＥ１、ＵＥ６、ＵＥ１１及びＵＥ１６が１つのタイムスロットから次のタイムスロットに１、２、３、４つのサブバンドを巡回的にホップすることを意味し、図４において定義されるホッピングルールと同じである。この例において、ＵＥ  ＩＤはグループ中のＵＥインデックスであり、ＵＥのグループはタイムスロット０でサブバンドインデックスを共有する。いくつかの実施形態において、グループＩＤ及びグループ内のＵＥインデックスは、ＲＲＣ又はＤＣＩシグナリングでシグナリングされるホッピングパターン導出に割り当てられた単一のＵＥインデックスから導出され得る。いくつかの実施形態において、初期サブバンドインデックス（例えば、
【数８８】
2020513177.tif 000235
又は
【数８９】
2020513177.tif 000236
）及び巡回シフト値（例えば、ｍ又は
【数９０】
2020513177.tif 000237
）は、ＲＲＣ又はＤＣＩシグナリングでシグナリングされるホッピングパターン導出に割り当てられた単一のＵＥインデックスから導出され得る。
【手続補正８】
【補正対象書類名】明細書
【補正対象項目名】０１５７
【補正方法】変更
【補正の内容】
【０１５７】
いくつかの実施形態において、リソースホッピングパターン
【数１１３】
2020513177.tif 000238
は、疑似乱数シーケンスから導出され得る。しかしながら、ＵＥ固有の疑似乱数シーケンスに基づく代わりに、疑似乱数シーケンスはグループ固有であり得る。いくつかの実施形態において、ＵＥがグループとして同じリソースを共有することを想定する代わりに、ＵＥは同じＲＳ信号の再利用に基づいてグループ化され得る。これらのＵＥは、同時に同じリソースで伝送しない可能性がある。各グループは同じグループＩＤを共有し得て、グループ内のＵＥはグループ間で異なるＵＥインデックスを有し得る。グループＩＤ及びＵＥインデックスは、例えば、ＲＲＣシグナリングで明示的にシグナリングされてもよく、又は暗示的に算出（例えば、ＵＥにシグナリングされ得る単一のＵＥ  ＩＤの関数として算出）されてもよい。例えば、図４において、ＵＥ１、ＵＥ２、ＵＥ３、ＵＥ４及びＵＥ５は、グループＩＤ＝０で１つのグループにグループ化されてよく、ＵＥ６、ＵＥ７、ＵＥ８、ＵＥ９及びＵＥ１０は、グループＩＤ＝１…などを有する別のグループに属する。ＵＥインデックスは、同じグループにおいて、より低い数からより高い数に決定され得る。同じグループ内でＵＥがアクセスするリソースのサイズは異なり得て、サイズは図に示されていないが、ＵＥはいくつかの特性、例えば、１つのスロットに同じサブバンドインデックスを共有し得る。ホッピングパターン
【数１１４】
2020513177.tif 000239
は、ＵＥの各グループが各タイムスロットで疑似乱数置換を実行し得て、置換パターンに基づいて１つずつサブバンドにマッピングされるように計算され得る。例えば置換パターンがタイムスロットで｛５，１，２，３，４｝である場合、ホッピングパターンは、ＵＥ１、ＵＥ２、ＵＥ３、ＵＥ４及びＵＥ５の場合、図４におけるタイムスロット４０２ｂと同じであり得る。疑似乱数置換は、グループ内の全てのＵＥに対して同じであるが、異なるグループにおけるＵＥに対しては異なり得る。これは、疑似乱数シーケンスを用いて異なる置換パターンを表すことにより実行できる。例えば、
【数１１５】
2020513177.tif 000240
個の可能な様々な置換パターンが存在し、したがって、疑似乱数シーケンスを生成して０とすべての可能な置換パターンを表す
【数１１６】
2020513177.tif 000241
−１との間からランダムに整数値を均一に取得し得る。疑似乱数シーケンスを生成するための様々な手法がある。疑似乱数シーケンス生成の一例は、３ＧＰＰ  ＴＳ  ３６．２１３の項７．２で確認できる。疑似乱数シーケンスは、シードを用いて生成されてもよく、グループＩＤの関数として初期化されてもよい。したがって同じグループからのＵＥは同じ置換パターンを有するであろう。グループＩＤの関数として初期化された疑似乱数数に基づいて置換パターンを決定した後、ＵＥは、グループ間のＵＥインデックス及び置換パターンに基づいてホッピングパターン
【数１１７】
2020513177.tif 000242
のサブバンド位置を決定し得る。ＲＳは、明示的にシグナリング又は暗示的に導出され得る。いくつかの実施形態において、ＲＳは、例えばＲＳ＝（グループＩＤ＋共通項）  ｍｏｄ  （ＲＳの総数）に基づくグループＩＤの関数として導出され得る。共通項は任意選択的であり、同じセルにおけるすべてのＵＥに対して同じ項を意味し、例えば、フレームインデックス、タイムスロットインデックスなどの関数であり得る。グループＩＤが連続する整数になるようにセットされ、グループがＲＳインデックスの数より少ない場合、ＲＳ衝突は発生しない。いくつかの実施形態において、グループＩＤ又はグループＩＤのＵＥインデックスは、単一のＵＥ  ＩＤから導出され得る。ＵＥ  ＩＤは、リソース構成（例えば、ＲＲＣ又はＤＣＩ）のために各ＵＥにシグナリングされてよい。ＵＥ  ＩＤは、ＧＦ−ＲＮＴＩ、Ｃ‐ＲＮＴＩ、上位層ＩＤ、図４に示されるようなＧＦリソースの算出のためのＵＥインデックスなどであり得る。例えば、ＵＥ  ＩＤが図４に示されるＵＥインデックスである場合、グループ内のグループＩＤ及びＵＥインデックスは
【数１１８】
2020513177.tif 000243
及び
【数１１９】
2020513177.tif 000244
として導出されてよく、Ｃ１＝Ｃ２＝−１、Ｃ３＝０を取る場合、図４において同じグループにおける、グループＩＤ＝０の、ＵＥインデックスがそれぞれ０,１,２,３,４であるＵＥ１、ＵＥ２、ＵＥ３、ＵＥ４、ＵＥ５を取得し得る。ＵＥ６、ＵＥ７、…、ＵＥ１０はグループＩＤ＝１のグループに属する。このように、ホッピングパターン
【数１２０】
2020513177.tif 000245
及びＲＳは、他のシグナリングなく単一のＵＥ  ＩＤから導出されてよく、グループにおけるＵＥは同じＲＳを再利用し得る。同じグループに属するＵＥは、グループシグナリング、例えば、グループＤＣＩを用いて構成されてもよく、この場合、グループ間のグループＩＤ及びＵＥインデックスは、例えば、ＲＲＣシグナリングで構成されてよい。ＵＥはグループＤＣＩでシグナリングされ得るＲＳ、ＶＲＢインデックスを共有してよい。グループ内のＵＥのホッピングパターンは、上記のランダム置換方法を用いて生成され得る、異なるパターンである。いくつかの他の実施形態において、ホッピングパターンは明示的に又は暗示的にシグナリングされてもよく、
【数１２１】
2020513177.tif 000246
及びｍ'及び
【数１２２】
2020513177.tif 000247
又は
【数１２３】
2020513177.tif 000248
の算出を介してシグナリングしてもよい。
【数１２４】
2020513177.tif 000249
はグループ間のＵＥインデックスの関数であり（例えば、
【数１２５】
2020513177.tif 000250
）、及びｍ'はグループＩＤの関数（例えば、
【数１２６】
2020513177.tif 000251
）である。
【手続補正９】
【補正対象書類名】明細書
【補正対象項目名】０２０７
【補正方法】変更
【補正の内容】
【０２０７】
いくつかの実施形態において、ＵＥは、ＵＥインデックスに基づいてホッピングパターンを決定し得る。ＵＥは、ＧＦグループＲＮＴＩ、ＵＥインデックス、周波数リソース、ＭＣＳ、及び決定されたホッピングパターンに従ってＧＦ  ＵＬ伝送を実行し得る。決定されたＵＥのホッピングパターンは、ＵＥのグループにおける他のＵＥのホッピングパターンとは異なり得る。
【手続補正１０】
【補正対象書類名】明細書
【補正対象項目名】０２２０
【補正方法】変更
【補正の内容】
【０２２０】
いくつかの実施形態において、処理システム８００は、通信ネットワークにアクセスする、そうでなければその一部である、ネットワークデバイスに含まれる。一例において、処理システム８００は、無線又は有線通信ネットワークにおいて、ネットワーク側デバイス、例えば、基地局、リレー局、スケジューラ、コントローラ、ゲートウェイ、ルータ、アプリケーションサーバ、又は、電気通信ネットワーク内の任意の他のデバイス内にある。他の実施形態において、処理システム８００は、移動局、ユーザ機器（ＵＥ）、パーソナルコンピュータ（ＰＣ）、タブレット、ウェアラブル通信デバイス（例えば、スマートウォッチなど）、又は通信ネットワークにアクセスするように構成される任意の他のデバイスのような、無線又は有線通信ネットワークにアクセスするユーザ側デバイスにある。
【手続補正１１】
【補正対象書類名】明細書
【補正対象項目名】０２２７
【補正方法】変更
【補正の内容】
【０２２７】
さらにＵＥは、ＵＥインデックスに基づいてホッピングパターンを決定し得る。ＵＥのホッピングパターンは、ＵＥのグループにおける他のＵＥのホッピングパターンとは異なる。ＵＥは、ＧＦグループＲＮＴＩ、ＵＥインデックス、周波数リソース、ＭＣＳ、及び決定されたホッピングパターンに従ってＧＦ  ＵＬ伝送を実行し得る。
【国際調査報告】
2020513177.tif 000252
2020513177.tif 000253